(57)【要約】【課題】本発明は、液晶パネルの温度変化にかかわりなく、表示画面の輝度、コントラストが一定になる液晶表示装置およびその制御方法を提供することを目的とする。【解決手段】表示データを伝達する複数の信号線と制御信号を伝達する複数の走査線とが縦横に配線され、前記各信号線と前記各走査線との交差部にスイッチング素子を介して画素電極を配置した液晶パネルと、該液晶パネルの温度変化に対応してガンマ補正を行う制御回路とを備えたことを特徴とする。【選択図】図１５
2010122703.tif 000002
【特許請求の範囲】
【請求項１】
表示データを伝達する複数の信号線と制御信号を伝達する複数の走査線とが縦横に配線され、前記各信号線と前記各走査線との交差部にスイッチング素子を介して画素電極を配置した液晶パネルと、
該液晶パネルの温度変化に対応してガンマ補正を行う制御回路とを備えたことを特徴とする液晶表示装置。
【請求項２】
表示データを伝達する複数の信号線と制御信号を伝達する複数の走査線とが縦横に配線され、前記各信号線と前記各走査線との交差部にスイッチング素子を介して画素電極を配置した液晶パネルと、
前記液晶パネルの裏面に配置され、互いに間隔を置いた複数の第１バックライトと、該第１バックライトに隣接し互いに間隔を置いた複数の第２バックライトとを備え、
前記第１バックライトおよび前記第２バックライトは、交互に点滅することを特徴とする液晶表示装置。
【請求項３】
表示データを伝達する複数の信号線と制御信号を伝達する複数の走査線とが縦横に配線され、前記各信号線と前記各走査線との交差部にスイッチング素子を介して画素電極を配置した液晶パネルと、
前記液晶パネルに対向して配置された導光板と、
前記導光板の一端に配置され、該導光板内に前記走査線の走査方向に沿って光を供給するバックライトとを備え、
前記導光板は、導入された光を集光制御し前記液晶パネルに向けて照射する複数の照射領域を前記走査線の走査方向に沿って備えたことを特徴とする液晶表示装置。
【請求項４】
請求項３記載の液晶表示装置において、
該導光板内を進行する光を外部からの制御に応じて全反射または乱反射する複数の膜状の散乱部が、前記導光板における前記走査線の走査方向に沿って配置され、
前記照射領域は、前記散乱部による光の乱反射により形成されることを特徴とする液晶表示装置。
【請求項５】
表示データを伝達する複数の信号線と制御信号を伝達する複数の走査線とが縦横に配線され、前記各信号線と前記各走査線との交差部にスイッチング素子を介して画素電極を配置した液晶パネルを備え、
１フレームの期間における表示画像を前記液晶パネルの外部に出力する期間である発光時間は、手動で調整されることを特徴とする液晶表示装置。
【請求項６】
表示データを伝達する複数の信号線と制御信号を伝達する複数の走査線とが縦横に配線され、前記各信号線と前記各走査線との交差部にスイッチング素子を介して画素電極を配置した液晶パネルを備え、
１フレームの期間における表示画像を前記液晶パネルの外部に出力する期間である発光時間は、前記液晶パネルに表示される画像の動きの速さに応じて調整されることを特徴とする液晶表示装置。
【請求項７】
表示データを伝達する複数の信号線と制御信号を伝達する複数の走査線とが縦横に配線され、前記各信号線と前記各走査線との交差部にスイッチング素子を介して画素電極を配置した液晶パネルを備え、
１フレームの全期間に表示画像を前記液晶パネルの外部に出力するホールド制御の機能と、１フレームの期間のうち所定の期間に前記表示画像を前記液晶パネルの外部に出力するインパルス制御の機能とを有し、
前記表示データが静止画像のときに前記ホールド制御し、前記表示データが動画像のときに前記インパルス制御することを特徴とする液晶表示装置。
【請求項８】
表示データを伝達する複数の信号線と制御信号を伝達する複数の走査線とが縦横に配線され、前記各信号線と前記各走査線との交差部にスイッチング素子を介して画素電極を配置され、前記走査線の走査方向に沿ってｎ個（ｎ≧４）に分割された複数の制御ブロックで構成される液晶パネルと、
前記各制御ブロックに対向してそれぞれ配置される複数のバックライトとを備え、
前記液晶パネルは、１フレームの期間に前記各走査線を１回走査し、前記表示データを前記画素電極に書き込むホールド駆動を行い、
前記各制御ブロックにそれぞれ対応する前記バックライトは、該制御ブロックにおける前記走査線の走査直前に所定の期間点灯し、
前記液晶パネルの各画素の応答時間は、
１フレーム時間×（ｎ−２）／ｎ
より小さいことを特徴とする液晶表示装置。
【請求項９】
表示データを伝達する複数の信号線と制御信号を伝達する複数の走査線とが縦横に配線され、前記各信号線と前記各走査線との交差部にスイッチング素子を介して画素電極を配置され、前記走査線の走査方向に沿ってｎ個（ｎ≧３）に分割された複数の制御ブロックで構成される液晶パネルと、
前記各制御ブロックに対向してそれぞれ配置される複数のバックライトとを備え、
前記液晶パネルは、１フレームの期間に前記各走査線を２回走査し、前記表示データとリセットデータとを前記画素電極に書き込むインパルス駆動を行い、
前記各制御ブロックにそれぞれ対応する前記バックライトは、該制御ブロックにおける前記走査線の走査直前に所定の期間点灯し、
前記液晶パネルの各画素の応答時間は、
１フレーム時間×[[(ｎ−１)／２ｎ]−(１／ｎ)]    （ｎ：奇数）
１フレーム時間×[[(ｎ−２)／２ｎ]−(１／ｎ)]    （ｎ：偶数）
より小さいことを特徴とする液晶表示装置。
【請求項１０】
表示データを伝達する複数の信号線と制御信号を伝達する複数の走査線とが縦横に配線され、前記各信号線と前記各走査線との交差部にスイッチング素子を介して画素電極を配置した液晶パネルと、
前記液晶パネルに対向して配置された導光板と、
前記導光板の一方の面に順次配置された第１偏光分離シート、前記走査線の走査方向に沿って複数に区画された液晶シャッター、第２偏光分離シート、および散乱シートと、
前記導光板の一端に配置され、該導光板内に前記走査線の走査方向に沿って光を供給するバックライトとを備えたことを特徴とする液晶表示装置。
【請求項１１】
請求項１０記載の液晶表示装置において、
前記導光板の他方の面に配置された位相差シートを備えたことを特徴とする液晶表示装置。
【請求項１２】
請求項１０記載の液晶表示装置において、
前記散乱シートは、複数のプリズムから形成されていることを特徴とする液晶表示装置。
【請求項１３】
表示データを伝達する複数の信号線と制御信号を伝達する複数の走査線とが縦横に配線され、前記各信号線と前記各走査線との交差部にスイッチング素子を介して液晶からなる容量部を配置した液晶パネルを備え、
前記液晶パネルは、前記各容量部に並列に接続され、該容量部より抵抗値の低い抵抗部を備えたことを特徴とする液晶表示装置。
【請求項１４】
請求項１３記載の液晶表示装置において、
前記抵抗部は、前記液晶パネルに配置された補助容量部により形成されていることを特徴とする液晶表示装置。
【請求項１５】
請求項１３記載の液晶表示装置において、
前記液晶パネルの液晶モードは、ノーマリブラックであることを特徴とする液晶表示装置。
【請求項１６】
表示データを伝達する複数の信号線と制御信号を伝達する複数の走査線とが縦横に配線され、前記各信号線と前記各走査線との交差部に画素電極を配置した液晶パネルを備え、
前記画素電極は、互いに閾値電圧の異なる第１薄膜トランジスタおよび第２薄膜トランジスタに接続され、
前記走査線の走査方向に隣接する前記画素電極にそれぞれ接続される前記第１薄膜トランジスタのゲート電極および前記第２薄膜トランジスタのゲート電極は、同一の前記走査線に接続されていることを特徴とする液晶表示装置。
【請求項１７】
請求項１６記載の液晶表示装置において、
前記各走査線は、１フレームの期間に、異なる電圧で２回選択されることを特徴とする液晶表示装置。
【請求項１８】
請求項１６記載の液晶表示装置において、
前記第１薄膜トランジスタは、前記信号線に接続され、前記第２薄膜トランジスタは、リセットデータに対応する電圧が供給される電極に接続され、
前記第２薄膜トランジスタの閾値電圧は、前記第１薄膜トランジスタの閾値電圧より高いことを特徴とする液晶表示装置。
【請求項１９】
表示データを伝達する複数の信号線と制御信号を伝達する複数の走査線とが縦横に配線され、前記各信号線と前記各走査線との交差部に液晶セルを配置した液晶パネルと、
前記液晶パネルに対向して配置され、前記走査線の走査方向に区画された複数の発光部を有するバックライト機構とを備え、
前記各発光部を順次に点灯させ、該発光部の消灯期間に該発光部に対応する前記走査線を走査し、前記表示データの前記液晶セルへの書き込みを開始するインパルス駆動を行い、
前記発光部の区画数、該発光部の１フレームの期間における点灯期間の比率、および前記液晶セルの応答時間は、前記発光部の点灯後における前記画素電極の過渡応答による輝度の変化が前記発光部の点灯期間における輝度の５％以下になるように決められていることを特徴とする液晶表示装置。
【請求項２０】
請求項１９記載の液晶表示装置において、
前記バックライト機構は、フレーム毎に領域が変化する前記発光部で構成され、
前記各発光部は、一つまたは互いに隣接する複数の前記点灯機構で構成されることを特徴とする液晶表示装置。
【請求項２１】
表示データを伝達する複数の信号線と制御信号を伝達する複数の走査線とが縦横に配線され、前記各信号線と前記各走査線との交差部にスイッチング素子を介して画素電極を配置した液晶パネルを備え、該液晶パネルの温度変化に対応してガンマ補正を行うことを特徴とする液晶表示装置の制御方法。
【請求項２２】
表示データを伝達する複数の信号線と制御信号を伝達する複数の走査線とが縦横に配線され、前記各信号線と前記各走査線との交差部にスイッチング素子を介して画素電極を配置した液晶パネルと、前記液晶パネルの裏面に配置され、互いに間隔を置いた複数の第１バックライトと、該第１バックライトに隣接し互いに間隔を置いた複数の第２バックライトとを備え、前記第１バックライトおよび前記第２バックライトを交互に点滅することを特徴とする液晶表示装置の制御方法。
【請求項２３】
表示データを伝達する複数の信号線と制御信号を伝達する複数の走査線とが縦横に配線され、前記各信号線と前記各走査線との交差部にスイッチング素子を介して画素電極を配置した液晶パネルを備え、
１フレームの期間における表示画像を、前記液晶パネルの外部に出力する期間である発光時間を手動で調整することを特徴とする液晶表示装置の制御方法。
【請求項２４】
表示データを伝達する複数の信号線と制御信号を伝達する複数の走査線とが縦横に配線され、前記各信号線と前記各走査線との交差部にスイッチング素子を介して画素電極を配置した液晶パネルを備え、
１フレームの期間における表示画像を前記液晶パネルの外部に出力する期間である発光時間を、前記液晶パネルに表示される画像の動きの速さに応じて調整することを特徴とする液晶表示装置の制御方法。
【請求項２５】
タイミング信号の活性化期間中に表示データを信号線に出力するデータドライバと、ゲートパルスを走査線に順次に出力するゲートドライバと、前記各信号線と前記各走査線との交差部にスイッチング素子を介して画素電極を配置した液晶パネルとを備えた液晶表示装置の制御方法であって、
前記データドライバは、一水平周期中における前記タイミング信号の非活性化期間中にリセットデータを出力することを特徴とする液晶表示装置の制御方法。
【請求項２６】
請求項２５記載の液晶表示装置の制御方法において、
前記ゲートパルスを前記走査線に順次に出力して前記表示データを前記画素電極に書き込むとともに、所定時間後に、再度前記ゲートパルスを前記走査線に順次に出力して前記リセットデータを前記画素電極に書き込むことを特徴とする液晶表示装置の制御方法。
【請求項２７】
請求項２６記載の液晶表示装置の制御方法において、
前記表示データを書き込む最終の前記走査線の走査からフレーム終了までの期間である非走査期間中に、前記リセットデータを書き込むために前記走査線を順次走査し、前記リセットデータの書き込みを、同一の前記走査線における前記表示データの書き込みから常に一定時間後に行うことを特徴とする液晶表示装置の制御方法。
【発明の詳細な説明】
【技術分野】
【０００１】
本発明は、アクティブマトリクス方式の液晶表示装置およびその制御方法に関し、特に、画像の表示を良好に行うための技術に関する。
【背景技術】
【０００２】
薄膜トランジスタを駆動素子としたＴＦＴ（Thin Film Transistor）駆動液晶表示装置は、アクティブマトリクス方式の液晶表示装置としてパーソナルコンピュータ等の表示装置として幅広く使用されている。この種の液晶表示装置は、一般に、ツイストネマティック（ＴＮ）形と称される液晶表示方式を採用することが多い。ＴＮ形の液晶表示装置は、２枚の透明な電極基板間に液晶分子の配列が連続的に９０度ねじれたツイスト配列セルを挟んで形成されている。この装置は、電極基板間に電圧を印加しないときに、光を透過させる。
【０００３】
図７８は、上述したＴＦＴ駆動液晶表示装置の概要を示している。
【０００４】
この装置は、マトリックス状に配置されたＴＦＴと画素電極１とを備えている。スイッチング素子であるＴＦＴのゲート電極は、Ｙドライバ２から出力されるゲート信号を伝達する走査線G1、G2、...、Gnに接続されている。ＴＦＴのドレイン電極は、Ｘドライバ３から出力されるデータ信号を伝達する信号線D1、D2、...、Dmに接続されている。ＴＦＴのソース電極は、画素電極１に接続されている。また、対向電極（図示せず）が、画素電極１に対向して配置されている。そして、液晶（図示せず）が画素電極１と対向電極とに挟持され、液晶セルＣが形成されている。
【０００５】
液晶セルＣへのデータの書き込みは、ＴＦＴ１を走査線G1、G2、...、Gnに順次供給されるパルス状のゲート信号でオンし、信号線D1、D2、...、Dmに同時に供給されるデータ信号を画素電極１に転送することで行われる（線順次駆動）。液晶セルＣに書き込まれたデータ信号の情報は、１フレーム後に再び画素電極１が駆動されるまで保持される。このように、次のデータ信号の書き込みまで液晶セルＣの情報を保持する制御は、一般にホールド駆動と称されている。
【０００６】
図７９は、上述したＴＦＴ駆動液晶表示装置をホールド駆動する際の駆動電圧の波形と液晶セルＣの応答波形とを示している。画素応答の波形は、液晶セルＣの透過光量に対応している。なお、ここでは着目する一つの液晶セルＣにデータが書き込まれる様子を示している。
【０００７】
図７８に示したＹドライバ２は、１６ｍｓごとに所定の走査線を駆動し、ゲート信号にＨパルスを発生させる。Ｘドライバ３は、ゲート信号に同期してデータ信号を発生させる。データ信号の極性は、フレーム走査ごとに反転されており、いわゆるフレーム反転駆動が行われている。なお、図に示した１６ｍｓの期間内に波形を表示していない全ての走査線が走査される。
【０００８】
例えば、最初の３フレームの期間は、画素電極２と対向電極（図示せず）との間に掛かる電圧の絶対値は、いずれも５Ｖになる。このため、着目している液晶セルＣは、光を通過し白が表示される。残りの３フレームの期間は、画素電極２と対向電極（図示せず）との間に掛かる電圧は０Ｖになる。このため、着目している液晶セルＣは、光を遮断し黒が表示される。
【０００９】
一般に、ＴＮ形の液晶表示装置における液晶セルＣの応答時間は、１フレームの走査期間より長い。特に、中間調での液晶セルＣの応答時間は、図７９に破線で示すように、数フレームにわたり続く。最近では、例えば、πセルと称する応答時間の短い液晶セルが開発されている。
【００１０】
上述したように、ＴＮ形の液晶表示装置は、従来、ホールド駆動することで画像の表示を行っている。ホールド駆動は、次のデータ信号の書き込みまで液晶セルＣの情報を保持するため、動画像において前のフレームのデータの一部が重なってみえるぼけ（画像の尾引き）が発生する。このようなぼけは、CRT（Cathode Ray Tube）では発生しない。
【００１１】
図８０は、一般にインパルス駆動と称されるCRTの駆動電圧の波形を示している。画素の発光は、駆動信号に電圧が印加され電子線がその画素に照射されたときのみ行われる。１フレーム前に走査されたデータは、駆動信号のＬレベル遷移とともに消失するため、ぼけは発生しない。
【００１２】
液晶表示装置での上記ぼけを軽減するために、液晶表示装置においても、インパルス駆動を行う試みがなされている。この試みの詳細は、非特許文献１に記載されている。この種の液晶表示装置は、応答時間の短いπセル等が使用されている。
【００１３】
図８１は、液晶表示装置においてインパルス駆動を行う際の駆動電圧の波形と液晶セルの応答波形とを示している。図７９と同様に、最初の３フレームは、白を表示し、残りの３フレームは、黒を表示する状態を示している。
【００１４】
液晶表示装置は、１６ｍｓ（１フレーム）ごとに所定の走査線を２回駆動する。１回目の走査は、データ信号の取り込みに使用され、２回目の走査は、液晶セルのリセットに使用される。すなわち、データ信号を液晶セルＣに書き込んだ後、所定時間後に、黒データの書き込みを行うことで、インパルス駆動を行っている。図中の矢印に記載した“Ｗ”は白の書き込み動作を、“Ｂ”は黒の書き込み動作を、“Ｒ”はリセット動作を示している。このようにすることで、液晶セルＣの表示データの保持は、１フレーム内の一定期間T1だけ行われ、動画像のぼけが軽減される。
【００１５】
図８２は、上述したインパルス駆動を行った場合の画面の表示例を示している。図中、白い液晶セルは、白を表示し、網掛けの液晶セルは、黒を表示していることを表している。
【００１６】
図中の波形に示すように、１フレーム（１６ｍｓ）の表示期間における１回目の走査により、表示データ（白）が書き込まれる。１フレーム（１６ｍｓ）の表示期間における２回目の走査により、リセットデータ（黒）が書き込まれる。すなわち、図中の上側に示すように、１フレームの走査で、表示データとリセットデータとが上から下に帯状に移動する。
【先行技術文献】
【特許文献】
【００１７】
【特許文献１】特開平１０−６２８１１号公報
【非特許文献】
【００１８】
【非特許文献１】Digest of SID98 pp.143-146
【発明の概要】
【発明が解決しようとする課題】
【００１９】
しかしながら、表示データ（白）とリセットデータ（黒）とを交互にライン順次書き込みすることは、フリッカーを発生させる原因になっていた。特に、液晶セルＣの表示速度が遅い場合、あるいは、走査の周期（リフレッシュレート）が長い場合に、フリッカーは大きくなる。
【００２０】
なお、複数のＸドライバ、Ｙドライバを設け、隣接する液晶セルを独立して駆動する液晶表示装置が、特許文献１に開示されている。この液晶表示装置は、複数の液晶セルへの書き込み動作、リセット動作をオーバーラップして行うことで、各液晶セルに対する書き込み時間、リセット時間を確保し、表示データのコントラストの向上を図っている。しかしながら、この種の液晶表示装置は、Ｘドライバ、Ｙドライバを複数設けているため、回路規模が増大するという問題があった。また、信号線の数が２倍必要になるため、開口率が低下するという問題があった。
【００２１】
また、一般に、表示画像の輝度を上げるため、画素電極、ＴＦＴおよびその制御回路からなる液晶パネルに対向してバックライトを配置することが行われている。しかしながら、上述したインパルス駆動をする場合、リセットデータが書き込まれ、黒を表示している画素電極は、バックライトから照射される光を吸収してしまう。この結果、無駄な電力が消費されるという問題があった。また、インパルス駆動により表示される画像は、ホールド駆動により表示される画像より輝度が低下するため、バックライトの輝度を上げる必要がある。この結果、消費電力が増大するという問題があった。
【００２２】
バックライトとして並列に配置された複数の蛍光管を使用した場合、各蛍光管の劣化速度の違いがそのまま画像の表示むらとして見えてしまう問題があった。
【００２３】
本発明の目的は、動画像の画質を向上できる液晶表示装置およびその制御方法を提供することにある。特に、画像のぼけの軽減、フリッカーの防止、ゴーストの防止を目的とする。また、液晶パネルの温度変化にかかわりなく、表示画面の輝度、コントラストが一定になる液晶表示装置およびその制御方法を提供する。
【００２４】
本発明の別の目的は、バックライトを効率よく点滅し、消費電力を低減することにある。
【００２５】
本発明の別の目的は、画像の表示むらが発生しないバックライトを提供することにある。
【課題を解決するための手段】
【００２６】
本発明の説明に用いる各構成を以下に列挙する。特許請求の範囲に記載の発明は、構成４〜構成２３、構成２８〜構成３４に対応している。
（構成１）
表示データを伝達する複数の信号線と制御信号を伝達する複数の走査線とが縦横に配線され、前記各信号線と前記各走査線との交差部にスイッチング素子を介して画素電極を配置した液晶パネルと、
前記液晶パネルを前記信号線及び前記走査線を介して制御し、前記各走査線に伝達される前記制御信号を、１画面を表示する１フレームの期間に２回活性化する制御回路とを備え、
前記液晶パネルは、第１画素領域と、該第１画素領域に隣接する第２画素領域とに区画され、
前記各制御信号の一方の活性化時に、前記第１画素領域に前記表示データを書き込み、前記第２画素領域にリセットデータを書き込み、
前記各制御信号の他方の活性化時に、前記第１画素領域にリセットデータを書き込み、前記第２画素領域に前記表示データを書き込むことを特徴とする液晶表示装置。
（構成２）
構成１記載の液晶表示装置において、
前記液晶パネルの裏面には、前記第１画素領域および前記第２画素領域に対向してそれぞれバックライトが設けられ、
前記各バックライトは、前記第１画素領域および前記第２画素領域への前記表示データの書き込みに同期して点灯され、前記第１画素領域および前記第２画素領域への前記リセットデータの書き込みに同期して消灯されることを特徴とする液晶表示装置。
（構成３）
構成２記載の液晶表示装置において、
前記液晶パネルの裏面には、前記第１画素領域および前記第２画素領域に対向してそれぞれ導光板が設けられ、該導光板の一端には、蛍光管が設けられたことを特徴とする液晶表示装置。
（構成４）
表示データを伝達する複数の信号線と制御信号を伝達する複数の走査線とが縦横に配線され、前記各信号線と前記各走査線との交差部にスイッチング素子を介して画素電極を配置した液晶パネルと、
該液晶パネルの温度変化に対応してガンマ補正を行う制御回路とを備えたことを特徴とする液晶表示装置。
（構成５）
表示データを伝達する複数の信号線と制御信号を伝達する複数の走査線とが縦横に配線され、前記各信号線と前記各走査線との交差部にスイッチング素子を介して画素電極を配置した液晶パネルと、
前記液晶パネルの裏面に配置され、互いに間隔を置いた複数の第１バックライトと、該第１バックライトに隣接し互いに間隔を置いた複数の第２バックライトとを備え、
前記第１バックライトおよび前記第２バックライトは、交互に点滅することを特徴とする液晶表示装置。
（構成６）
表示データを伝達する複数の信号線と制御信号を伝達する複数の走査線とが縦横に配線され、前記各信号線と前記各走査線との交差部にスイッチング素子を介して画素電極を配置した液晶パネルと、
前記液晶パネルに対向して配置された導光板と、
前記導光板の一端に配置され、該導光板内に前記走査線の走査方向に沿って光を供給するバックライトとを備え、
前記導光板は、導入された光を集光制御し前記液晶パネルに向けて照射する複数の照射領域を前記走査線の走査方向に沿って備えたことを特徴とする液晶表示装置。
（構成７）
構成６記載の液晶表示装置において、
該導光板内を進行する光を外部からの制御に応じて全反射または乱反射する複数の膜状の散乱部が、前記導光板における前記走査線の走査方向に沿って配置され、
前記照射領域は、前記散乱部による光の乱反射により形成されることを特徴とする液晶表示装置。
（構成８）
表示データを伝達する複数の信号線と制御信号を伝達する複数の走査線とが縦横に配線され、前記各信号線と前記各走査線との交差部にスイッチング素子を介して画素電極を配置した液晶パネルを備え、
１フレームの期間における表示画像を前記液晶パネルの外部に出力する期間である発光時間は、手動で調整されることを特徴とする液晶表示装置。
（構成９）
表示データを伝達する複数の信号線と制御信号を伝達する複数の走査線とが縦横に配線され、前記各信号線と前記各走査線との交差部にスイッチング素子を介して画素電極を配置した液晶パネルを備え、
１フレームの期間における表示画像を前記液晶パネルの外部に出力する期間である発光時間は、前記液晶パネルに表示される画像の動きの速さに応じて調整されることを特徴とする液晶表示装置。
（構成１０）
表示データを伝達する複数の信号線と制御信号を伝達する複数の走査線とが縦横に配線され、前記各信号線と前記各走査線との交差部にスイッチング素子を介して画素電極を配置した液晶パネルを備え、
１フレームの全期間に表示画像を前記液晶パネルの外部に出力するホールド制御の機能と、１フレームの期間のうち所定の期間に前記表示画像を前記液晶パネルの外部に出力するインパルス制御の機能とを有し、
前記表示データが静止画像のときに前記ホールド制御し、前記表示データが動画像のときに前記インパルス制御することを特徴とする液晶表示装置。
（構成１１）
表示データを伝達する複数の信号線と制御信号を伝達する複数の走査線とが縦横に配線され、前記各信号線と前記各走査線との交差部にスイッチング素子を介して画素電極を配置され、前記走査線の走査方向に沿ってｎ個（ｎ≧４）に分割された複数の制御ブロックで構成される液晶パネルと、
前記各制御ブロックに対向してそれぞれ配置される複数のバックライトとを備え、
前記液晶パネルは、１フレームの期間に前記各走査線を１回走査し、前記表示データを前記画素電極に書き込むホールド駆動を行い、
前記各制御ブロックにそれぞれ対応する前記バックライトは、該制御ブロックにおける前記走査線の走査直前に所定の期間点灯し、
前記液晶パネルの各画素の応答時間は、
１フレーム時間×（ｎ−２）／ｎ
より小さいことを特徴とする液晶表示装置。
（構成１２）
表示データを伝達する複数の信号線と制御信号を伝達する複数の走査線とが縦横に配線され、前記各信号線と前記各走査線との交差部にスイッチング素子を介して画素電極を配置され、前記走査線の走査方向に沿ってｎ個（ｎ≧３）に分割された複数の制御ブロックで構成される液晶パネルと、
前記各制御ブロックに対向してそれぞれ配置される複数のバックライトとを備え、
前記液晶パネルは、１フレームの期間に前記各走査線を２回走査し、前記表示データとリセットデータとを前記画素電極に書き込むインパルス駆動を行い、
前記各制御ブロックにそれぞれ対応する前記バックライトは、該制御ブロックにおける前記走査線の走査直前に所定の期間点灯し、
前記液晶パネルの各画素の応答時間は、
１フレーム時間×[[(ｎ−１)／２ｎ]−(１／ｎ)]    （ｎ：奇数）
１フレーム時間×[[(ｎ−２)／２ｎ]−(１／ｎ)]    （ｎ：偶数）
より小さいことを特徴とする液晶表示装置。
（構成１３）
表示データを伝達する複数の信号線と制御信号を伝達する複数の走査線とが縦横に配線され、前記各信号線と前記各走査線との交差部にスイッチング素子を介して画素電極を配置した液晶パネルと、
前記液晶パネルに対向して配置された導光板と、
前記導光板の一方の面に順次配置された第１偏光分離シート、前記走査線の走査方向に沿って複数に区画された液晶シャッター、第２偏光分離シート、および散乱シートと、
前記導光板の一端に配置され、該導光板内に前記走査線の走査方向に沿って光を供給するバックライトとを備えたことを特徴とする液晶表示装置。
（構成１４）
構成１３記載の液晶表示装置において、
前記導光板の他方の面に配置された位相差シートを備えたことを特徴とする液晶表示装置。
（構成１５）
構成１３記載の液晶表示装置において、
前記散乱シートは、複数のプリズムから形成されていることを特徴とする液晶表示装置。
（構成１６）
表示データを伝達する複数の信号線と制御信号を伝達する複数の走査線とが縦横に配線され、前記各信号線と前記各走査線との交差部にスイッチング素子を介して液晶からなる容量部を配置した液晶パネルを備え、
前記液晶パネルは、前記各容量部に並列に接続され、該容量部より抵抗値の低い抵抗部を備えたことを特徴とする液晶表示装置。
（構成１７）
構成１６記載の液晶表示装置において、
前記抵抗部は、前記液晶パネルに配置された補助容量部により形成されていることを特徴とする液晶表示装置。
（構成１８）
構成１６記載の液晶表示装置において、
前記液晶パネルの液晶モードは、ノーマリブラックであることを特徴とする液晶表示装置。
（構成１９）
表示データを伝達する複数の信号線と制御信号を伝達する複数の走査線とが縦横に配線され、前記各信号線と前記各走査線との交差部に画素電極を配置した液晶パネルを備え、
前記画素電極は、互いに閾値電圧の異なる第１薄膜トランジスタおよび第２薄膜トランジスタに接続され、
前記走査線の走査方向に隣接する前記画素電極にそれぞれ接続される前記第１薄膜トランジスタのゲート電極および前記第２薄膜トランジスタのゲート電極は、同一の前記走査線に接続されていることを特徴とする液晶表示装置。
（構成２０）
構成１９記載の液晶表示装置において、
前記各走査線は、１フレームの期間に、異なる電圧で２回選択されることを特徴とする液晶表示装置。
（構成２１）
構成１９記載の液晶表示装置において、
前記第１薄膜トランジスタは、前記信号線に接続され、前記第２薄膜トランジスタは、リセットデータに対応する電圧が供給される電極に接続され、
前記第２薄膜トランジスタの閾値電圧は、前記第１薄膜トランジスタの閾値電圧より高いことを特徴とする液晶表示装置。
（構成２２）
表示データを伝達する複数の信号線と制御信号を伝達する複数の走査線とが縦横に配線され、前記各信号線と前記各走査線との交差部に液晶セルを配置した液晶パネルと、
前記液晶パネルに対向して配置され、前記走査線の走査方向に区画された複数の発光部を有するバックライト機構とを備え、
前記各発光部を順次に点灯させ、該発光部の消灯期間に該発光部に対応する前記走査線を走査し、前記表示データの前記液晶セルへの書き込みを開始するインパルス駆動を行い、
前記発光部の区画数、該発光部の１フレームの期間における点灯期間の比率、および前記液晶セルの応答時間は、前記発光部の点灯後における前記画素電極の過渡応答による輝度の変化が前記発光部の点灯期間における輝度の５％以下になるように決められていることを特徴とする液晶表示装置。
（構成２３）
構成２２記載の液晶表示装置において、
前記バックライト機構は、フレーム毎に領域が変化する前記発光部で構成され、
前記各発光部は、一つまたは互いに隣接する複数の前記点灯機構で構成されることを特徴とする液晶表示装置。
（構成２４）
表示データを伝達する複数の信号線と制御信号を伝達する複数の走査線とが縦横に配線され、前記各信号線と前記各走査線との交差部に液晶セルを配置した液晶パネルと、
前記液晶パネルに対向して配置されたバックライト機構とを備え、
前記バックライト機構を点滅させながら、前記走査線を順次に走査して前記表示データを前記液晶セルに書き込むインパルス駆動を行い、
前記バックライト機構が消灯する前後における所定の期間に前記液晶セルに書き込まれる前記表示データは、動き補償を行うことで生成された該バックライト機構が点灯する際の予測データであることを特徴とする液晶表示装置。
（構成２５）
構成２４記載の液晶表示装置において、
前記動き補償は、当該フレームの表示データおよび他のフレームの表示データを使用して行われることを特徴とする液晶表示装置。
（構成２６）
表示データを伝達する複数の信号線と制御信号を伝達する複数の走査線とが縦横に配線され、前記各信号線と前記各走査線との交差部にスイッチング素子を介して画素電極を配置した液晶パネルを備え、
前記液晶パネルは、第１画素領域と、該第１画素領域に隣接する第２画素領域とに区画され、
前記各走査線に伝達される前記制御信号を、１画面を表示する１フレームの期間に２回活性化し、
前記各制御信号の一方の活性化時に、前記第１画素領域に前記表示データを書き込み、前記第２画素領域にリセットデータを書き込み、
前記各制御信号の他方の活性化時に、前記第１画素領域にリセットデータに書き込み、前記第２画素領域に前記表示データを書き込むことを特徴とする液晶表示装置の制御方法。
（構成２７）
構成２６記載の液晶表示装置の制御方法において、
前記液晶パネルの裏面に前記第１画素領域および前記第２画素領域に対向してそれぞれ設けられたバックライトを、前記第１画素領域および前記第２画素領域への前記表示データの書き込みに同期して点灯し、前記第１画素領域および前記第２画素領域への前記リセットデータの書き込みに同期して消灯することを特徴とする液晶表示装置の制御方法。
（構成２８）
表示データを伝達する複数の信号線と制御信号を伝達する複数の走査線とが縦横に配線され、前記各信号線と前記各走査線との交差部にスイッチング素子を介して画素電極を配置した液晶パネルを備え、該液晶パネルの温度変化に対応してガンマ補正を行うことを特徴とする液晶表示装置の制御方法。
（構成２９）
表示データを伝達する複数の信号線と制御信号を伝達する複数の走査線とが縦横に配線され、前記各信号線と前記各走査線との交差部にスイッチング素子を介して画素電極を配置した液晶パネルと、前記液晶パネルの裏面に配置され、互いに間隔を置いた複数の第１バックライトと、該第１バックライトに隣接し互いに間隔を置いた複数の第２バックライトとを備え、前記第１バックライトおよび前記第２バックライトを交互に点滅することを特徴とする液晶表示装置の制御方法。
（構成３０）
表示データを伝達する複数の信号線と制御信号を伝達する複数の走査線とが縦横に配線され、前記各信号線と前記各走査線との交差部にスイッチング素子を介して画素電極を配置した液晶パネルを備え、
１フレームの期間における表示画像を、前記液晶パネルの外部に出力する期間である発光時間を手動で調整することを特徴とする液晶表示装置の制御方法。
（構成３１）
表示データを伝達する複数の信号線と制御信号を伝達する複数の走査線とが縦横に配線され、前記各信号線と前記各走査線との交差部にスイッチング素子を介して画素電極を配置した液晶パネルを備え、
１フレームの期間における表示画像を前記液晶パネルの外部に出力する期間である発光時間を、前記液晶パネルに表示される画像の動きの速さに応じて調整することを特徴とする液晶表示装置の制御方法。
（構成３２）
タイミング信号の活性化期間中に表示データを信号線に出力するデータドライバと、ゲートパルスを走査線に順次に出力するゲートドライバと、前記各信号線と前記各走査線との交差部にスイッチング素子を介して画素電極を配置した液晶パネルとを備えた液晶表示装置の制御方法であって、
前記データドライバは、一水平周期中における前記タイミング信号の非活性化期間中にリセットデータを出力することを特徴とする液晶表示装置の制御方法。
（構成３３）
構成３２記載の液晶表示装置の制御方法において、
前記ゲートパルスを前記走査線に順次に出力して前記表示データを前記画素電極に書き込むとともに、所定時間後に、再度前記ゲートパルスを前記走査線に順次に出力して前記リセットデータを前記画素電極に書き込むことを特徴とする液晶表示装置の制御方法。
（構成３４）
構成３３記載の液晶表示装置の制御方法において、
前記表示データを書き込む最終の前記走査線の走査からフレーム終了までの期間である非走査期間中に、前記リセットデータを書き込むために前記走査線を順次走査し、前記リセットデータの書き込みを、同一の前記走査線における前記表示データの書き込みから常に一定時間後に行うことを特徴とする液晶表示装置の制御方法。
【００２７】
図１は、構成１に記載の発明の基本原理を示すブロック図である。
【００２８】
構成１の液晶表示装置は、表示データを伝達する複数の信号線D1-Dmと制御信号を伝達する複数の走査線G1-Gnとが縦横に配線され、各信号線D1-Dmと各走査線G1-Gnとの交差部にスイッチング素子４を介して画素電極５を配置した液晶パネルＡと、この液晶パネルＡを信号線D1-Dm及び走査線G1-Gnを介して制御する制御回路６とを備えている。液晶パネルＡは、第１画素領域７と、第１画素領域７に隣接する第２画素領域８とに区画されている。
【００２９】
制御回路６は、各走査線に伝達される制御信号を、１画面を表示する１フレームの期間に２回活性化するインパルス駆動を行う。そして、制御回路６は、各制御信号の一方の活性化時に、第１画素領域７に表示データを書き込み、第２画素領域８にリセットデータを書き込む。また、制御回路６は、各制御信号の他方の活性化時に、第１画素領域７にリセットデータに書き込み、第２画素領域８に表示データを書き込む。画素領域７、８にリセットデータを書き込むことで、直前に書き込まれていた表示データはリセットされる。連続した複数のフレームでは、画素領域７、８に書き込まれた表示データは、１フレームの期間内に必ずリセットされる。このため、表示画像のぼけが軽減される。表示データの書き込みとリセットとが、第１画素領域７、第２画素領域８に分散して行われるため、表示画面にフリッカーが発生することが防止される。
【００３０】
図２は、構成２に記載の発明の基本原理を示すブロック図である。
【００３１】
構成２の液晶表示装置は、液晶パネルＡの裏面に、第１画素領域７および第２画素領域８にそれぞれ対向してバックライト９が設けられている。各バックライト７は、第１画素領域７および第２画素領域８への表示データの書き込みに同期してそれぞれ点灯される。各バックライト９は、第１画素領域７および第２画素領域８へのリセットデータの書き込みに同期してそれぞれ消灯される。このため、表示データの書き込み時とリセットデータの書き込み時とでコントラスト比を大きくすることが可能になり、見やすい画面が構成される。また、表示データを書き込まない画素領域７、８に対応するバックライト９は消灯されるため、消費電力が低減される。
【００３２】
構成３の液晶表示装置では、液晶パネルの裏面に、第１画素領域および第２画素領域に対向してそれぞれ導光板が設けられている。また、蛍光管が各導光板の一端に設けられている。蛍光管から発する光は、各導光板により第１画素領域および第２画素領域まで導かれる。このため、蛍光管の数が最小限にされる。
【００３３】
構成４の液晶表示装置では、表示データを伝達する複数の信号線と制御信号を伝達する複数の走査線とが縦横に配線され、各信号線と各走査線との交差部にスイッチング素子を介して画素電極を配置した液晶パネルと、この液晶パネルの温度変化に対応してガンマ補正を行う制御回路とを備えている。このため、液晶パネルの温度変化にかかわりなく、表示画面の輝度、コントラストが一定になる。
【００３４】
構成５の液晶表示装置では、表示データを伝達する複数の信号線と制御信号を伝達する複数の走査線とが縦横に配線され、各信号線と各走査線との交差部にスイッチング素子１を介して画素電極２を配置した液晶パネルと、この液晶パネルの裏面に配置され、互いに間隔を置いた複数の第１バックライトと、第１バックライトに隣接し互いに間隔を置いた複数の第２バックライトとを備えている。
第１バックライトおよび第２バックライトを交互に点滅することで、擬似的なインパルス駆動が行われる。そして、画像のぼけが軽減され、フリッカーの発生が防止される。
【００３５】
構成６の液晶表示装置は、表示データを伝達する複数の信号線と制御信号を伝達する複数の走査線とが縦横に配線され、各信号線と各走査線との交差部にスイッチング素子を介して画素電極を配置した液晶パネルと、液晶パネルに対向して配置された導光板と、導光板の一端に配置され、導光板内に走査線の走査方向に沿って光を供給するバックライトとを備えている。導光板は、走査線の走査方向に沿って複数の照射領域を備えている。複数の照射領域の一部は、導光板に導入された光を集光し液晶パネルに向けて照射する。このとき、残りの照射領域は、光を集光しない。例えば、液晶パネルに表示データを表示する際に、集光制御される照射領域を、液晶パネルの制御に合わせて順次切り替えることで、容易にインパルス駆動ができる。このため、動画像のぼけが軽減され、フリッカーの発生が防止される。さらに、導光板に導入された光を効率よく使用できるため、消費電力が低減される。蛍光管を使用していないため、蛍光管の劣化による表示むらは発生しない。
【００３６】
構成７の液晶表示装置では、導光板内を進行する光を外部からの制御に応じて全反射または乱反射する複数の膜状の散乱部が、導光板における走査線の走査方向に沿って配置されている。導光板の照射領域は、これ等散乱部による光の乱反射により形成される。散乱部を外部から制御することで、導光板の所望の位置に照射領域を容易に形成できる。
【００３７】
構成８の液晶表示装置は、表示データを伝達する複数の信号線と制御信号を伝達する複数の走査線とが縦横に配線され、各信号線と各走査線との交差部にスイッチング素子を介して画素電極を配置した液晶パネルを備えている。１フレームの期間における表示画像を液晶パネルの外部に出力する期間である発光時間は、手動で調整される。このため、表示画像を見ている人が、この表示画像を最も見やすくなるように直接調整できる。例えば、発光時間は、静止画を見ているときに長くされ、動画像を見ているときに短くされる。このように、表示画像を見ている人の感覚に合わせて調整できるため、動画像のぼけが軽減され、フリッカーの発生が防止される。
【００３８】
構成９の液晶表示装置は、表示データを伝達する複数の信号線と制御信号を伝達する複数の走査線とが縦横に配線され、各信号線と各走査線との交差部にスイッチング素子を介して画素電極を配置した液晶パネルを備えている。１フレームの期間における表示画像を液晶パネルの外部に出力する期間である発光時間は、液晶パネルに表示される画像の動きの速さに応じて調整される。このため、例えば、動画像において発光時間を短くすることで、動画像のぼけが軽減され、フリッカーの発生が防止される。
【００３９】
構成１０の液晶表示装置は、表示データを伝達する複数の信号線と制御信号を伝達する複数の走査線とが縦横に配線され、各信号線と各走査線との交差部にスイッチング素子を介して画素電極を配置した液晶パネルを備えている。また、１フレームの期間中に表示画像を液晶パネルの外部に出力するホールド制御の機能と、１フレームの期間のうち所定の期間に表示画像を液晶パネルの外部に出力するインパルス制御の機能とを有している。そして、表示データが静止画のときにホールド制御され、動画像のときにインパルス制御される。このため、動画像においてぼけが軽減され、フリッカーの発生が防止される。
【００４０】
構成１１の液晶表示装置は、液晶パネルとバックライトとを備えている。液晶パネルは、表示データを伝達する複数の信号線と制御信号を伝達する複数の走査線とが縦横に配線され、各信号線と各走査線との交差部にスイッチング素子を介して画素電極を配置され、走査線の走査方向に沿ってｎ個に分割された複数の制御ブロックで構成されている。バックライトは、各制御ブロックに対向してそれぞれ配置されている。液晶パネルは、１フレームの期間に各走査線を１回走査し、表示データを画素電極に書き込むホールド駆動を行う。各制御ブロックにそれぞれ対応するバックライトは、対応する制御ブロックの走査直前に所定の期間点灯する。液晶パネルの各画素の応答時間は、「１フレーム時間×（ｎ−２）／ｎ」より小さくされている。このため、各画素は、バックライトが点灯するまでに確実に応答が完了する。この結果、動画像のぼけが低減される。
【００４１】
構成１２の液晶表示装置では、液晶パネルとバックライトとを備えている。
液晶パネルは、表示データを伝達する複数の信号線と制御信号を伝達する複数の走査線とが縦横に配線され、各信号線と各走査線との交差部にスイッチング素子を介して画素電極を配置され、走査線の走査方向に沿ってｎ個に分割された複数の制御ブロックで構成されている。バックライトは、各制御ブロックに対向してそれぞれ配置されている。液晶パネルは、１フレームの期間に各走査線を２回走査し、前記表示データとリセットデータとを前記画素電極に書き込むインパルス駆動を行う。各制御ブロックにそれぞれ対応するバックライトは、対応する制御ブロックの走査直前に所定の期間点灯する。液晶パネルの各画素の応答時間は、「１フレーム時間×[[(ｎ−１)／２ｎ]−(１／ｎ)]（ｎ：奇数）」、「１フレーム時間×[[(ｎ−２)／２ｎ]−(１／ｎ)]（ｎ：偶数）」より小さくされている。このため、各画素は、バックライトが点灯するまでに確実に応答が完了する。この結果、動画像のぼけが低減される。
【００４２】
構成１３の液晶表示装置は、表示データを伝達する複数の信号線と制御信号を伝達する複数の走査線とが縦横に配線され、各信号線と各走査線との交差部にスイッチング素子を介して画素電極を配置した液晶パネルと、液晶パネルに対向して配置された導光板と、導光板の一方の面に順次配置された第１偏光分離シート、走査線の走査方向に沿って複数に区画された液晶シャッター、第２偏光分離シート、および散乱シートと、導光板の一端に配置され、導光板内に走査線の走査方向に沿って光を供給するバックライトとを備えている。
【００４３】
導光板内を進行する光（非偏光光）のうち異常光成分は、第１偏光分離シートで反射され、導光板内を再び進行する。非偏光光のうち常光成分は、第１偏光分離シートを透過し、液晶シャッターに届く。ここで、液晶シャッターが複屈折状態の場合、第１偏光分離シートを透過した光は、位相を９０°ずらされ異常光成分として第２偏光分離シートに届く。光は、第２偏光分離シートで反射され、再び液晶シャッターで位相を９０°ずらされ元の常光成分に戻る。この後、光は、第１偏光分離シートを透過し、再び導光板内に戻される。一方、液晶シャッターが複屈折状態でない場合（透過状態）、光は常光成分のまま液晶シャッターおよび第２偏光分離シートを透過し、散乱シートで散乱される。光を反射する散乱シートの場合、散乱シートにより乱反射した光は、再び第２偏光分離シート、液晶シャッター、第１偏光分離シートを透過し、導光板内に戻る。このとき、光のほとんどの成分は、臨界角を超えるため、導光板を透過して液晶パネルに向けて照射される。すなわち、集光された光は、透過状態に制御された液晶シャッターの所定の領域からのみ照射される。
【００４４】
液晶シャッターの所定の領域を、液晶パネルの制御に合わせて順次透過状態にすることで、容易にインパルス駆動ができる。このため、動画像のぼけが軽減され、フリッカーの発生が防止される。さらに、導光板に導入された光を集光することで効率よく使用できるため、消費電力が低減される。蛍光管を使用していないため、蛍光管の劣化による表示むらは発生しない。
【００４５】
構成１４の液晶表示装置では、導光板内を進行する光の位相が、位相差シートによりずらされる。このため、常光成分を含まない光は、位相差シートで反射光の位相がずらされることで、常光成分を含むようになる。すなわち、偏光分離シートを透過する常光成分を増加させることができる。光の利用効率が向上するため、消費電力を低減できる。
【００４６】
構成１５の液晶表示装置では、導光板からの光は、プリズムにより反射され所定の方向に照射される。このため、光の照射強度を高くできる。
【００４７】
構成１６の液晶表示装置は、表示データを伝達する複数の信号線と制御信号を伝達する複数の走査線とが縦横に配線され、各信号線と各走査線との交差部にスイッチング素子を介して液晶からなる容量部を配置した液晶パネルを備えている。液晶パネルは、各容量部に並列に接続され、容量部より抵抗値の低い抵抗部を備えている。このため、表示データの書き込みにより充電された電荷は、抵抗部を介して徐々に放電される。表示データは、抵抗値に応じた所定の期間だけ表示される。すなわち、特別の制御回路を使用することなく、液晶セルのみでインパルス駆動できる。この結果、動画像のぼけを軽減でき、フリッカーの発生を防止できる。
【００４８】
構成１７の液晶表示装置では、一般の液晶セルに付加されている補助容量部を利用して、容易に抵抗部を形成できる。
【００４９】
構成１８の液晶表示装置では、表示データを書き込んだ後、容量部の電荷の放電により表示データが黒にリセットされる。このため、特別の制御回路を使用することなく、容易にインパルス駆動できる。
【００５０】
構成１９の液晶表示装置は、表示データを伝達する複数の信号線と制御信号を伝達する複数の走査線とが縦横に配線され、各信号線と各走査線との交差部に画素電極を配置した液晶パネルを備えている。画素電極は、互いに閾値電圧の異なる第１薄膜トランジスタおよび第２薄膜トランジスタに接続されている。また、走査線の走査方向に隣接する画素電極にそれぞれ接続される第１薄膜トランジスタのゲート電極および第２薄膜トランジスタのゲート電極は、同一の走査線に接続されている。一方の薄膜トランジスタは、表示データの書き込みに使用され、他方の薄膜トランジスタは、リセットデータの書き込みに使用される。第１および第２薄膜トランジスタは、閾値電圧が互いに異なるため、例えば、表示データの書き込み時にリセットデータが書き込まれることはない。リセットデータの書き込み時に、隣接する画素電極に表示データが書き込まれる。しかし、その直後にリセットデータが書き込まれる。このため、誤った表示データが表示されることはない。このように、表示データとリセットデータとを交互に書き込むインパルス駆動ができる。この結果、動画像のぼけを軽減でき、フリッカーの発生を防止できる。
【００５１】
構成２０の液晶表示装置では、各走査線は、１フレームの期間に、異なる電圧で２回選択される。まず、所定の電圧で走査線が選択される。一方の薄膜トランジスタはオンし、所定の画素電極に表示データが書き込まれる。このとき、他方の薄膜トランジスタはオフしている。次に、高い電圧で走査線が選択される。他方の薄膜トランジスタはオンし、所定の画素電極にリセットデータが書き込まれる。このとき、所定の画素電極に隣接する画素電極に接続される一方の薄膜トランジスタもオンし、表示データが書き込まれる。しかし、この直後の走査で、隣接する画素電極に接続される他方の薄膜トランジスタはオンする。このため、この表示データが表示されることはない。
【００５２】
構成２１の液晶表示装置では、表示データは、信号線および第１薄膜トランジスタを介して画素電極に書き込まれる。リセットデータは、リセットデータに対応する電圧が供給される電極および第１薄膜トランジスタより閾値電圧の高い第２薄膜トランジスタを介して画素電極に書き込まれる。
【００５３】
構成２２の液晶表示装置は、表示データを伝達する複数の信号線と制御信号を伝達する複数の走査線とが縦横に配線され、各信号線と各走査線との交差部に液晶セルを配置した液晶パネルと、液晶パネルに対向して配置され、走査線の走査方向に複数の発光部に区画されたバックライト機構とを備えている。液晶表示装置は、各発光部を順次に点灯させ、発光部の消灯期間にこの発光部に対応する走査線を走査し、表示データの液晶セルへの書き込みを開始するインパルス駆動を行う。ここで、発光部の区画数、発光部の１フレームの期間における点灯期間の比率（duty比）、および液晶セルの応答時間は、発光部の点灯後における液晶セルの過渡応答による輝度の変化が発光部の点灯期間における輝度の５％以下になるように決められている。一般に、上記輝度の変化が５％を超えると、画像のぼけだけではなく、画像が２重に見えるゴーストが発生する。上記輝度の変化を５％以下にすることで、画像のぼけを防止できるとともに、ゴーストの発生を防止できる。応答時間の速い液晶セルを採用して動画像の品質を向上することは従来から試されている。しかし、上記インパルス駆動においてゴーストを防止するためには、液晶セルの応答時間、発光部の区画数、発光部のduty比の３条件を最適にする必要がある。発光部の区画数が多いほど、ゴーストは低減される。発光部のduty比が小さいほど、ゴーストは低減される。
【００５４】
構成２３の液晶表示装置では、同時に点灯する点灯機構の数がフレーム毎に変わり、発光部の領域が変化する。このため、フレーム毎に点灯する発光部の境界は異なる。発光部の境界をフレーム毎に移動することで、境界部分を見えにくくできる。
【００５５】
構成２４の液晶表示装置は、表示データを伝達する複数の信号線と制御信号を伝達する複数の走査線とが縦横に配線され、各信号線と各走査線との交差部に液晶セルを配置した液晶パネルと、液晶パネルに対向して配置されたバックライト機構とを備えている。液晶表示装置は、バックライト機構を点滅させながら、走査線を順次に走査して、表示データを液晶セルへの書き込むインパルス駆動を行う。ここで、バックライト機構が消灯する前後における所定の期間に液晶セルに書き込まれる表示データは、動き補償を行うことで生成されたバックライト機構が点灯する際の予測データである。このため、液晶表示装置が実際に画像を表示するタイミング（バックライト機構の点灯時）に対応した表示データが生成される。この結果、動画像のぼけおよびぎこちない動きが防止される。すなわち、動画像の品質が向上する。
【００５６】
構成２５の液晶表示装置では、動き補償は、当該フレームの表示データおよび他のフレームの表示データを使用して容易な手法かつ精度よく行われる。
【００５７】
構成２６の液晶表示装置の制御方法では、表示データを伝達する複数の信号線と制御信号を伝達する複数の走査線とが縦横に配線され、各信号線と各走査線との交差部にスイッチング素子を介して画素電極を縦横に配置した液晶パネルを備えた液晶表示装置が制御される。この液晶パネルは、第１画素領域と、第１画素領域に隣接する第２画素領域とに区画されている。そして、各走査線に伝達される制御信号が、１画面を表示する１フレームの期間に２回活性化され、インパルス駆動が行われる。各制御信号の一方の活性化時に、第１画素領域に表示データが書き込まれ、第２画素領域に黒を表示させるリセットデータが書き込まれる。また、各制御信号の他方の活性化時に、第１画素領域にリセットデータが書き込まれ、第２画素領域に前記表示データを書き込まれる。画素領域にリセットデータを書き込むことで、直前に書き込まれていた表示データはリセットされる。連続した複数のフレームでは、画素領域に書き込まれた表示データは、１フレームの期間内に必ずリセットされる。このため、表示画像のぼけが軽減される。表示データの書き込みとリセットとが、第１画素領域、第２画素領域に分散して行われるため、表示画面にフリッカーが発生することが防止される。
【００５８】
構成２７の液晶表示装置の制御方法では、各バックライトを、第１画素領域および第２画素領域への表示データの書き込みに同期してそれぞれ点灯する。各バックライトを、第１画素領域および第２画素領域へのリセットデータの書き込みに同期してそれぞれ消灯する。このため、表示データの書き込み時とリセットデータの書き込み時とでコントラスト比を大きくすることが可能になり、見やすい画面が構成される。
【００５９】
構成２８の液晶表示装置の制御方法では、液晶表示装置は、表示データを伝達する複数の信号線と制御信号を伝達する複数の走査線とが縦横に配線され、各信号線と各走査線との交差部にスイッチング素子を介して画素電極を配置した液晶パネルを備えている。液晶表示装置は、液晶パネルの温度変化に対応してガンマ補正を行う。このため、液晶パネルの温度変化にかかわりなく、表示画面の輝度、コントラストが一定になる。
【００６０】
構成２９の液晶表示装置の制御方法では、表示データを伝達する複数の信号線と制御信号を伝達する複数の走査線とが縦横に配線され、各信号線と各走査線との交差部にスイッチング素子を介して画素電極を配置した液晶パネルと、この液晶パネルの裏面に配置され、互いに間隔を置いた複数の第１バックライトと、第１バックライトに隣接し互いに間隔を置いた複数の第２バックライトとを備えた液晶表示装置が制御される。すなわち、第１バックライトおよび第２バックライトを交互に点滅することで、擬似的なインパルス駆動が行われる。そして、画像のぼけが軽減され、フリッカーの発生が防止される。
【００６１】
構成３０の液晶表示装置の制御方法では、１フレームの期間における表示画像を液晶パネルの外部に出力する期間である発光時間は、手動で調整される。このため、表示画像を見ている人が、この表示画像を最も見やすくなるように直接調整できる。例えば、発光時間は、静止画を見ているときに長くされ、動画像を見ているときに短くされる。このように、表示画像を見ている人の感覚に合わせて調整できるため、動画像のぼけが軽減され、フリッカーの発生が防止される。
【００６２】
構成３１の液晶表示装置の制御方法では、１フレームの期間における表示画像を液晶パネルの外部に出力する期間である発光時間は、液晶パネルに表示される画像の動きの速さに応じて調整される。このため、例えば、動画像において発光時間を短くすることで、動画像のぼけが軽減され、フリッカーの発生が防止される。
【００６３】
構成３２および構成３３の液晶表示装置の制御方法では、データドライバは、タイミング信号の活性化期間中に表示データを信号線に出力する。ゲートドライバは、ゲートパルスを走査線に順次に出力する。スイッチング素子は、ゲートパルスにより制御され、信号線と走査線との交差部に配置された画素電極に表示データまたはリセットデータが書き込まれる。データドライバは、一水平周期中におけるタイミング信号の活性化期間中に表示データを出力し、非活性化期間中にリセットデータを出力する。表示データおよびリセットデータの出力タイミングに合わせてゲートドライバを制御し、１フレームの期間に表示データとリセットデータを書き込むことで、インパルス駆動ができる。この結果、動画像のぼけを軽減でき、フリッカーの発生を防止できる。
【００６４】
構成３４の液晶表示装置の制御方法では、リセットデータの書き込みが、非走査期間にも行われる。このため、リセットデータの書き込みは、表示データの書き込みから常に一定時間後に行われる。この結果、どの画素電極においても、表示データの表示期間が等しくなり、リセットデータの表示期間が等しくなる。したがって、液晶パネルにおける表示データの明るさを均一にでき、輝度むらの発生を防止できる。
【発明の効果】
【００６５】
構成１の液晶表示装置では、表示画像のぼけを軽減することができ、表示画面にフリッカーが発生することを防止することができる。
【００６６】
構成２の液晶表示装置では、表示データの書き込み時とリセットデータの書き込み時とでコントラスト比を大きくすることができ、見やすい画面を構成することができる。また、消費電力を低減することができる。
【００６７】
構成３の液晶表示装置では、導光板を設けることで、蛍光管の数を最小限にすることができる。
【００６８】
構成４の液晶表示装置では、液晶パネルの温度変化に対応してガンマ補正をそれぞれ行う制御回路とを備えたので、液晶パネルの温度変化にかかわりなく、表示画面の輝度、コントラストを一定にすることができる。
【００６９】
構成５の液晶表示装置では、第１バックライトおよび第２バックライトを交互に点滅し擬似的なインパルス駆動を行うことで、画像のぼけを軽減することができ、フリッカーの発生を防止することができる。
【００７０】
構成６の液晶表示装置では、液晶パネルに表示データを表示する際に、集光制御される照射領域を、液晶パネルの制御に合わせて順次切り替えることで、容易にインパルス駆動ができる。このため、動画像のぼけを軽減でき、フリッカーの発生を防止できる。さらに、導光板に導入された光を効率よく使用できるため、消費電力を低減できる。蛍光管を使用していないため、蛍光管の劣化による表示むらは発生しない。
【００７１】
構成７の液晶表示装置では、散乱部を外部から制御することで、導光板の所望の位置に照射領域を容易に形成できる。
【００７２】
構成８の液晶表示装置では、表示画像を見ている人が、この表示画像を最も見やすくなるように直接調整できる。表示画像を見ている人の感覚に合わせて表示画像を調整できるため、動画像のぼけを軽減でき、フリッカーの発生を防止できる。
【００７３】
構成９の液晶表示装置では、動画像において発光時間を短くすることで、動画像のぼけを軽減され、フリッカーの発生を防止される。
【００７４】
構成１０の液晶表示装置では、表示データが静止画のときにホールド制御され、動画像のときにインパルス制御されることで、動画像においてぼけを軽減でき、フリッカーの発生を防止できる。
【００７５】
構成１１の液晶表示装置では、液晶パネルの各画素の応答時間は、「１フレーム時間×（ｎ−２）／ｎ」より小さくされている。このため、各画素は、バックライトが点灯するまでに確実に応答を完了できる。この結果、動画像のぼけを低減できる。
【００７６】
構成１２の液晶表示装置では、液晶パネルの各画素の応答時間は、「１フレーム時間×[[(ｎ−１)／２ｎ]−(１／ｎ)]（ｎ：奇数）」、「１フレーム時間×[[(ｎ−２)／２ｎ]−(１／ｎ)]（ｎ：偶数）」より小さくされている。このため、各画素は、バックライトが点灯するまでに確実に応答を完了できる。この結果、動画像のぼけを低減できる。
【００７７】
構成１３の液晶表示装置では、液晶シャッターの所定の領域を、液晶パネルの制御に合わせて順次透過状態にすることで、容易にインパルス駆動ができる。
このため、動画像のぼけを軽減でき、フリッカーの発生を防止できる。さらに、導光板に導入された光を集光することで効率よく使用できるため、消費電力が低減できる。蛍光管を使用していないため、蛍光管の劣化による表示むらは発生しない。
【００７８】
構成１４の液晶表示装置では、偏光分離シートを透過する常光成分を増加させることができる。光の利用効率が向上するため、消費電力を低減できる。
【００７９】
構成１５の液晶表示装置では、光の照射強度を高くできる。
【００８０】
構成１６の液晶表示装置では、特別の制御回路を使用することなく、液晶セルのみでインパルス駆動できる。この結果、動画像のぼけを軽減でき、フリッカーの発生を防止できる。
【００８１】
構成１７の液晶表示装置では、一般の液晶セルに付加している補助容量部を利用して、容易に抵抗部を形成できる。
【００８２】
構成１８の液晶表示装置では、特別の制御回路を使用することなく、容易にインパルス駆動できる。
【００８３】
構成１９ないし構成２１の液晶表示装置では、互いに閾値電圧の異なる第１薄膜トランジスタおよび第２薄膜トランジスタを使用して、表示データとリセットデータとを交互に書き込むインパルス駆動ができる。この結果、動画像のぼけを軽減でき、フリッカーの発生を防止できる。
【００８４】
構成２２の液晶表示装置では、発光部の区画数、発光部の１フレームの期間における点灯期間の比率（duty比）、および液晶セルの応答時間は、発光部の点灯後における液晶セルの過渡応答による輝度の変化が発光部の点灯期間における輝度の５％以下になるように決められている。この結果、画像のぼけを防止できるとともに、ゴーストの発生を防止できる。
【００８５】
構成２３の液晶表示装置では、発光部の境界をフレーム毎に移動することで、境界部分を見えにくくできる。
【００８６】
構成２４および構成２５の液晶表示装置では、液晶表示装置が実際に画像を表示するタイミング（バックライト機構の点灯時）に対応した表示データを生成できる。この結果、動画像のぼけおよびぎこちない動きを防止できる。すなわち、動画像の品質が向上する。
【００８７】
構成２６の液晶表示装置の制御方法では、表示画像のぼけを軽減することができ、表示画面にフリッカーが発生することを防止することができる。
【００８８】
構成２７の液晶表示装置の制御方法では、表示データの書き込み時とリセットデータの書き込み時とでコントラスト比を大きくすることができ、見やすい画面を構成することができる。
【００８９】
構成２８の液晶表示装置の制御方法では、液晶パネルの温度変化にかかわりなく、表示画面の輝度、コントラストを一定にすることができる。
【００９０】
構成２９の液晶表示装置の制御方法では、画像のぼけを軽減することができ、フリッカーの発生を防止することができる。
【００９１】
構成３０の液晶表示装置の制御方法では、表示画像を見ている人が、この表示画像を最も見やすくなるように直接調整できる。表示画像を見ている人の感覚に合わせて表示画像を調整できるため、動画像のぼけを軽減でき、フリッカーの発生を防止できる。
【００９２】
構成３１の液晶表示装置の制御方法では、動画像において発光時間を短くすることで、動画像のぼけを軽減でき、フリッカーの発生を防止できる。
【００９３】
構成３２および構成３３の液晶表示装置の制御方法では、データドライバは、一水平周期中におけるタイミング信号の活性化期間中に表示データを出力し、非活性化期間中にリセットデータを出力する。これ等表示データおよびリセットデータの出力タイミングに合わせてゲートドライバを制御し、１フレームの期間に表示データとリセットデータを書き込むことで、インパルス駆動ができる。
この結果、動画像のぼけを軽減でき、フリッカーの発生を防止できる。
【００９４】
構成３４の液晶表示装置の制御方法では、どの画素電極においても、表示データの表示期間を等しくでき、リセットデータの表示期間を等しくできる。したがって、液晶パネルにおける表示データの明るさを均一にできる。
【図面の簡単な説明】
【００９５】
【図１】構成１に記載の発明の基本原理を示すブロック図である。
【図２】構成２に記載の発明の基本原理を示すブロック図である。
【図３】本発明の液晶表示装置およびその制御方法の第１の実施形態を示すブロック図である。
【図４】図３の液晶表示装置に表示データを書き込む状態を示す説明図である。
【図５】本発明の液晶表示装置およびその制御方法の第２の実施形態を示すブロック図である。
【図６】図５の液晶表示装置に表示データを書き込む状態を示す説明図である。
【図７】本発明の液晶表示装置およびその制御方法の第３の実施形態を示す説明図である。
【図８】図７の液晶表示装置に表示データを書き込む状態を示す説明図である。
【図９】図７の液晶表示装置において蛍光管が点滅する状態を示す説明図である。
【図１０】本発明の液晶表示装置およびその制御方法の第４の実施形態を示す説明図である。
【図１１】図１０の液晶表示装置に表示データを書き込む状態を示す説明図である。
【図１２】図１０の液晶表示装置において発光ダイオードが点滅する状態を示す説明図である。
【図１３】本発明の液晶表示装置およびその制御方法の第５の実施形態を示すブロック図である。
【図１４】図１３の液晶表示装置において蛍光管が点滅する状態を示す説明図である。
【図１５】本発明の液晶表示装置およびその制御方法の第６の実施形態を示すブロック図である。
【図１６】本発明の液晶表示装置およびその制御方法の第７の実施形態を示す説明図である。
【図１７】図１６の液晶表示装置に表示データを書き込む状態を示すタイミング図である。
【図１８】本発明の液晶表示装置およびその制御方法の第８の実施形態を示す説明図である。
【図１９】図１８の液晶表示装置に表示データを書き込む状態を示すタイミング図である。
【図２０】本発明の液晶表示装置の第９の実施形態を示すブロック図である。
【図２１】図２０の液晶表示装置に表示データを書き込む状態を示すタイミング図である。
【図２２】本発明の液晶表示装置の第１０の実施形態を示すブロック図である。
【図２３】図２２の液晶表示装置に表示データを書き込む状態を示すタイミング図である。
【図２４】本発明の液晶表示装置の制御方法の第９の実施形態を示すブロック図である。
【図２５】本発明の液晶表示装置の制御方法の第１０の実施形態を示すブロック図である。
【図２６】本発明の液晶表示装置の制御方法の第１１の実施形態を示すブロック図である。
【図２７】本発明の液晶表示装置の第１１の実施形態を示すブロック図である。
【図２８】図２７のバックライトの詳細を示す説明図である。
【図２９】液晶パネルおよびバックライトの制御を示す説明図である。
【図３０】本発明の液晶表示装置の第１２の実施形態におけるバックライトの詳細を示す説明図である。
【図３１】液晶パネルおよびバックライトの制御を示す説明図である。
【図３２】バックライトの別の例を示す説明図である。
【図３３】本発明の液晶表示装置の第１３の実施形態におけるバックライトの詳細を示す説明図である。
【図３４】図３３の液晶フィルムの詳細を示す説明図である。
【図３５】通常の液晶フィルムの詳細を示す説明図である。
【図３６】本発明の液晶表示装置の第１４の実施形態におけるバックライトの詳細を示す説明図である。
【図３７】本発明の液晶表示装置の第１５の実施形態および液晶表示装置の制御方法の第１２の実施形態を示すブロック図である。
【図３８】本発明の液晶表示装置の第１６の実施形態および液晶表示装置の制御方法の第１３の実施形態を示すブロック図である。
【図３９】本発明の液晶表示装置の第１７の実施形態を示すブロック図である。
【図４０】本発明の液晶表示装置の第１８の実施形態を示す説明図である。
【図４１】本発明の液晶表示装置の第１９の実施形態を示す説明図である。
【図４２】図４１の詳細を示す説明図である。
【図４３】本発明の液晶表示装置の第２０の実施形態を示す説明図である。
【図４４】本発明の液晶表示装置の第２１の実施形態を示す説明図である。
【図４５】本発明の液晶表示装置の第２２の実施形態を示す説明図である。
【図４６】本発明の液晶表示装置の第２３の実施形態を示す説明図である。
【図４７】本発明の液晶表示装置の第２４の実施形態を示す説明図である。
【図４８】本発明の液晶表示装置の第２５の実施形態を示すブロック図である。
【図４９】液晶セルの詳細を示す断面図である。
【図５０】液晶セルの等価回路である。
【図５１】液晶セルに表示データを書き込む状態を示す説明図である。
【図５２】等価回路のCR時定数による印加電圧の変化を示す説明図である。
【図５３】アモルファスシリコンのCR時定数による印加電圧の変化を示す説明図である。
【図５４】アモルファスシリコンの膜厚と面積とによる印加電圧の変化を示す説明図である。
【図５５】アモルファスシリコンの膜厚の変動による印加電圧の変化を示す説明図である。
【図５６】本発明の液晶表示装置の第２６の実施形態を示すブロック図である。
【図５７】ＴＦＴの詳細構造を示す断面図である。
【図５８】液晶パネルの動作を示す説明図である。
【図５９】本発明の液晶表示装置の第２７の実施形態を示すブロック図である。
【図６０】本発明の液晶表示装置の制御方法の第１４の実施形態を示すブロック図である。
【図６１】制御回路の詳細を示すブロック図である。
【図６２】制御回路の動作を示すタイミング図である。
【図６３】液晶パネルの動作を示すタイミング図である。
【図６４】液晶表示装置の表示の概要を示す説明図である。
【図６５】本発明の液晶表示装置の制御方法の第１５の実施形態を示すタイミング図である。
【図６６】本発明の液晶表示装置の制御方法の第１６の実施形態を示すタイミング図である。
【図６７】本発明の液晶表示装置の制御方法の第１７の実施形態を示すタイミング図である。
【図６８】本発明の液晶表示装置の第２８の実施形態を示すブロック図である。
【図６９】液晶表示装置の各条件を決める根拠を示す説明図である。
【図７０】液晶の応答時間を測定する場合の基準を示す説明図である。
【図７１】画像のゴースト、ぼけを発生させないための条件を示す説明図である。
【図７２】本発明の液晶表示装置の第２９の実施形態を示すブロック図である。
【図７３】発光部が形成される状態を示す説明図である。
【図７４】本発明の液晶表示装置の第３０の実施形態を示すブロック図である。
【図７５】補間回路の詳細を示すブロック図である。
【図７６】液晶表示装置の動作および動き補償の概要を示す説明図である。
【図７７】追加開示項（２）を示すブロック図である。
【図７８】従来の液晶表示装置の概要を示すブロック図である。
【図７９】図７８の液晶表示装置に表示データを書き込む状態を示すタイミング図である。
【図８０】従来のCRTの駆動電圧の波形を示すタイミング図である。
【図８１】従来の液晶表示装置において、インパルス駆動を行う状態を示すタイミング図である。
【図８２】図８１のインパルス駆動を行った場合の画面の表示例を示す説明図である。
【発明を実施するための形態】
【００９６】
以下、本発明の実施形態を図面を用いて説明する。
（液晶表示装置の第１の実施形態、液晶表示装置の制御方法の第１の実施形態）
この実施形態は、構成１および構成２６に対応している。
【００９７】
図３は、この実施形態で使用されるＴＦＴ駆動液晶表示装置の概要を示している。
【００９８】
この液晶表示装置は、マトリックス状に配置されたＴＦＴ、画素電極１２を備えている。スイッチング素子であるＴＦＴのゲート電極は、走査線G1、G2、...、Gnに接続されている。走査線G1、G2、...、Gnは、Ｙドライバ１４から出力されるゲート信号を伝達する信号線である。ＴＦＴのドレイン電極は、信号線D1、D2、...、Dmに接続されている。信号線D1、D2、...、Dmは、Ｘドライバ１６から出力されるデータ信号を伝達する信号線である。ＴＦＴのソース電極は、画素電極１２に接続されている。
【００９９】
また、対向電極（図示せず）が、画素電極１２に対向して配置されている。液晶（図示せず）は、画素電極１２と対向電極とに挟持され、液晶セルＣが形成されている。そして、縦横に配列された液晶セルＣにより、液晶パネルＡが構成されている。この実施形態では、液晶セルＣは、例えば応答時間が約２ｍｓと短いπセルにより構成されている。なお、液晶パネルＡは、他の液晶表示モードであるＴＮ形ＬＣＤ、横電界駆動型ＬＣＤなどを使用することも可能である。
【０１００】
Ｙドライバ１４、Ｘドライバ１６は、制御回路１８により制御されている。制御回路１８は、外部から表示データを受けている。Ｙドライバ１４、Ｘドライバ１６、および制御回路１８は、図１に示した制御回路６に対応している。
【０１０１】
液晶パネルＡは、互いに間隔を置いた複数の第１画素領域２０と、これ等第１画素領域２０に隣接し互いに間隔を置いた第２画素領域２２とに区画されている。第１画素領域２０および第２画素領域２２は、各走査線に沿って帯状に形成されている。
【０１０２】
図４は、上述した液晶表示装置に表示データを書き込む状態を示している。なお、液晶パネルＡは、説明を簡単にするため、縦６画素、横８画素としている。
すなわち、液晶パネルＡは、６本の走査線G1-G6および８本の信号線D1-D8により駆動される。
【０１０３】
走査線G1-G6は、図の波形に示したように、１画面を表示する１フレームの期間（１６ｍｓ）に２回活性化され、Ｈパルスのゲート信号を液晶パネルＡに伝達する。したがって、各液晶セルＣは、１フレームの期間に２つのデータを表示することができる。図３に示したＹドライバ１４は、各走査線G1-G6を位相をずらして配列順に活性化し、いわゆる線順次走査を行う。このため、Ｙドライバ１４等の制御回路は、従来の回路を大幅に変更することなく構成される。ここでは、１フレームの期間のうち、走査線G1-G6の１回目の活性化が行われる期間を第１フィールドと称し、走査線G1-G6の２回目の活性化が行われる期間を第２フィールドと称する。
【０１０４】
図３に示した制御回路１８は、１フレームの期間に２画面分の表示データを受け取る。制御回路１８は、第１フィールドにおいて、最初に受けた表示データのうち第１画素領域２０に対応するデータをこの領域２０に書き込み、リセットデータとして黒データを第２画素領域２２に書き込む。ここで、表示データが書き込まれた液晶セルＣは、白で示し、黒データが書き込まれた液晶セルＣは、網掛けで示している。この結果、図４の表示画面（ａ）に示すように、第１フィールドが終了した時点で、表示データは、１本の走査線にそれぞれ対応して１ラインおきに書き込まれる。例えば、走査線G1と信号線D1とが交差する太枠で示した液晶セルＣは、図に波形で示したように、第１フィールドにおいて透過光量が増大し、白が表示される。
【０１０５】
制御回路１８は、上記のように最初に受けた表示データのうち第２画素領域２２に対応する表示データを捨て、代わりに黒データを書き込む制御を行う。表示データの黒データへの変換は、簡単なゲート回路で行うことができる。また、この実施形態では、表示データの一部をバッファメモリ等に蓄えておく必要はない。このため、制御回路１８のうち変換処理に必要な回路は、最小限の規模になる。また、黒データの変換時の制御は簡単に行える。
【０１０６】
次に、制御回路１８は、第２フィールドにおいて、２回目に受けた表示データのうち第２画素領域２２に対応するデータをこの領域２２に書き込み、リセットデータとして黒データを第１画素領域２０に書き込む制御を行う。制御回路１８は、最初に受けた表示データのうち第１画素領域２０に対応する表示データは捨て、代わりに黒データを書き込む。この結果、図４の表示画面（ｂ）に示すように、第１フィールドで表示データが書き込まれた第１画素領域２０の表示は、黒データによりリセットされる。
【０１０７】
制御回路１８は、上述した書き込み動作を繰り返して行うことで、第１画素領域２０に書き込まれた表示データと第２画素領域２２に書き込まれた表示データとを交互にリセット（黒）する。このため、動画像における尾引き等のぼけが発生することが防止される。
【０１０８】
図４の表示画面（ｃ）は、第１フィールドにおいて走査線G3が活性化されたときの状態を示している。表示データが隣接する複数ラインに表示されるのは、走査線G3により制御されるラインとその隣接するラインの２ラインだけである。その他のラインは、表示データと黒データとが交互に表示されている。
【０１０９】
図４の表示画面（ｄ）は、第１フィールドにおいて走査線G4が活性化されたときの状態を示している。黒データが隣接する複数ラインに表示されるのは、走査線G4により制御されるラインとその隣接するラインの２ラインだけである。その他のラインは、表示データと黒データとが交互に表示されている。
【０１１０】
このように、表示データおよび黒データの書き込みが、液晶パネル２０のまとまった領域でなく、複数の第１画素領域２０、第２画素領域２２に分散して行われるため、フリッカーが表示画面に発生することが防止される。
【０１１１】
以上、本発明の液晶表示装置および液晶表示装置の制御方法では、液晶パネルＡを互いに分散された複数の第１画素領域２０と第２画素領域２２とに区画し、これ等領域２０、２２に交互に表示データとリセットデータとを書き込んだ。このため、表示画像のぼけを軽減することができ、フリッカーが表示画面に発生することを防止することができる。
【０１１２】
制御回路１８は、表示データの黒データへの変換処理を、表示データの一部を捨て、代わりに黒データを書き込むことで行った。このため、制御回路１８のうち変換処理を、簡単なゲート回路により行うことができる。したがって、制御回路１８の回路規模を最小限にすることができ、変換処理の制御を簡単に行うことができる。
【０１１３】
各走査線G1-G6は、従来と同様に線順次走査されるため、Ｙドライバ１４等の制御回路は、従来の回路を大幅に変更することなく構成することが可能である。すなわち、走査線の制御を簡単に行うことができる。
【０１１４】
なお、この実施形態では、応答時間が約２ｍｓのπセルを使用して液晶パネルＡを構成した例について述べた。本発明はかかる実施形態に限定されるものではない。例えば、応答時間が１６ｍｓ程度の液晶セルを用いてもよい。この場合、１フレームの期間を、例えば３２ｍｓにすることで、第１の実施形態と同様の効果を得ることができる。液晶セルは、垂直配向で、液晶パネルに対して水平の電界を一部に含み、誘電率εの異方性が正のVA（Vertical Alignment）型、垂直配向、垂直電界で誘電率εの異方性が負のMVA（Multi-domain Vertical Alignment）型、水平配向、水平電界のIPS（In Plane Switching）型等を使用することが考えられる。
（液晶表示装置の第２の実施形態、液晶表示装置の制御方法の第２の実施形態）
この実施形態は、構成１および構成２６に対応している。第１の実施形態と同一の要素については、同一の符号を付し、これ等については、詳細な説明を省略する。
【０１１５】
図５は、この実施形態で使用されるＴＦＴ駆動液晶表示装置の概要を示している。この実施形態では、第１画素領域２０および第２画素領域２２が液晶セルＣごとに格子状に形成されている。制御回路２４は、外部から伝達される表示データの一部を保持するバッファメモリ２４ａを備えている。その他の構成は、上述した第１の実施形態と同一である。
【０１１６】
図６は、上述した液晶表示装置に表示データを書き込む状態を示している。
【０１１７】
この実施形態では、図５に示した制御回路２４は、１フレームの期間（１６ｍｓ）に、１画面分の表示データを受け取る。制御回路１８は、第１フィールドにおいて、取り込んだ表示データのうち第１画素領域２０に対応するデータをこの領域２０に書き込み、リセットデータとして黒データを第２画素領域２２に書き込む。すなわち、制御回路２４は、Ｘドライバ１６に対して表示データとリセットデータである黒データとを交互に出力する。信号線D1-Dmには、１本おきに表示データと黒データとが伝達される。制御回路１８は、表示データのうち第１フィールドで黒データを書き込む第１画素領域２２に対応するデータをバッファメモリ２４ａに一時保持する。なお、Ｙドライバ１４が行う走査線G1-Gnの制御は第１の実施形態と同じである。
【０１１８】
この結果、図６の表示画面（ａ）に示すように、第１フィールドが終了した時点で、液晶パネルＡには、市松模様のデータが表示される。例えば、走査線G1と信号線D1とが交差する太枠で示した液晶セルＣは、波形で示したように、第１フィールドにおいて透過光量が増大し、白が表示される。
【０１１９】
次に、制御回路２４は、第２フィールドにおいて、バッファメモリ２４ａに保持している表示データを読み出し、このデータを第２画素領域２２に書き込み、リセットデータとして黒データを第１画素領域２０に書き込む制御を行う。この結果、図６の表示画面（ｂ）に示すように、第１フィールドで表示データが書き込まれた第１画素領域２０の表示は、黒データによりリセットされる。
【０１２０】
制御回路１８は、上述した書き込み動作を繰り返して行うことで、第１画素領域２０に書き込まれた表示データと第２画素領域２２に書き込まれた表示データとを交互にリセット（黒）する。このため、動画像における尾引き等の画像のぼけが発生することが防止される。
【０１２１】
図６の表示画面（ｃ）は、走査線G3が第１フィールドにおいて活性化されたときの状態を示している。表示データが、連続する複数の液晶セルＣに表示されるのは、走査線G3により制御されるラインにおける互いに離れた液晶セルＣと、その隣接するラインの液晶セルＣだけである。このため、表示データが、走査線方向に連続する複数の液晶セルＣに表示されることはない。その他の液晶セルＣには、表示データと黒データとが交互に表示されている。
【０１２２】
図６の表示画面（ｄ）は、走査線G4が第１フィールドにおいて活性化されたときの状態を示している。黒データが、連続する複数の液晶セルＣに表示されるのは、走査線G4により制御されるラインにおける互いに離れた液晶セルＣと、その隣接するラインの液晶セルＣだけである。このため、黒データが走査線方向に連続する複数の液晶セルＣに表示されることはない。その他のラインは、表示データと黒データとが交互に表示されている。
【０１２３】
このように、表示データおよび黒データの書き込みが、複数の第１画素領域２０、第２画素領域２２（すなわち、各液晶セルＣごと）に交互に分散して行われるため、フリッカーが表示画面に発生することが防止される。
【０１２４】
この実施形態においても、上述した第１の実施形態と同様の効果を得ることができる。さらに、この実施形態では、第１画素領域２０および第２画素領域２２を走査線方向にも区画した。このため、フリッカーが表示画面に発生することをより確実に防止することができる。
（液晶表示装置の第３の実施形態、液晶表示装置の制御方法の第３の実施形態）
図７は、この実施形態で使用されるＴＦＴ駆動液晶表示装置の概要を示している。この実施形態は、構成１、構成２、および構成２７に対応している。第１の実施形態と同一の要素については、同一の符号を付し、これ等については、詳細な説明を省略する。
【０１２５】
この実施形態では、液晶パネルＡは、２つの帯状の第１画素領域２０と、２つの帯状の第２画素領域２２とを交互に有している。
【０１２６】
第１画素領域２０、第２画素領域２２は、それぞれ２ライン分の液晶セルＣに対応して区画されている。なお、液晶パネルＡは、説明を簡単にするため、縦８画素、横８画素としている。実際には、液晶セルＣの高さおよび幅は、約０．３ｍｍであり、第１画素領域２０、第２画素領域２２は、それぞれ数ラインから数十ラインあるいは数百、数千ラインの液晶セルＣに対応して区画されている。
【０１２７】
また、ポリカーボネイト等の透明な樹脂からなる導光板２６が、液晶パネルＡの背面側における第１画素領域２０、第２画素領域２２に対向する位置にそれぞれ配置されている。各導光板２６が互いに接する端面は、微細な凹凸加工が施されている。この凹凸により、導光板２６の端面に導かれた光は乱反射し、導光板２６の継ぎ目が目立たなくなる。導光板２６の長手方向の一端には、バックライトとして蛍光管F1-F4がそれぞれ取り付けられている。その他の構成は、制御回路（図示せず）が蛍光管F1-F4を制御する機能を有することを除き、上述した第１の実施形態と同一である。
【０１２８】
図８は、上述した液晶表示装置に表示データを書き込む状態を示している。
【０１２９】
走査線G1-G8は、図の波形に示したように、１画面を表示する１フレームの期間（１６ｍｓ）に２回活性化され、いわゆる線順次走査が行われる。そして、第１フィールドにおいて、表示データのうち第１画素領域２０に対応するデータがこの領域２０に書き込まれ、リセットデータとして黒データが第２画素領域２２に書き込まれる。第２フィールドにおいて、表示データのうち第２画素領域２２に対応するデータがこの領域２２に書き込まれ、リセットデータとして黒データが第１画素領域２０に書き込まれる。
【０１３０】
また、走査線G1-G8の制御に合わせて蛍光管F1-F4を点滅する制御が行われる。
例えば、第１フィールドにおいて、走査線G1の活性化に同期して蛍光管F1が点灯される。走査線G5の活性化に同期して蛍光管F3が点灯される。同様に、走査線G4、G8の活性化に同期して蛍光管F2、F4が消灯される。第２フィールドにおいて、走査線G2、G6の活性化に同期して蛍光管F1、F3が消灯され、走査線G3、G7の活性化に同期して蛍光管F2、F4が点灯される。
【０１３１】
図８の表示画面（ａ）は、第１フィールドにおいて走査線G8が活性化されたときの状態を示している。点灯している蛍光管F1、F3は、図中、白抜きで示している。同様に、図８の表示画面（ｂ）は、第２フィールドにおいて走査線G8が活性化されたときの状態を示している。すなわち、この実施形態では、表示データを書き込む第１画素領域２０、第２画素領域２２に対応する蛍光管を点灯させ、黒データを書き込む第１画素領域２０、第２画素領域２２に対応する蛍光管を消灯する制御が行われる。この制御は図示しない制御回路により行われる。この結果、黒データが表示される際の輝度は低下し、表示データと黒データとのコントラスト比が上がる。したがって、見やすい画面が構成される。また、表示データを表示しない第１画素領域２０、第２画素領域２２に対応する蛍光管は消灯されるため、消費電力が低減される。
【０１３２】
図９（ａ）、（ｂ）は、第１フィールドにおいて走査線G3が活性化されたときの状態と、第２フィールドにおいて走査線G3が活性化されたときの状態を示している。
【０１３３】
図９（ａ）において、蛍光管F2の消灯は、走査線G3に対応するラインに黒データが書き込まれたときには行われない。これは、第１フィールドにおいて走査線G3の活性化時に、走査線G4に対応するラインに表示データが表示されているためである。蛍光管F2の消灯は、図８の波形に示したように、走査線G4の活性化に同期して行われる。
【０１３４】
これに対し、図９（ｂ）において、蛍光管F2の点灯は、走査線G3の活性化に同期して行われる。これは、第２フィールドにおいて走査線G3の活性化時に、この走査線G3に対応するラインに表示データが表示されるためである。これらの点灯、消灯のタイミングにより、最も明るい表示が可能になる。
【０１３５】
この実施形態においても、上述した第１の実施形態と同様の効果を得ることができる。さらに、この実施形態では、液晶パネルＡの背面側にバックライトを取り付けたので、表示データの書き込み時とリセットデータである黒データの書き込み時とでコントラスト比を大きくすることができ、見やすい画面を構成することができる。
【０１３６】
蛍光管F1-F4を使用したので、第１画素領域および第２画素領域に合わせて、容易にバックライトを構成することができる。
【０１３７】
第１画素領域および第２画素領域の大きさに合わせて導光板２６を設けたので、使用する蛍光管の数を最小限にすることができる。
【０１３８】
なお、この実施形態では、蛍光管F1-F4を点灯した後に消灯した例について述べた。本発明はかかる実施形態に限定されるものではない。例えば、蛍光管F1-F4は、完全に消灯するのでなく、輝度を弱くしてもよい。
（液晶表示装置の第４の実施形態、液晶表示装置の制御方法の第４の実施形態）
図１０は、この実施形態で使用されるＴＦＴ駆動液晶表示装置の概要を示している。この実施形態は、構成２および構成２７に対応している。第１の実施形態と同一の要素については、同一の符号を付し、これ等については、詳細な説明を省略する。
【０１３９】
この実施形態では、液晶パネルＡは、４つの第１画素領域２０と、４つの第２画素領域２２とを互いに隣接させて格子状に区画されている。なお、液晶パネルＡは、説明を簡単にするため、縦８画素、横８画素としている。また、発光ダイオードL1-L8が、液晶パネルＡの背面側における第１画素領域２０、第２画素領域２２に対向する位置にそれぞれ配置されている。すなわち、発光ダイオードL1-L8は、縦２画素、横４画素に対応して配置されている。実際には、第１画素領域２０、第２画素領域２２は、それぞれ数十画素から数百画素の液晶セルＣに対応して区画されている。その他の構成は、制御回路（図示せず）が発光ダイオードL1-L8を制御する機能を有することを除き、上述した第１の実施形態と同一である。
【０１４０】
なお、発光ダイオードL1-L8の代わりに上述した第３の実施形態のように、蛍光管と導光板を用いてもよい。
【０１４１】
図１１は、上述した液晶表示装置に表示データを書き込む状態を示している。
【０１４２】
走査線G1-G8は、波形で示すように、１画面を表示する１フレームの期間（１６ｍｓ）に２回活性化され、いわゆる線順次走査が行われる。第１フィールドにおいて、表示データのうち第１画素領域２０に対応するデータがこの領域２０に書き込まれ、リセットデータとして黒データが第２画素領域２２に書き込まれる。第２フィールドにおいて、表示データのうち第２画素領域２２に対応するデータがこの領域２２に書き込まれ、リセットデータとして黒データが第１画素領域２０に書き込まれる。
【０１４３】
また、走査線G1-G8の制御に合わせて発光ダイオードを点滅する制御が行われる。例えば、第１フィールドにおいて、走査線G1の活性化に同期して発光ダイオードL1が点灯される。走査線G3、G5、G7の活性化に同期して発光ダイオードL6、L3、L8が点灯される。同様に、走査線G2、G4、G6、G8の活性化に同期して発光ダイオードL5、L2、L7、L4が消灯される。第２フィールドにおいて、走査線G1、G3、G5、G7の活性化に同期して発光ダイオードL5、L2、L7、L4が点灯され、走査線G2、G4、G6、G8の活性化に同期して発光ダイオードL1、L6、L3、L8が消灯される。
【０１４４】
図１１の表示画面（ａ）は、第１フィールドにおいて走査線G8が活性化されたときの状態を示している。点灯している発光ダイオードL1、L3、L6、L8は、図中、白抜きで示している。同様に、図１１の表示画面（ｂ）は、第２フィールドにおいて走査線G8が活性化されたときの状態を示している。すなわち、この実施形態では、表示データを書き込む第１画素領域２０、第２画素領域２２に対応する発光ダイオードを点灯させる制御が行われる。この制御は、図示しない制御回路により行われる。
【０１４５】
図１２（ａ）、（ｂ）は、第１フィールドにおいて走査線G3が活性化されたときの状態と、第２フィールドにおいて走査線G3が活性化されたときの状態を示している。
【０１４６】
図１２（ａ）において、発光ダイオードL2の消灯は、走査線G3に対応するラインに黒データが書き込まれたときには行われない。これは、第１フィールドにおいて走査線G3の活性化時に、走査線G4に対応するラインに表示データが表示されているためである。発光ダイオードL2の消灯は、図１１の波形に示したように、走査線G4の活性化に同期して行われる。逆に、発光ダイオードL2の点灯は、走査線G3が活性化されたときに行われる。これは、走査線G3に対応するラインに表示データが表示されるためである。
【０１４７】
これに対し、図１２（ｂ）において、発光ダイオードL2の点灯は、走査線G3の活性化に同期して行われる。これは、第２フィールドにおいて走査線G3の活性化時に、この走査線G3に対応するラインに表示データが表示されるためである。
【０１４８】
この実施形態においても、上述した第３の実施形態と同様の効果を得ることができる。
【０１４９】
なお、この実施形態では、バックライトとして発光ダイオードL1-L8を使用した例について述べた。本発明はかかる実施形態に限定されるものではない。例えば、バックライトは、ＰＤＰ（Plasma Display Panel）を用いて構成してもよく、この場合には、面積の小さい第１画素領域２０、第２画素領域２２を多数設けることができる。
（液晶表示装置の第５の実施形態、液晶表示装置の制御方法の第５の実施形態）
図１３は、この実施形態で使用されるＴＦＴ駆動液晶表示装置の概要を示している。この実施形態は、構成２および構成２７に対応している。第１および第３の実施形態と同一の要素については、同一の符号を付し、これ等については、詳細な説明を省略する。
【０１５０】
この実施形態では、液晶パネルＡは、２つの帯状の第１画素領域２０と、２つの帯状の第２画素領域２２とを交互に有している。第１画素領域２０、第２画素領域２２は、説明を簡単にするため、それぞれ１ライン分の液晶セルＣに対応して区画されている。実際には、第１画素領域２０、第２画素領域２２は、それぞれ数ラインから数十ラインまたは数百、数千ラインの液晶セルＣに対応して区画されている。また、蛍光管F1-F4が、液晶パネルＡの背面側における第１画素領域２０、第２画素領域２２に対向する位置にそれぞれ配置されている。実際には、各蛍光管F1-F4は、走査線方向に複数の蛍光管を並列して構成されている。制御回路３０は、Ｙドライバ１４、Ｘドライバ１６、および各蛍光管F1-F4を制御している。制御回路３０は、所定の周波数の交流電圧を、位相をずらして各蛍光管F1-F4に供給する機能を有している。
【０１５１】
図１４は、上述した液晶表示装置において蛍光管F1-F4が点滅する状態と走査線G1-G4が駆動される状態を示している。
【０１５２】
蛍光管F1-F4は、同一の周期で発光するが、その位相は所定だけずれている。
このため、蛍光管F1-F4の輝度が最大になる位相と輝度が最小になる位相とは、それぞれずれている。図１３に示した制御回路３０は、１フレームの周期を蛍光管F1-F4の発光周期に合わせ、走査線G1-G4を、それぞれ蛍光管F1-F4の輝度が最大および輝度が最小になるタイミングの少し前に活性化する。具体的には、走査線G1は、第１フィールドにおいて蛍光管F1の輝度が最大になる手前で活性化され、第２フィールドにおいて、蛍光管F1の輝度が最小になる手前で再び活性化される。走査線G2は、第１フィールドにおいて蛍光管F2の輝度が最小になる手前で活性化され、第２フィールドにおいて、蛍光管F2の輝度が最大になる手前で再び活性化される。走査線G3は、第１フィールドにおいて蛍光管F3の輝度が最大になる手前で活性化され、第２フィールドにおいて、蛍光管F3の輝度が最小になる手前で再び活性化される。走査線G4は、第１フィールドにおいて蛍光管F4の輝度が最小になる手前で活性化され、第２フィールドにおいて、蛍光管F4の輝度が最大になる手前で再び活性化される。
【０１５３】
第１フィールドにおいて、走査線G1、G3の活性化により、図１３に示した第１画素領域２０に表示データが書き込まれる。走査線G2、G4の活性化により、第２画素領域２２に黒データが書き込まれる。第１フィールドにおいて、走査線G1、G3の活性化により、第１画素領域２０に黒データが書き込まれる。走査線G2、G4の活性化により、第２画素領域２２に表示データが書き込まれる。
【０１５４】
したがって、各蛍光管F1-F4の輝度は、表示データの書き込み直後に最大になり、黒データの書き込み直後に最小になる。この結果、蛍光管F1-F4の点灯・消灯の制御を特別に行うことなく、フリッカーのない、コントラスト比の高い画像が表示される。
【０１５５】
この実施形態においても、上述した第１の実施形態と同様の効果を得ることができる。さらに、この実施形態では、制御回路３０は、１フレームの周期を蛍光管F1-F4に供給される交流電圧の周期に合わせて走査線G1-G4を制御したので、蛍光管F1-F4のオンオフ制御を特別に行うことなく、画面のコントラスト比を上げることができる。
（液晶表示装置の第６の実施形態、液晶表示装置の制御方法の第６の実施形態）
図１５は、この実施形態で使用されるＴＦＴ駆動液晶表示装置の概要を示している。この実施形態は、構成１、構成４、構成２６、および構成２８に対応している。第１および第３の実施形態と同一の要素については、同一の符号を付し、これ等については、詳細な説明を省略する。
【０１５６】
この実施形態では、制御回路３２は、ホールド駆動回路３４とインパルス駆動回路３６とガンマ補正用テーブル３８とを備えている。その他の構成は、上述した第５の実施形態と同一である。
【０１５７】
ガンマ補正用テーブル３８は、ホールド駆動時の補正データ、インパルス駆動時の補正データ、および液晶パネルＡの温度に対応した補正データを有している。
【０１５８】
制御回路３２は、例えば動画像を表示するときにインパルス駆動回路３６を活性化し、静止画像を表示するときにホールド駆動回路３４を活性化する。すなわち、この実施形態では、表示画面に応じてホールド駆動とインパルス駆動とを切り替え制御可能である。ここで、静止画像は写真に限らない。例えば、本発明の液晶表示装置が、パーソナルコンピュータに接続される場合、このコンピュータ上で使用される表計算用のソフトウエア等の画面は、静止画像として扱われる。
【０１５９】
また、制御回路３２は、１フレーム期間中に表示データの表示される割合が低いインパルス駆動を行う際に、蛍光管F1-F4の輝度をホールド駆動時に比べて上げる制御を行う。このため、ホールド駆動時とインパルス駆動時とで輝度のばらつきが低減される。
【０１６０】
制御回路３２は、ホールド駆動時とインパルス駆動時とでそれぞれ最適なガンマ補正を行う。
【０１６１】
さらに、制御回路３２は、液晶パネルＡの温度を温度検出信号として受け、この温度に応じて、ガンマ補正用テーブルから補正データを読み出す。制御回路３２は、この補正データに応じて表示データのガンマ補正を行い、各液晶セルＣへの書き込み電圧を調整する。
【０１６２】
液晶パネルＡの温度は、温度センサで検出してもよく、ＴＦＴ等の素子を流れる電流値をモニタすることで検出してもよい。
【０１６３】
この実施形態においても、上述した第１および第３の実施形態と同様の効果を得ることができる。さらに、この実施形態では、静止画像の表示をホールド駆動で行い、動画像の表示をインパルス駆動で行ったので、どの画像に対しても最適な画面表示を行うことができる。
【０１６４】
インパルス駆動時に蛍光管F1-F4の輝度を上げる制御を行ったので、ホールド駆動時とインパルス駆動時とで輝度のばらつきを低減することができる。
【０１６５】
ホールド駆動時とインパルス駆動時とでそれぞれ最適なガンマ補正を行ったので、特に、インパルス駆動時に液晶セルＣの透過光量の変化を速くすることができ、輝度を上げることができる。
【０１６６】
液晶パネルＡの温度変化に対応してガンマ補正を行ったので、液晶パネルＡの温度変化にかかわりなく、表示画面の輝度、コントラスト、および階調表示特性を一定にすることができる。
（液晶表示装置の第７の実施形態、液晶表示装置の制御方法の第７の実施形態）
図１６は、この実施形態で使用されるＴＦＴ駆動液晶表示装置における液晶パネルＡの概要を示している。この実施形態は、構成１および構成２６に対応している。
【０１６７】
液晶パネルＡは、４つの帯状の第１画素領域２０と、４つの帯状の第２画素領域２２とを交互に有している。第１画素領域２０、第２画素領域２２は、それぞれ１ライン分の液晶セルＣに対応して区画されている。なお、液晶パネルＡは、説明を簡単にするため、縦８画素、横８画素としている。その他の構成は、上述した第１の実施形態と同一である。図において、走査線G1-G8とともに示した括弧内の数字は、走査線G1-G8の駆動順序を示している。
【０１６８】
図１７は、上述した液晶表示装置に表示データを書き込むタイミングを示している。
【０１６９】
図示しない制御回路は、第１フィールド、第２フィールドともに、走査線G1、G8、G3、G6、G2、G4、G5、G7の順で活性化する。そして、制御回路は、第１フィールドにおいて、表示データのうち第１画素領域２０に対応するデータをこの領域２０に書き込み、黒データを第２画素領域２２に書き込む。第２フィールドにおいて、制御回路は、表示データのうち第２画素領域２２に対応するデータをこの領域２２に書き込み、黒データを第１画素領域２０に書き込む。
【０１７０】
この実施形態のにおいても、上述した第１の実施形態と同様の効果を得ることができる。さらに、この実施形態では、走査線G1-G8を配列順に関係のない所定の順序で駆動したので、フリッカーの発生をより確実に防止することができる。
（液晶表示装置の第８の実施形態、液晶表示装置の制御方法の第８の実施形態）
図１８は、この実施形態で使用されるＴＦＴ駆動液晶表示装置における液晶パネルＡの概要を示している。この実施形態は、構成１および構成２６に対応している。第１の実施形態と同一の要素については、同一の符号を付し、これ等については、詳細な説明を省略する。
【０１７１】
液晶パネルＡは、２つの帯状の第１画素領域２０と、２つの帯状の第２画素領域２２とを交互に有している。第１画素領域２０、第２画素領域２２は、それぞれ３ライン分の液晶セルＣに対応して区画されている。なお、液晶パネルＡは、説明を簡単にするため、縦１２画素、横８画素としている。その他の構成は、上述した第１の実施形態と同一である。図において、走査線G1-G12とともに示した括弧内の数字は、走査線G1-G12の駆動順序を示している。
【０１７２】
図１９は、上述した液晶表示装置に表示データを書き込むタイミングを示している。
【０１７３】
図示しない制御回路は、第１フィールド、第２フィールドともに、走査線G1、G7、G4、G10、G2、G8、G5、G11、G3、G9、G6、G12の順で活性化する。すなわち、制御回路は、同一の第１画素領域２０、第２画素領域２２内では、線順次走査を行う。そして、制御回路は、第１フィールドにおいて、表示データのうち第１画素領域２０に対応するデータをこの領域２０に書き込み、黒データを第２画素領域２２に書き込む。制御回路は、第２フィールドにおいて、表示データのうち第２画素領域２２に対応するデータをこの領域２２に書き込み、黒データを第１画素領域２０に書き込む。
【０１７４】
この実施形態のにおいても、上述した第１および第７の実施形態と同様の効果を得ることができる。さらに、この実施形態では、一部の領域について線順次走査が行われため、制御回路を複雑化することなく、フリッカーの発生をより確実に防止することができる。
（液晶表示装置の第９の実施形態）
図２０は、この実施形態で使用されるＴＦＴ駆動液晶表示装置の概要を示している。この実施形態は、構成５および構成２９に対応している。第１の実施形態と同一の要素については、同一の符号を付し、これ等については、詳細な説明を省略する。
【０１７５】
この実施形態では、縦横に複数の液晶セルＣが配列されて液晶パネルＡが構成されている。液晶パネルＡの背面側には、複数ラインの液晶セルＣで区画される帯状の領域Gr.1、Gr.2、Gr.3、Gr4に対応して蛍光管F1-F4がそれぞれ配置されている。なお、各蛍光管F1-F4は、複数の蛍光管により構成してもよい。制御回路４０は、互いに離れた蛍光管F1、F3と蛍光管F2、F4とをそれぞれオンオフ制御する機能と、ホールド駆動を行う機能とを有している。蛍光管F1、F3は第１バックライトとして、蛍光管F2、F4は第２バックライトとして点滅する。
【０１７６】
図２１は、上述した液晶表示装置に表示データを書き込むタイミングを示している。ここでは、説明を簡単にするため、１２本の走査線G1-G12で構成された液晶パネルＡの例を示す。
【０１７７】
制御回路４０は、第１フィールドにおいて走査線G1-G3、G7-G9を順次に走査するホールド駆動を行い、第２フィールドにおいて走査線G4-G6、G10-G12を順次に走査するホールド駆動を行う。各走査線G1-G12は、１フレームの期間に１回活性化される。
【０１７８】
制御回路４０は、第１フィールドにおいて蛍光管F1、F3を点灯、蛍光管F2、F4を消灯し、第２フィールドにおいて蛍光管F1、F3を消灯、蛍光管F2、F4を点灯する。この結果、第１フィールドでは、蛍光管F1、F3に対応する画素が表示され、第２フィールドでは、蛍光管F2、F4に対応する画素が表示される。すなわち、蛍光管F1、F3、蛍光管F2、F4が交互に点滅され擬似的なインパルス駆動が行われる。
【０１７９】
この実施形態においても、上述した第１の実施形態と同様の効果を得ることができる。
（液晶表示装置の第１０の実施形態）
図２２は、この実施形態で使用されるＴＦＴ駆動液晶表示装置の概要を示している。上述した実施形態と同一の要素については、同一の符号を付し、これ等については、詳細な説明を省略する。
【０１８０】
この実施形態では、上述した液晶表示装置の第９の実施形態と同一の液晶パネルＡ、蛍光管F1-F4、Ｙドライバ１４、およびＸドライバ１６を備えている。液晶パネルＡの背面側には、複数ラインの液晶セルＣで区画される帯状の領域Gr.1、Gr.2、Gr.3、Gr4に対応して蛍光管F1-F4がそれぞれ配置されている。
【０１８１】
また、制御回路４１は、蛍光管F1-F4を順次点灯消灯する機能を有している。なお、制御回路４１は、同時に二つ以上の領域を点灯あるいは消灯してもよい。また、この実施形態では、液晶パネルＡを４つの大きな領域Gr.1、Gr.2、Gr.3、Gr4に分けているが２つ以上の任意の数のグループに分けることが可能である。
【０１８２】
図２３は、上述した液晶表示装置に表示データを書き込むタイミング（蛍光管F1-F4の点灯、消灯のタイミングを含む）を示している。ここでは、説明を簡単にするため、１２本の走査線G1-G12で構成された液晶パネルAの例を示す。
【０１８３】
各蛍光管F1-F4の点灯、消灯の周期は１フレーム、すなわち液晶パネルの走査周期と一致している。領域Gr.1は、各走査線G1-G3上の画素からなる３つの小グループで構成されている。同様に、領域Gr.2、Gr.3、Gr4は、それぞれ３つの小グループで構成されている。
【０１８４】
以下、領域Gr.1での動作を中心に説明する。
【０１８５】
制御回路４１は、走査線G1-G3に表示データを書き込んだ後、所定時間T1が経過した後、領域Gr.1に対応している蛍光管F1を点灯する。そして、制御回路４１は、走査線G1が走査される所定時間T2前に蛍光管F1を消灯する。所定時間Tは、“０”にすることも可能であるが、蛍光管F1の消灯に要する時間以上に設定することが望ましい。これにより表示の混在が防止できる。ここで、所定時間T1を１フレームの時間（ここでは16ms）の1/2以上とすることで、黒が表示されている時間が長くなり、より良好な表示が実現できる。
【０１８６】
ここで、領域Gr.1内で最後に走査された走査線G3上の液晶素子は、蛍光管F1が点灯される以前に応答が完了していることが望まれる。このことから、液晶素子の全階調での応答時間は、上記所定時間T1よりも短いほうがよい。例えば、πセルあるいは垂直配向あるいは水平配向の横電界駆動型の液晶表示装置などを用いるとよい。このとき、所定時間T1は、１フレームの時間の4/5以下とすることが望ましい。１フレームは、一般的に16msであるので、液晶の応答速度は全階調間で10ms以下になるように調整することが望ましい。
【０１８７】
なお、制御回路４１は、領域Gr.2、Gr.3、Gr4についても、領域Gr.1と同様に制御を行う。
【０１８８】
この実施形態においても、上述した第１の実施形態と同様の効果を得ることができる。
（液晶表示装置の制御方法の第９の実施形態）
図２４は、この実施形態で使用される液晶表示装置４２およびパーソナルコンピュータ４４を示している。
【０１８９】
液晶表示装置４２は、従来より使用されている液晶表示装置と同様の構成をしている。液晶表示装置４２は、制御回路４６、Ｘドライバ、Ｙドライバ、液晶パネルＡを備えている。制御回路４６は、Ａ／Ｄ変換部４８を有している。
【０１９０】
パーソナルコンピュータ４４は、デジタルの表示データをアナログデータに変換するビデオカード５０を備えている。ビデオカード５０は、アナログ変換の際に、１フレームの表示データを１ライン毎に黒データに変換する機能を有している。このため、各ラインには、１フレームおきに黒データが書き込まれることになる。黒データに変換される表示データは、捨てられてもよく、次のフレームの表示に使用してもよい。そして、ビデオカード５０は、液晶表示装置４２のＡ／Ｄ変換部４８に１ライン毎に黒データを有する表示データを順次送出する。
【０１９１】
液晶表示装置４２は、受け取ったデータを液晶パネルＡにそのまま表示する。液晶パネルＡには、１ラインおきに帯状の黒データが表示される。
【０１９２】
この実施形態では、従来と同様の液晶表示装置４２を使用した場合にも、画像のぼけを防止することができ、フリッカーの発生を防止することができる。
【０１９３】
この実施形態では、ビデオカード５０に黒データの変換機能を持たせた例について述べた。本発明はかかる実施形態に限定されるものではない。例えば、液晶表示装置４２のＡ／Ｄ変換部４８に黒データの変換機能を持たせてもよい。
（液晶表示装置の制御方法の第１０の実施形態）
図２５は、この実施形態で使用されるパーソナルコンピュータ５２を示している。パーソナルコンピュータ５２は、例えばノート型のように液晶表示装置５４を内蔵している。パーソナルコンピュータ５２は、デジタルの表示データの一部を黒データに変換するデータ変換部５８を備えている。
【０１９４】
データ変換部５８は、１フレームの表示データを１ライン毎に黒データに変換する機能を有している。このため、各ラインには、１フレームおきに黒データが書き込まれることになる。黒データに変換される表示データは、捨てられてもよく、次のフレームの表示に使用してもよい。データ変換部５８は、液晶表示装置５４の制御回路５６に１ライン毎に黒データを有する表示データを順次送出する。液晶表示装置５４は、受け取ったデータを液晶パネルＡにそのまま表示する。液晶パネルＡには、１ラインおきに帯状の黒データが表示される。なお、データ変換部５８は、電子回路で構成してもよく、ソフトウエアのプログラムとして構成してもよい。
【０１９５】
この実施形態においても、上述した液晶表示装置の制御方法の第１０の実施形態と同様の効果を得ることができる。
【０１９６】
この実施形態では、データ変換部５８に黒データの変換機能を持たせた例について述べた。本発明はかかる実施形態に限定されるものではない。例えば、液晶表示装置５４の制御回路５６に黒データの変換機能を持たせてもよい。
（液晶表示装置の制御方法の第１１の実施形態）
図２６は、この実施形態で使用される液晶表示装置６０の概要を示している。
【０１９７】
液晶表示装置６０の制御回路６２は、外部から供給されるインタレース方式の表示データ（ＴＶ信号）を変換するデータ変換部６４を備えている。また、液晶表示装置６０は、従来と同様のＸドライバ、Ｙドライバ、液晶パネルＡを備えている。
【０１９８】
データ変換部６４は、各フィールドの表示データA1-A4、B1-B4を受け、これ等表示データの間に黒データを挿入する機能を有している。制御回路は、黒データが挿入された各フィールドのデータを１フレームのデータとしてそれぞれ液晶パネルＡに表示する。液晶パネルＡには、帯状の黒を１ラインおきに交互に有する画面が表示される。
【０１９９】
この実施形態においても、上述した液晶表示装置の制御方法の第１０の実施形態と同様の効果を得ることができる。さらに、この実施形態では、インタレース方式の表示データ（ＴＶ信号）を使用して、画像のぼけのない良好な画面を構成することができる。
【０２００】
なお、上述した各実施形態では、例えば図４の波形に示したように、表示データを書き込む時間と、黒データを書き込む時間を同一にした例について述べた。
本発明はかかる実施形態に限定されるものではない。例えば、表示データを書き込む時間を黒データを書き込む時間に比べて短くしてもよい。この場合、画像のぼけをさらに軽減することができる。
【０２０１】
上述した各実施形態では、１フレームの期間を１６ｍｓにした例について述べた。本発明はかかる実施形態に限定されるものではない。１フレームの期間は、使用する液晶セルの応答時間に合わせて決めればよい。
（液晶表示装置の第１１の実施形態）
図２７は、この実施形態で使用されるＴＦＴ駆動液晶表示装置の概要を示している。
【０２０２】
この実施形態は、構成６、構成７、および構成１１に対応している。第１の実施形態と同一の要素については、同一の符号を付し、これ等については、詳細な説明を省略する。
【０２０３】
この液晶表示装置は、マトリックス状に配置されたＴＦＴ、画素電極１２を備えている。スイッチング素子であるＴＦＴのゲート電極は、走査線G1、G2、...、Gnに接続されている。走査線G1、G2、...、Gnは、Ｙドライバ１４から出力されるゲート信号を伝達する信号線である。ＴＦＴのドレイン電極は、信号線D1、D2、...、Dmに接続されている。信号線D1、D2、...、Dmは、Ｘドライバ１６から出力されるデータ信号を伝達する信号線である。ＴＦＴのソース電極は、画素電極１２に接続されている。
【０２０４】
また、対向電極（図示せず）が、画素電極１２に対向して配置されている。液晶（図示せず）は、画素電極１２と対向電極とに挟持され、液晶セルＣが形成されている。そして、縦横に配列された液晶セルＣにより、液晶パネルＡが構成されている。
【０２０５】
液晶パネルＡは、各走査線Gnの走査方向に沿って５つの画素領域７０に区画されている。この液晶パネルＡに対向してアクリル樹脂等で形成された透明な導光板７２が、液晶パネルＡの背面側に配置されている。導光板７２における走査線Gnの走査方向の一端には、バックライトとして蛍光管（冷陰極管）F5が取り付けられている。
【０２０６】
この実施形態では、液晶パネルＡは、１５インチのXGA液晶パネルが使用されている。この液晶パネルＡは、改良されたVA（Vertical Alignment）型またはOCB(Optically Compensated Birefringence）型を採用している。液晶パネルＡの液晶セルＣの応答速度は約７msと速い。
【０２０７】
図２８は、バックライトの詳細を示している。
【０２０８】
ポリマー分散型の液晶フィルム７４が、導光板７２における液晶パネルＡと反対側の面に接着されている。この実施形態では、日本板硝子製の液晶調光シート「ウムフィルム」が、液晶フィルムに採用されている。液晶フィルム７４の対向電極（図示せず）は、蛍光管F5から照射される光の導光方向に沿って５つに分割されており、５つの散乱部７４ａ〜７４ｅが形成されている。なお、図では、説明を分かりやすくするために、液晶フィルム７４を５分割しているが、実際には、液晶フィルム７４自体は、１枚で構成されている。各散乱部７４ａ〜７４ｅの形成位置は、液晶パネルＡの５つの画素領域７０にそれぞれ対応している。
【０２０９】
導光板７２から照射される光を散乱するプリズム板等の散乱板７６が、導光板７２における液晶パネルＡ側の面に接着されている。光を導光板７２側に反射するミラー７８が、液晶フィルム７４の外面に接着されている。
【０２１０】
各部材の接着は、屈折率がアクリル板と同等のイマージョンオイルを使用している。
【０２１１】
図に示した例では、網掛けで示した散乱部７４ｄの対向電極に、電圧は印加されていない。このとき、この散乱部７４ｄは、光を散乱する散乱領域になる。残りの４つの散乱部７４ａ、７４ｂ、７４ｃ、７４ｅの対向電極に、所定の電圧が印加されている。これら散乱部は、光を透過する。この結果、散乱部７４ｄに対向する液晶パネルの画素領域７０のみに光が照射される。散乱領域は、各散乱部７４ａ〜７４ｅの対向電極を制御することで容易に形成、消滅される。
【０２１２】
図示していないが、導光板７２の両端（図の左右）に光を反射するミラー等を取り付けることで、光は、繰り返し導光板７２内を進行し、散乱部７４ｄで散乱され、導光板７２の外部に導かれる。すなわち、蛍光管F5から照射された光は、所望の位置に集光され、照射される。
【０２１３】
このように、本実施形態では、導光板７２に照射された光を効率よく使用できるため、消費電力を低減できる。この例では、蛍光管F5の消費電力を最大５分の１まで低減できる。また、１本の蛍光管F5で複数の照射領域を形成できるため、蛍光管の劣化による表示むらは発生しない。液晶フィルム７４は、導光板７２における液晶パネルＡの反対側に接着されている。このため、液晶パネルＡに向けて照射される光が、液晶フィルム７４により遮られることはない。散乱部が液晶パネルＡから離れているため、隣接する照射領域の境界を目立たなくできる。散乱部は、ポリマー分散型の液晶フィルム７４により容易に形成できる。
【０２１４】
図２９は、上述した液晶表示装置における液晶パネルＡおよびバックライトの制御を示している。図の縦方向は時間を示し、図の横方向は蛍光管F5から照射される光の導光方向を示している。図の矢印は、各走査線Gnの走査を示している。
【０２１５】
この実施形態では、１フレームの期間に各走査線Gnを１回走査し、表示データを画素電極１２に書き込むホールド駆動による線順次走査が行われ、走査線Gnが図の右下方向に向けて順次に走査される。バックライトは、注目する画素領域７０の走査が終了した後、3.2msの期間点灯する。この3.2msは、１フレーム時間（16ms）の５分の１であり、一つの画素領域７０の走査期間に等しい。バックライトの点灯とは、液晶フィルム７４の散乱部７４ａ〜７４ｅが光を散乱する状態になることをいう。
【０２１６】
例えば、散乱部７４ｂに対応する画素領域７０において、最後の走査線Gnが走査された後、バックライトが点灯するまでの時間は、9.6msである。この時間は、図２７に示した液晶セルＣのワーストの応答時間を示しており、画素領域７０の数をｎとして式（１）により表される。
【０２１７】
１フレーム時間×(ｎ−２)／(２×ｎ).....(1)
本実施形態の液晶の反応速度は、約７msであるため、画素領域７０の最後の走査で表示データが書き込まれた液晶セルＣは、バックライトが点灯するまでに確実に応答を完了できる。この結果、動画像の表示においても、ぼけの発生を低減できる。
【０２１８】
なお、図２８では、散乱部７４ａ〜７４ｅを導光板７２における液晶パネルＡと反対側の面に接着した例について述べた。例えば、散乱部７４ａ〜７４ｅは、導光板７２における液晶パネルＡ側の面に接着してもよい。この場合、散乱部７４ａ〜７４ｅで乱反射した光は、導光板７２の外部に向けて照射される。そして、液晶パネルＡの所定の照射領域に光が照射される。隣接する照射領域の境界が明確になるため、より視認性よくインパルス駆動ができ、フリッカーの発生が防止される。
（液晶表示装置の第１２の実施形態）
この実施形態は、構成１２に対応している。この液晶表示装置の主要部の構成は、液晶セルＣがπセルであることを除き、図２７と同一である。なお、πセルの応答時間は、約２ｍｓと速い。
【０２１９】
図３０は、この実施形態で使用されるバックライトの詳細を示している。
【０２２０】
この実施形態では、２枚の導光板８０の間に、図２８と同一の液晶フィルム７４が挟み込まれている。このため、液晶フィルム７４は、導光板８０で確実に保護される。また、いわゆるサンドイッチ構造のため、光の照射機構を精度よく、かつ容易に形成できる。図３０は、網掛けで示した散乱部７４ｄが光を散乱する散乱領域になっていることを示している。
【０２２１】
導光板８０から照射される光を散乱するプリズム板等の散乱板７６が、導光板８０における液晶パネルＡ側の面に接着されている。光を導光板８０側に反射するミラー７８が、導光板８０における液晶パネルＡと反対側の面に接着されている。
【０２２２】
図３１は、上述した液晶表示装置における液晶パネルＡおよびバックライトの制御を示している。
【０２２３】
図３１において縦方向は時間を示し、図の横方向は蛍光管F5から照射される光の導光方向を示している。
【０２２４】
この実施形態では、１フレームの期間に各走査線Gnを２回走査し、リセットデータ（黒）と表示データとを画素電極に書き込むインパルス駆動による線順次走査が行われ、走査線Gnが図の右下方向に向けて順次に走査される。灰色の矢印は、リセットデータを書き込むための各走査線Gnの走査を示し、黒色の矢印は、表示データを書き込むための各走査線Gnの走査を示している。
【０２２５】
バックライトは、注目する画素領域７０の走査が終了した後、3.2msの期間点灯する。この3.2msは、１フレーム時間（16ms）の５分の１であり、一つの画素領域７０の走査期間に等しい。表示データの書き込みは、リセットデータの書き込みから6.4ms後に書き込みまれる。
【０２２６】
例えば、散乱部７４ｂに対応する画素領域７０において、最後の走査線Gnがに走査された後、バックライトが点灯するまでの時間は、3.2msである。この時間は、液晶セルＣのワーストの応答時間を示しており、画素領域７０の数をｎとして式（２）により表される。
【０２２７】
１フレーム時間×[[(ｎ−１)／(２×ｎ)]−１／ｎ].....(2)
本実施形態の液晶の反応速度は、約２msであるため、画素領域７０の最後の走査で表示データが書き込まれた液晶セルＣは、バックライトが点灯するまでに確実に応答を完了できる。この結果、動画像の表示においても、ぼけの発生を低減できる。
【０２２８】
なお、画素領域７０が偶数の場合、液晶のワーストの応答時間は、式（３）により表される。
【０２２９】
１フレーム時間×[[(ｎ−２)／(２×ｎ)]−１／ｎ].....(3)
例えば、６つの画素領域７０に区画された液晶パネルＡの場合、応答時間が約2.6ms以下の液晶セルＣを使用することで、ぼけのない良好な表示画面が得られる。
【０２３０】
この実施形態においても、図２７に示した実施形態と同様の効果を得ることができる。さらに、この実施形態では、液晶フィルム７４を導光板８０の間に挟むことで、液晶フィルム７４を確実に保護できる。導光板８０および散乱部７４ａ〜７４ｅからなる光の照射機構を精度よく、かつ容易に形成できる。
【０２３１】
なお、２枚の導光板８０の間に液晶フィルム７４を挟むだけでなく、図３２に示すように、導光板８０の外面に、さらに液晶フィルム７４を接着してもよい。
（液晶表示装置の第１３の実施形態）
この液晶表示装置の主要部の構成は、図２７と同一である。この実施形態は、構成７に対応している。
【０２３２】
図３３は、この実施形態で使用されるバックライトの詳細を示している。
【０２３３】
この実施形態では、蛍光管F5から照射される光の導光方向に沿って、導光板８２が５つに分割されている。ポリマー分散型の液晶フィルム８４からなる散乱部８４ａ〜８４ｄが、隣接する導光板８２の端面に接着されている。導光板８２の端面は、導光方向に対して垂直になっている。また、液晶フィルム８４からなる散乱部８４ｅが、蛍光管F5側に位置する導光板８２の端面に接着されている。散乱部８４ａ〜８４ｅは、導光方向を遮って、この導光方向に垂直に配置されている。すなわち、導光板８２内を通過する光は、必ず、散乱部８４ａ〜８４ｅを透過する。
【０２３４】
図３４は、液晶フィルム８４の詳細構造を示している。
【０２３５】
液晶フィルム８４は、誘電率εの異方性が負のネマティック液晶８５ａ（低分子液晶）を樹脂層８５ｂで覆った構造を有している。樹脂層８５ｂは、高分子液晶で形成されている。この実施形態では、大日本インキ製の紫外線硬化性の液晶樹脂が、樹脂層８５ｂに採用されている。液晶８５ａと樹脂層８５ｂにおける液晶の径方向の屈折率n1、液晶の軸方向の屈折率n2は、同一になる。
【０２３６】
液晶フィルム８４の全ての液晶は、対向電極に電圧が印加されない状態で、液晶フィルム８４面に垂直に配向されており、入射光を透過する。液晶フィルム８４のネマティック液晶８５ａは、対向電極に電圧が印加されると、電界に垂直になろうとする。液晶８５ａの軸方向は、ランダムになるため、入射光を散乱させる。図の網掛けで示した散乱部８４ｄは、電圧が印加され、光を散乱する散乱領域になっている。
【０２３７】
液晶フィルム８４は、基板上に垂直配向膜を塗布した後、紫外線硬化性の液晶と低分子液晶との混合物を注入し、紫外線により樹脂層８５ｂを硬化させて製造される。
【０２３８】
図３５は、通常の樹脂層（高分子）で形成された液晶フィルムの例を示している。
【０２３９】
この種の液晶フィルムは、液晶層と樹脂層の屈折率が異なるため、斜めの入射光を散乱してしまう。図３４に示した液晶フィルム８４は、斜めの入射光をそのまま透過する。
【０２４０】
この実施形態においても、図３０に示した実施形態と同様の効果を得ることができる。さらに、この実施形態では、導光板８２内を進行する光は、必ず散乱部８４ａ〜８４ｅのいずれかを透過する。このため、光を確実に散乱できる。
【０２４１】
散乱部８４ａ〜８４ｅは、導光方向に対して垂直に配置された。このため、導光板８２の端面は垂直であればよく、導光板８２と散乱部８４ａ〜８４ｅとを容易に精度よく接合できる。
【０２４２】
液晶フィルム８４におけるネマティック液晶８５ａを覆っている樹脂層８５ｂは、屈折率がネマティック液晶８５ａに等しい高分子液晶で構成された。このため、散乱部８４ａ〜８４ｅが光を透過する状態のときに、ネマティック液晶８５ａと樹脂層８５ｂとの界面で発生する散乱を防止できる。
【０２４３】
なお、ネマティック液晶８５ａおよび高分子液晶は、対向電極に電圧が印加されない状態で、導光方向に対して垂直に配向されていても、同様の効果を得られる。
（液晶表示装置の第１４の実施形態）
この実施形態は、構成７に対応している。この液晶表示装置の主要部の構成は、図２７と同一である。
【０２４４】
図３６は、この実施形態で使用されるバックライトの詳細を示している。
【０２４５】
この実施形態では、蛍光管F5から照射される光の導光方向に沿って、散乱部８４ａ〜８４ｅが斜めに配置されている。それ以外の構造は、図３２と同一である。
【０２４６】
この実施形態では、内を透過する光は、必ず散乱部に８４ａ〜８４ｅにより散乱でき、散乱された光を、液晶パネルＡに向けて多量に照射できる。
（液晶表示装置の第１５の実施形態、液晶表示装置の制御方法の第１２の実施形態）
図３７は、この実施形態で使用されるＴＦＴ駆動液晶表示装置の概要を示している。この実施形態は、構成８および構成３０に対応している。上述した実施形態と同一の要素については、同一の符号を付し、これ等については、詳細な説明を省略する。
【０２４７】
この実施形態では、縦横に複数の液晶セルＣが配列されて液晶パネルＡが構成されている。導光板７２、液晶フィルム７４、および蛍光管F5からなるバックライト８８が、液晶パネルＡの背面側に配置されている。制御回路９０は、手動スイッチSWの出力および表示データを受け、Ｙドライバ１４、Ｘドライバ１６、バックライト８８を制御している。
【０２４８】
手動スイッチSWは、表示データを書き込んでからリセットデータを書き込む間での期間である発光時間を調整するためのスイッチである。すなわち、液晶パネルの表示画像を見ている人が、発光時間を自由に調整できる。
【０２４９】
制御回路９０は、１フレームの期間に各走査線Gnを２回走査し、表示データとリセットデータ（黒）とを液晶セルＣに書き込むインパルス駆動による線順次走査をする。制御回路９０は、バックライト８８を制御し、表示データの書き込みに同期して、導光板７２に形成された散乱部７４ａ〜７４ｅから順次に光を照射させる。すなわち、発光時間は、液晶パネルＡのインパルス駆動と、バックライトの制御により調整される。
【０２５０】
また、制御回路９０は、手動スイッチSWの操作に応じて、蛍光管F5の照射強度を調整し、液晶パネルの表示輝度を一定に保持する。
【０２５１】
この実施形態では、表示画像を見ている人が、手動スイッチSWを操作して表示画像を最も見やすくなるように直接調整できる。例えば、発光時間は、静止画を見ているときに長くされ、動画像を見ているときに短くされる。このように、表示画像を見ている人の感覚に合わせて調整できるため、動画像のぼけを軽減でき、フリッカーの発生を防止できる。
【０２５２】
液晶パネルＡの表示輝度は、発光時間の制御に連動して一定に保持されるように制御された。静止画像であるか動画像であるかを問わず、表示輝度が常に一定の輝度に保持されるため、画面が見やすくなる。
【０２５３】
なお、発光時間は、液晶パネルＡの前面に液晶等で構成されるシャッターを配置し、シャッターの開閉制御で調整してもよい。
【０２５４】
また、表示画像の輝度調整は、液晶セルＣに書き込む表示データの信号量で調整してもよい。
（液晶表示装置の第１６の実施形態、液晶表示装置の制御方法の第１３の実施形態）
図３８は、この実施形態で使用されるＴＦＴ駆動液晶表示装置の概要を示している。この実施形態は、構成９および構成３１に対応している。上述した実施形態と同一の要素については、同一の符号を付し、これ等については、詳細な説明を省略する。
【０２５５】
この実施形態では、上述した実施形態と同様に、発光時間は、液晶パネルＡのインパルス駆動と、バックライトの制御により調整されている。
【０２５６】
制御回路９２は、表示データの動きを予測する離散コサイン変換（DCT）部９４からの情報を受け、表示データが静止画像、動画像のいずれであるかを判定し、それぞれの画像に合わせて発光時間を制御する。具体的には、制御回路９２は、離散コサイン変換における直流成分の動きの予測が１ブロック（16画素×16ライン）の大きさを超えたときに、表示画像を動画像と判定する。動画像と判定した場合、発光時間は短くされる。また、バックライト８８の輝度が上げられ、液晶パネルＡの表示輝度は、一定に保持される。
【０２５７】
離散コサイン変換の情報を使用することで、アナログ信号の揺らぎにより連続する静止画像が動画像と判定されることが防止される。特に、直流成分が10％以上変化したときに、動画像と判定することが望ましい。
【０２５８】
この実施形態では、離散コサイン変換の情報により、表示データが静止画像が動画像かを判定し、発光時間を調整した。動画像を表示するときに発光時間を短くすることで、動画像のぼけが軽減でき、フリッカーの発生が防止できる。
【０２５９】
動画像の動き補償に広く使用されている離散コサイン変換の手法を用いて、確実に静止画像と動画像とを判定できる。
【０２６０】
なお、発光時間は、液晶パネルＡの前面に液晶等で構成されるシャッターを配置し、シャッターの開閉制御で調整してもよい。
（液晶表示装置の第１７の実施形態）
図３９は、この実施形態で使用されるＴＦＴ駆動液晶表示装置の概要を示している。この実施形態は、構成１０に対応している。上述した実施形態と同一の要素については、同一の符号を付し、これ等については、詳細な説明を省略する。
【０２６１】
この液晶表示装置の主要部の構成は、図３８と同一である。
【０２６２】
制御回路９６は、ホールド駆動とインパルス駆動とを切り替える機能を有している。制御回路９６は、表示データが静止画のときにホールド駆動をし、動画像のときにインパルス駆動をする。制御回路９６は、走査線Gnのインパルス制御と、バックライトの点滅制御とにより、インパルス駆動を行う。
【０２６３】
表示画像は、１フレームの表示画像の画素のうち、前回表示した１フレームの表示画像の画素と異なる割合が10％を超えたときに、動画像と判定される。すなわち、表示データのうち、動画像の比率が所定以上の時に、制御は、ホールド駆動からインパルス駆動に切り替えられる。
【０２６４】
また、制御回路９６は、動画像を表示するときに、バックライト８８の輝度を上げ、液晶パネルＡの表示輝度を静止画像のときと同一にする。このため、インパルス駆動とホールド駆動とにかかわらず、液晶パネルＡの表示輝度は一定になる。換言すれば、静止画像の時に、表示輝度を下げることが可能になり、消費電力が低減できる。
【０２６５】
この実施形態では、スイッチング素子にポリシリコンＴＦＴを使用している。
スイッチング速度がアモルファスシリコンＴＦＴより大きいポリシリコンＴＦＴで画素電極が制御されるため、特にインパルス制御時に動画像のぼけを低減できる。
【０２６６】
この実施形態においても、上述した実施形態と同様に、動画像においてぼけが軽減でき、フリッカーの発生を防止できる。
【０２６７】
なお、上述した実施形態に限定されず、表示データが、２フレーム以上にわたり変化したときに、動画像と判定し、ホールド駆動からインパルス駆動に切り替えてもよい。
【０２６８】
また、離散コサイン変換により動き補償を行い、１フレームの表示画像および前回表示した１フレームの表示画像におけるそれぞれの直流成分の平均値が、所定値以上相違するときに、動画像と判定し、ホールド駆動からインパルス駆動に切り替えてもよい。
【０２６９】
あるいは、離散コサイン変換により動き補償を行い、圧縮画像情報の中に画像の動きを示すベクトル情報が含まれるときに動画像と判定し、ホールド駆動からインパルス駆動に切り替えてもよい。
【０２７０】
さらに、液晶パネルＡの前面に液晶等で構成されるシャッターを配置し、インパルス駆動時の発光時間をシャッターの開閉制御で調整してもよい。
（液晶表示装置の第１８の実施形態）
この実施形態は、構成１３に対応している。この液晶表示装置の主要部の構成は、図２７と同一である。図２７と同一の要素については、同一の符号を付し、これ等については、詳細な説明を省略する。
【０２７１】
図４０は、この実施形態で使用されるバックライトユニットBLUの詳細を示している。
【０２７２】
バックライトユニットBLUは、導光板１０２を有している。導光板１０２における液晶パネルＡと反対側の面に、偏光分離シート１０４ａ（第１偏光分離シート）、液晶シャッター１０６、偏光分離シート１０４ｂ（第２偏光分離シート）、および散乱シート１０８が、順次接着されている。偏光分離シート１０４ａ、１０４ｂは、非偏光光のうち、常光成分のみを透過し、他の成分（異常光成分）を反射する機能を有している。
【０２７３】
この実施形態では、導光板１０２は、アクリル板（屈折率：約１.５）が使用され、偏光分離シート１０４ａ、１０４ｂは、メルク・ジャパン（株）製の“Transmax”が使用されている。“Transmax”は、コレステリック液晶を用いて形成されている。液晶シャッター１０６は、走査線の走査方向に沿って１０個の領域（図では３つの領域のみ記載）に区画されている。液晶シャッター１０６は、液晶パネルＡのインパルス制御に合わせて、各領域を順次開口（透過状態）する機能を有している。“Transmax”および液晶シャッター１０６の屈折率は、導光板１０２と同様、約１.５である。散乱シート１０８は、乳白色の樹脂板を使用して形成されている。また、液晶パネルＡは、１５インチのXGA液晶パネルが使用されている。
【０２７４】
次に、バックライトユニットBLUの動作を説明する。
【０２７５】
蛍光管F5から照射された光（非偏光光）は、導光板１０２内を全反射（０〜４１°の範囲）しながら進行する。光のうち異常光成分は、偏光分離シート１０４ａで反射され、導光板１０２内を再び全反射しながら進行する（図４０(a)）。
非偏光光のうち常光成分は、偏光分離シート１０４ａを透過し、液晶シャッター１０６に届く。液晶シャッター１０６が複屈折状態（図の網掛け部分）の場合、偏光分離シート１０４ａを透過した光は、液晶シャッター１０６で位相を９０°ずらされ異常光成分として偏光分離シート１０４ｂに届く（図４０(b)）。光は、偏光分離シート１０４ｂで反射され、再び液晶シャッター１０６で位相を９０°ずらされ元の常光成分に戻る。この後、光は、偏光分離シート１０４ａを透過し、再び導光板１０２内に戻される（図４０(c)）。一方、液晶シャッター１０６が複屈折状態でない場合（透過状態、図の透明部分）、偏光分離シート１０４ａを透過した光（常光成分）は、液晶シャッター１０６および偏光分離シート１０４ｂを透過し、散乱シート１０８で散乱（反射）される（図４０(d)）。散乱シートにより乱反射された光は、再び偏光分離シート１０４ｂ、液晶シャッター１０６、偏光分離シート１０４ａを透過し、導光板１０２内に戻る。このとき、光の成分のほとんどは、臨界角を超えており、導光板１０２を透過して液晶パネルＡに向けて照射される（図４０(e)）。
【０２７６】
液晶表示装置は、液晶シャッターの所定の領域を、液晶パネルの制御に合わせて順次透過状態にすることで容易にインパルス駆動できる。このため、動画像のぼけが軽減され、フリッカーの発生が防止される。
【０２７７】
図示していないが、導光板１０２の両端（図の左右）に光を反射するミラー等を取り付けることで、光は、繰り返し導光板１０２内を進行し、液晶シャッター１０６の所定の領域から液晶パネルＡに向けて照射される。すなわち、蛍光管F5から照射された光は、所望の位置に集光され、照射される。
【０２７８】
このように、本実施形態では、導光板１０２に照射された光を効率よく使用できるため、消費電力を低減できる。この例では、蛍光管F5の消費電力を最大１０分の１まで低減できる。また、１本の蛍光管F5で複数の照射領域を形成できるため、蛍光管の劣化による表示むらは発生しない。
（液晶表示装置の第１９の実施形態）
この液晶表示装置の主要部の構成は、第１８の実施形態と同一である。この実施形態は、構成１３および構成１４に対応している。第１８の実施形態と同一の要素については、同一の符号を付し、これ等については、詳細な説明を省略する。
【０２７９】
図４１は、この実施形態で使用されるバックライトユニットBLUの詳細を示している。
【０２８０】
この実施形態では、導光板１０２のバックパネルＡ側に、100nmのリタデーションを有する位相差シート１１０が貼付されている。位相差シート１１０のリタデーション値は、特に限定されない。それ以外の構成は、図４０と同一である。
【０２８１】
図４２は、位相差フィルム１１０の遅相軸A1、偏光分離シート１０４ａの透過軸A2、液晶シャッター１０６の液晶の配向方向A3、偏光分離シート１０４ｂの透過軸A4を示している。この実施形態では、透過軸A2、A4の方向が、液晶の配向方向A3に合わせられている。遅相軸A1の方向は、任意でよい。
【０２８２】
図４１に示したように、導光板１０２内を進行する光は、位相差シート１１０により反射光の位相をずらされる。すなわち、導光板１０２内を全反射する光（異常光成分）は、位相差シート１１０により位相をずらされ、常光成分を含むようになる。すなわち、偏光分離シート１０４ａを透過する常光成分を増加させることができる。
【０２８３】
この実施形態においても、第１８の実施形態と同様の効果を得ることができる。さらに、この実施形態では、光の利用効率が向上するため、消費電力をさらに低減できる。
（液晶表示装置の第２０の実施形態）
この液晶表示装置の主要部の構成は、第１８の実施形態と同一である。この実施形態は、構成１３および構成１５に対応している。第１８の実施形態と同一の要素については、同一の符号を付し、これ等については、詳細な説明を省略する。
【０２８４】
図４３は、この実施形態で使用されるバックライトユニットBLUの詳細を示している。
【０２８５】
この実施形態では、散乱シート１０８の代わりに、複数のプリズム１１２ａから形成されたプリズムシート１１２が接着されている。それ以外の構成は、図４０と同一である。
【０２８６】
各プリズム１１２ａのプリズム面は、アルミニウム等を蒸着した反射膜１１２ｂを有している。各プリズム１１２ａは、入射した光を液晶パネルＡの垂直方向に対して±２０°で出射するように設計されている。すなわち、液晶シャッター１０６を透過する常光成分は、プリズムシート１１２で反射され、液晶パネルＡに向けてほぼ垂直に照射される。
【０２８７】
この実施形態においても、第１８の実施形態と同様の効果を得ることができる。さらに、この実施形態では、プリズムシート１１２の作用により液晶パネルＡに向けて所定の角度の光を照射できるため、この照射強度を高くできる。
（液晶表示装置の第２１の実施形態）
この液晶表示装置の主要部の構成は、第１８の実施形態と同一である。この実施形態は、構成１３および構成１５に対応している。第１８の実施形態と同一の要素については、同一の符号を付し、これ等については、詳細な説明を省略する。
【０２８８】
図４４は、この実施形態で使用されるバックライトユニットBLUの詳細を示している。
【０２８９】
この実施形態では、導光板１０２の液晶パネルＡ側に、偏光分離シート１０４ａ、液晶シャッター１０６、偏光分離シート１０４ｂ、およびプリズムシート１１２が、順次接着されている。このプリズムシート１１２は、プリズム面１０２ｂに反射膜を有していない。
【０２９０】
導光板１０２を進行する光が偏光分離シート１０４ａ、１０４ｂ、液晶シャッター１０６を透過・反射するメカニズムは、第１８の実施形態と同一である。透過状態の液晶シャッター１０６を透過した光は、プリズム面１１２ｂで屈折し、液晶パネルＡに向けて照射される。
【０２９１】
この実施形態においても、第１８および第２０の実施形態と同様の効果を得ることができる。
（液晶表示装置の第２２の実施形態）
この液晶表示装置の主要部の構成は、第２１の実施形態と同一である。この実施形態は、構成１３ないし構成１５に対応している。第２１の実施形態と同一の要素については、同一の符号を付し、これ等については、詳細な説明を省略する。
【０２９２】
図４５は、この実施形態で使用されるバックライトユニットBLUの詳細を示している。
【０２９３】
この実施形態では、導光板１０２のバックパネルＡと反対側の面に、位相差シート１１０が貼付されている。この実施形態においても、第１９および第２１の実施形態と同様の効果を得ることができる。
（液晶表示装置の第２３の実施形態）
この液晶表示装置の主要部の構成は、第１８の実施形態と同一である。この実施形態は、構成１３に対応している。第１８の実施形態と同一の要素については、同一の符号を付し、これ等については、詳細な説明を省略する。
【０２９４】
図４６は、この実施形態で使用されるバックライトユニットBLUの詳細を示している。
【０２９５】
この実施形態では、導光板１０２の液晶パネルＡ側に、空気層１１４を介して偏光分離シート１０４ａ、液晶シャッター１０６、偏光分離シート１０４ｂが配置されている。導光板１０２の液晶パネルＡと反対側の面に、間隔をおいて複数の散乱パターン１１６が印刷されている。散乱パターン１１６は、ストライプパターンに形成してもよく、チェックパターンに形成してもよい。また、導光板１０２の液晶パネルＡと反対側に、反射板１１８が配置されている。
【０２９６】
導光板１０２内を進行する光（非偏光光）のうち、散乱パターン１１６により臨界角を超えた成分は、導光板１０２から空気層１１４を介して偏光分離シート１０４ａに照射される（図４６(a)）。この光のうち、異常光成分は、偏光分離シート１０４ａで反射され、空気層１１４を介して導光板１０２内に再び戻される（図４６(b)）。光のうち常光成分は、偏光分離シート１０４ａを透過し、偏光分離シート１０４ａを透過し、液晶シャッター１０６に届く。液晶シャッター１０６が複屈折状態（図の網掛け部分）の場合、偏光分離シート１０４ａを透過した光のうち常光成分は、偏光分離シート１０４ａを透過し、液晶シャッター１０６で位相を９０°ずらされ、偏光分離シート１０４ｂで反射され、導光板１０２内に再び戻される（図４６(c)）。一方、液晶シャッター１０６が複屈折状態でない場合（透過状態、図の透明部分）、偏光分離シート１０４ａを透過した光（常光成分）は、液晶シャッター１０６および偏光分離シート１０４ｂを透過し、液晶パネルＡに向けて照射される（図４６(d)）。
【０２９７】
この実施形態においても、第１８の実施形態と同様の効果を得ることができる。さらに、この実施形態では、導光板１０２内を進行する光は、散乱パターン１１６により容易に臨界角を超えるため、光の利用効率を向上できる。
（液晶表示装置の第２４の実施形態）
この液晶表示装置の主要部の構成は、第２４の実施形態と同一である。この実施形態は、構成１３に対応している。第２４の実施形態と同一の要素については、同一の符号を付し、これ等については、詳細な説明を省略する。
【０２９８】
図４７は、この実施形態で使用されるバックライトユニットBLUの詳細を示している。
【０２９９】
この実施形態では、偏光分離シート１０４ａの代わりに、偏光分離シート１２０が使用されている。この偏光分離シート１２０は、常光成分を透過し、異常光成分を乱反射する特性を有している。偏光分離シート１２０として、例えば、３Ｍ社製の“DRPF(Diffuse Reflective Polarizing film)”が使用されている。
【０３００】
導光板１０２から空気層１１４を介して偏光分離シート１２０に照射される光のうち、異常光成分は、この偏光分離シート１２０で乱反射され、導光板１０２内に再び戻される。それ以外の動作は、第２３の実施形態と同一である。
【０３０１】
この実施形態においても、第２３の実施形態と同様の効果を得ることができる。
【０３０２】
なお、上述した第１８〜第２４の実施形態で使用した偏光分離シート１０４ａ、１０４ｂは、“Transmax”に限定されない。偏光分離シート１０４ａ、１０４ｂは、屈折率の異なる複数のフィルムを積層して形成してもよく、複数のプリズムからなるプリズムアレイを用いて形成してもよい。複数のフィルムを積層した偏光分離シートとして、例えば、３Ｍ社製の“D-BEF”を使用できる。プリズムアレイとして、例えば、３Ｍ社製の“Weber”を使用できる。
（液晶表示装置の第２５の実施形態）
図４８は、この実施形態で使用されるＴＦＴ駆動液晶表示装置の概要を示している。
【０３０３】
この実施形態は、構成１６ないし構成１８に対応している。第１の実施形態と同一の要素については、同一の符号を付し、これ等については、詳細な説明を省略する。
【０３０４】
この液晶表示装置は、マトリックス状に配置されたＴＦＴおよび液晶セルＣを有する液晶パネルＡを備えている。液晶セルＣの大きさは、ほぼ100μm×300μmである。スイッチング素子であるＴＦＴのゲート電極は、走査線G1、G2、...、Gnに接続されている。ＴＦＴのドレイン電極は、信号線D1、D2、...、Dmに接続されている。ＴＦＴのソース電極は、後述する液晶セルＣの表示電極１２２に接続されている。また、第２画素電極１２４が、表示電極１２２の下に走査線Gnに沿って形成されている。第２画素電極１２４の幅は、約10μmである。この実施形態では、液晶パネルの液晶モードは、電界があるときに光を透過するノーマリブラックである。液晶パネルＡに、VA（Vertical Alignment）型またはOCB(Optically Compensated Birefringence）型等の応答速度の速い液晶が採用されている。液晶パネルＡに、ツイストネマティック（ＴＮ）型を採用してもよい。
【０３０５】
図４９は、図４８の液晶セルＣにおける信号線Dmに沿った断面を示している。
【０３０６】
液晶セルＣは、CF基板１２６とTFT基板１２８との間に液晶層１３０を挟み込んで形成されている。CF基板１２６の内側に第１画素電極１３２が形成され、TFT基板１２８の内側に表示電極１２２が形成されている。第１画素電極１３２は、接地線に接続されている。TFT基板１２８の内側に第２画素電極１２４が形成されている。第２画素電極１２４は、接地線に接続されている。
【０３０７】
第２画素電極１２４と表示電極１２２との間に、厚さ0.4μm、幅10μmのアモルファスシリコンからなる薄膜１３４が、ＣＶＤ技術を使用して形成されている。アモルファスシリコンの抵抗率は、１Ｅ８〜１Ｅ９Ωcmであり、液晶層（１Ｅ14Ωcm）に比べ抵抗が低い。アモルファスシリコンおよび液晶層１３０の比誘電率は、それぞれ５および12である。そして、この薄膜１３４により補助容量が形成されている。
【０３０８】
図５０は、図４９に示した液晶セルＣの等価回路を示している。
【０３０９】
液晶セルＣは、液晶層の容量CLC・抵抗RLCおよび補助容量の容量CS・抵抗RSを並列に接続した２つのCR時定数回路とみなすことができる。この等価回路の過渡現象は、時間をt、電圧をＶとして式（４）〜（６）で表わされる。
【０３１０】
V(t)＝V0・exp（−t／CR）.....(4)
C＝CLC＋CS.....(5)
R＝（RLC×RS）／（RLC＋RS）.....(6)
図５１は、上述した液晶セルＣに表示データ（白）を書き込む状態を示している。
【０３１１】
まず、走査線Gnが選択され、液晶セルＣに表示データが書き込まれる。第１画素電極１３２と表示電極１２２との間は、所定の電圧になり、液晶層１３０の透過率は上昇する。ここで、両電極間の電圧は、式（４）に従い減少するため、液晶層１３０の透過率は減少する。このため、液晶セルＣは、表示データを表示した後、自動的にリセットされる。すなわち、黒データが表示される。この結果、１フレームの期間（16.7ms）に表示データとリセットデータとを表示するインパルス駆動ができる。なお、飽和電圧以上の電圧で表示データを書き込むことで、透過率を上げることができる。
【０３１２】
次に、本発明において検討した内容を示す。
【０３１３】
図５２は、図４９に示した等価回路のCR時定数による印加電圧の変化を示している。１フレーム期間の後半に黒データを表示するために、印加電圧は、16.7ms後に初期電圧の２０％以下になることが望ましい。このとき、CR時定数は、0.01以下になる。
【０３１４】
図５３は、アモルファスシリコンを使用してCR時定数回路を形成する際の印加電圧の変化を示している。アモルファスシリコンは、図５２で説明した条件を満たしている。
【０３１５】
図５４は、アモルファスシリコンの膜厚ｄ[μm]と面積Ｓ[μm2]とによる印加電圧の変化を示している。（膜厚ｄ／面積Ｓ）＜2000[1/μm]のときに、図５２で説明した条件を満たすことが分かる。この結果、アモルファスシリコンの幅が3μm（この製造プロセスにおける最小パターン）でも十分にインパルス駆動可能である。アモルファスシリコン（補助容量）の面積Ｓが小さいほど、液晶セルＣの開口率が上がり、高い輝度の液晶パネルＡを形成できる。なお、補助容量の面積は、表示電極１２２の面積の10％以下が望ましい。
【０３１６】
図５５は、アモルファスシリコンの膜厚の変動による印加電圧の変化を示している。一般に、半導体製造プロセスでは、膜厚の変動は、±５％程度を考慮しなくてはならない。一方で、膜厚の変動が±５％を超えると、液晶パネルＡの輝度むらが発生するおそれがある。図５５では、（膜厚ｄ／面積Ｓ）＜400[1/μm]のときに、±５％の膜厚の変動に対するCR時定数の誤差が見られなくなっている。すなわち、（膜厚ｄ／面積Ｓ）＜400[1/μm]であれば液晶パネルＡの輝度むらは発生しにくい。
【０３１７】
以上、本発明の液晶表示装置では、特別な制御回路を使用することなく、液晶セルＣの充放電特性を利用することで液晶パネルＡをインパルス駆動できる。この結果、動画像のぼけを軽減でき、フリッカーの発生を防止できる。
【０３１８】
なお、上述した実施形態では、補助容量をアモルファスシリコンで形成した例について述べた。これに限定されず、補助容量を窒化珪素と炭化珪素との複合材料で形成してもよい。この際、窒化珪素および炭化珪素を含む混合ガスを用いてＣＶＤにより成膜してもよい。窒化珪素と炭化珪素とをそれぞれ成膜して２層膜を形成してもよい。窒化珪素からなる膜と炭化珪素からなる膜とを隣接して形成してもよい。
【０３１９】
また、膜厚の変動に対する液晶セルＣの輝度の差を調整する輝度補正回路を備えてもよい。この場合、膜厚の変動が±５％を超えても、輝度むらの発生を防止できる。
（液晶表示装置の第２６の実施形態）
図５６は、この実施形態で使用される液晶パネルＡの詳細を示している。この液晶表示装置の主要部の構成は、図４８とほぼ同一である。
【０３２０】
この実施形態は、構成１９ないし構成２１に対応している。第２５の実施形態と同一の要素については、同一の符号を付し、これ等については、詳細な説明を省略する。
【０３２１】
液晶パネルＡは、マトリックス状に配置された液晶セルＣを有している。液晶セルＣの画素電極は、２つのＴＦＴ（薄膜トランジスタ）１３６、１３８のソース電極に接続されている。ＴＦＴ１３８の閾値電圧は、ＴＦＴ１３６の閾値電圧より高く設定されている。ＴＦＴ１３６のドレイン電極は、信号線Dmに接続されている。ＴＦＴ１３８のドレイン電極は、リセットデータ（黒データ）に対応する電圧が供給される電極１４０に接続されている。電極１４０は、信号線Dmに沿って形成されている。ＴＦＴ１３８のゲート電極は、このＴＦＴ１３８と同一の液晶セルＣに接続されたＴＦＴ１３６を制御する走査線Gnの隣の走査線Gn+1（後に走査される走査線）に接続されている。換言すれば、走査線の走査方向に隣接する液晶セルＣ（画素電極）にそれぞれ接続されるＴＦＴ１３６のゲート電極およびＴＦＴ１３８のゲート電極は、同一の走査線Gnに接続されている。走査線Gnの本数が従来と同一のため、液晶パネルＡの透過効率が減少することが防止される。
【０３２２】
この実施形態では、液晶パネルＡの液晶モードは、電界があるときに光を透過するノーマリブラックである。液晶パネルＡに、VA（Vertical Alignment）型またはOCB(Optically Compensated Birefringence）型等の応答速度の速い液晶が採用されている。液晶パネルＡに、強誘電型、反強誘電型、あるいはツイストネマティック（ＴＮ）型を採用してもよい。
【０３２３】
図５７は、ＴＦＴ１３６の構造を示している。なお、ＴＦＴ１３８もほぼ同一の構造を有している。
【０３２４】
ＴＦＴ１３６は、ゲート絶縁膜１３６ａを介してゲート電極１３６ｂと半導体層１３６ｃとを対向させ、この半導体層１３６ｃにデータ電極１３６ｄ（ドレイン電極）および画素電極１３６ｅ（ソース電極）を接続して形成されている。
【０３２５】
ＴＦＴ１３６およびＴＦＴ１３８の閾値電圧は、ゲート絶縁膜１３６ａの厚さを変えることで調整されている。具体的には、ＴＦＴ１３８は、ＴＦＴ１３６に比べてゲート絶縁膜が厚い。上記以外にも、閾値電圧は、一般のMOSFETと同様に、(1)ゲート絶縁膜１３６ａの材料を変える、(2)半導体層１３６ｃの材料を変える、(3)半導体層１３６ｃの不純物濃度を変えることでも調整できる。
【０３２６】
図５８は、液晶パネルＡの動作を示している。
【０３２７】
この実施形態では、１フレームの期間（16.7ms）に、走査線Gnが２回選択され、線順次操作が実行される。走査線Gnの２回目の選択は、最初の選択に比べて高い電圧で行われる。具体的には、走査線Gnを最初に選択する電圧は、ＴＦＴ１３６の閾値電圧より高く、ＴＦＴ１３８の閾値電圧より低い。走査線Gnを２回目に選択する電圧は、ＴＦＴ１３８の閾値電圧より高い。
【０３２８】
まず、走査線Gnが選択され、液晶セルＣに表示データが書き込まれる（表示画面(a)の網掛け部分）。走査線Gnの電圧は、ＴＦＴ１３８の閾値電圧より低いため、リセットデータは書き込まれない。各画面表示(a)〜(d)は、着目する走査線Gnに対応する液晶セルＣの変化のみを表示している。
【０３２９】
次に、走査線Gn+1が選択され、液晶セルＣに表示データが書き込まれる（表示画面(b)の網掛け部分）。
【０３３０】
最初の走査線Gnが選択されて５ms後、２回目の選択（高電圧）が行われる。このとき、別の走査線に対応する表示データが、走査線Gnに対応する液晶セルＣに書き込まれる。同時に、走査線Gn-1に対応する液晶セルＣにリセットデータ（黒データ）が書き込まれる（表示画面(c)の網掛け部分および黒部分）。
【０３３１】
次に、走査線Gn+1が高電圧にされ、別の走査線に対応する表示データが走査線Gn+1に対応する液晶セルＣに書き込まれる。同時に、走査線Gnに対応する液晶セルＣにリセットデータ（黒データ）が書き込まれる（表示画面(d)の網掛け部分および黒部分）。すなわち、表示画面(c)で走査線Gnに対応する液晶セルＣに書き込まれた無効な表示データは、その直後に黒データにより上書きされる。
【０３３２】
以上、この実施形態の液晶表示装置では、走査線Gnの本数を増大することなく、また、制御回路を複雑にすることなく、表示データとリセットデータとを交互に書き込むインパルス駆動ができる。動画像のぼけを軽減でき、フリッカーの発生を防止できる。
（液晶表示装置の第２７の実施形態）
図５９は、この実施形態で使用される液晶パネルＡの詳細を示している。この液晶表示装置の主要部の構成は、図４８とほぼ同一である。
【０３３３】
この実施形態は、構成１９ないし構成２１に対応している。第２６の実施形態と同一の要素については、同一の符号を付し、これ等については、詳細な説明を省略する。
【０３３４】
この実施形態では、リセットデータ（黒データ）に対応する電圧が供給される電極１４０が、走査線Gnに沿って形成されている。その他の構成は、第２６の実施形態と同一である。
【０３３５】
この実施形態においても、上述した第２６の実施形態と同様の効果を得ることができる。
（液晶表示装置の制御方法の第１４の実施形態）
図６０は、この実施形態で使用されるＴＦＴ駆動液晶表示装置の概要を示している。
【０３３６】
この実施形態は、構成３２ないし構成３４に対応している。第１の実施形態と同一の要素については、同一の符号を付し、これ等については、詳細な説明を省略する。
【０３３７】
この液晶表示装置は、マトリックス状に配置されたＴＦＴおよび液晶セルＣを有する液晶パネルＡを備えている。走査線G1、G2、...、Gnは、Ｙドライバ（ゲートドライバ）１４から出力されるゲート信号を伝達する信号線である。信号線D1、D2、...、Dmは、Ｘドライバ（データドライバ）１６から出力されるデータ信号を伝達する信号線である。Ｙドライバ１４、Ｘドライバ１６は、制御回路１８により制御されている。制御回路１８は、外部から表示データおよびクロックを受けている。制御回路１８は、Ｙドライバ１４に、走査開始信号GSTR、クロック信号GCLK、表示データを書き込むためのゲート信号制御信号DTGOE、およびリセットデータ（黒データ）を書き込むためのゲート信号制御信号BLGOEを出力している。制御回路１８は、Ｘドライバ１６に、１ライン分の表示データDISP、および表示データの出力タイミングを制御するドライバ出力制御信号LPを出力している。
【０３３８】
図６１は、制御回路１８の詳細を示している。
【０３３９】
制御回路１８は、データ取込部１８ａ、データドライバ制御部１８ｂ、ゲートドライバ制御部１８ｃ、ゲート走査ライン判定部１８ｄ、GOE作成部１８ｅ、ゲート走査条件記憶部１８ｆ、非走査期間判定部１８ｇ、および非走査期間記憶部１８ｈを有している。
【０３４０】
データ取込部１８ａは、表示データおよびクロックを取り込み、取り込んだ信号をデータドライバ１８ｂおよびゲートドライバ制御部１８ｃに出力している。
データドライバ制御部１８ｂは、表示データDISPおよびドライバ出力制御信号LPを生成している。ゲートドライバ制御部１８ｃは、GOE生成部１８ｅで生成されるゲート信号制御信号DTGOEおよびゲート信号制御信号BLGOEの元になるタイミング信号を受け、ゲート信号制御信号DTGOEおよびゲート信号制御信号BLGOEを出力している。ゲート走査ライン判定部１８ｄは、表示データの書き込み開始から1/2フレームが走査されたことを検出し、この後、ゲートドライバ制御部１８ｃを制御して、黒データを書き込むためのゲート信号制御信号BLGOEを出力させる。
【０３４１】
ゲート走査条件記憶部１８ｆは、前回のフレームにおけるゲート信号の走査条件を記憶している。非走査期間判定部１８ｇは、表示データを書き込む最終の走査線の走査からフレームの終了までの期間である非走査期間において、ゲート信号を何回走査可能かをカウントする。非走査期間記憶部１８ｈは、非走査期間判定部１８ｇにおいてカウントされた値を記憶する。
【０３４２】
ゲートドライバ制御部１８ｃおよびデータドライバ制御部１８ｂは、表示データを書き込む最終の走査線の走査後、非走査期間判定部１８ｇの制御を受けて、非走査期間記憶部１８ｈに記憶されている値だけ、黒データを書き込むように動作する。液晶パネルＡの表示については、後述する図６３で詳細に説明する。
【０３４３】
図６２は、制御回路１８の動作を示している。
【０３４４】
まず、一水平期間の開始時に、ドライバ出力制御信号LPが１回出力される。ドライバ出力制御信号LPの立ち下がりで表示データDOUTがラッチされ、その後ドライバ出力制御信号LPの低レベルの期間、表示データDOUTが出力される。ドライバ出力制御信号LPの高レベルの期間、黒データDOUTが出力される。ここで、黒データの電圧は、表示データを生成する交流電源の中心電圧（VDD/2）にされている。
【０３４５】
ゲート信号制御信号DTGOEは、ドライバ出力制御信号LPの低レベル期間に低レベルになり、ゲート信号制御信号BLGOEは、ドライバ出力制御信号LPの高レベル期間に低レベルになる。制御回路１８の内部で生成される基本ゲート信号GOUTの高レベルとゲート信号制御信号BLGOEの低レベルとから黒データを書き込むゲート信号Gn(BL)が生成される。同様に、基本ゲート信号GOUTの高レベルとゲート信号制御信号DTGOEの低レベルとから表示データを書き込むゲート信号Gn(DT)が生成される。そして、ゲート信号Gn(BL)に同期して黒データ（DOUT）が書き込まれ、書き込むゲート信号Gn(DT)に同期して表示データ（DOUT）が書き込まれる。すなわち、本実施形態の制御回路１８では、一水平期間に、表示データだけでなく黒データを出力（２値を出力）できる。
【０３４６】
図６３は、液晶パネルＡの動作を示している。
【０３４７】
１フレームの期間に走査線G1-Gnが順次に走査され、表示データが書き込まれる。表示データの書き込みから1/2フレーム後に、走査線G1-Gnが再び順次に走査され、黒データ(B)が書き込まれる。すなわち、インパルス駆動が行われる。黒データは、上述したように、ドライバ出力制御信号LPの高レベル期間に出力されるデータDOUTを使用して書き込まれる。
【０３４８】
制御回路１８は、非走査期間においても、走査線G1-Gnを順次に走査し、黒データを書き込む制御をする。このため、表示データが表示されている表示データ保持期間T1は、常に一定になる。
【０３４９】
破線でしめしたパルスは、従来、黒データを書き込んでいたタイミングである。この場合、表示データ保持時間T1は液晶パネルの上側と下側とで異なっていた。
【０３５０】
図６４（ａ）は、本発明を適用した液晶表示装置の表示の概要を示している。表示データと黒データの表示期間は常に一定になっている。
【０３５１】
図６４（ｂ）は、従来の液晶表示装置の表示の概要を示している。画面の中央を境に、表示データと黒データの表示期間が変わるため、画面の上側と下側とで輝度が異なってしまう。すなわち、表示むらが発生する。
【０３５２】
以上、本発明の液晶表示装置の制御方法では、一水平周期中に、表示データと黒データの２値を出力し、インパルス駆動を行った。このため、動画像のぼけを軽減でき、フリッカーの発生を防止できる。
【０３５３】
黒データを、非走査期間にも順次書き込んだ。このため、液晶パネルＡにおける表示データの明るさを均一にでき、表示むらの発生を防止できる。
【０３５４】
また、表示データを生成する従来のデータドライバをそのまま流用してインパルス駆動が可能である。
（液晶表示装置の制御方法の第１５の実施形態）
図６５は、制御回路１８の動作を示している。この液晶表示装置の主要部の構成は、図６０と同一である。
【０３５５】
この実施形態は、構成３２ないし構成３４に対応している。図６０と同一の要素については、同一の符号を付し、これ等については、詳細な説明を省略する。
【０３５６】
制御回路１８は、黒データの電圧を、表示データを生成する交流電源の中心電圧（VDD/2）から正側および負側に、それぞれVBL+、VBL-だけずらしている。具体的には、黒データは、極性選択信号POLが高レベルのときにVBL+にされ、黒データは、極性選択信号POLが低レベルのときにVBL-にされる。その他の動作は、図６２と同一である。
【０３５７】
この実施形態においても、上述した液晶表示装置の制御方法の第１４の実施形態と同様の効果を得ることができる。さらに、この実施形態では、黒データについても交流駆動するため、より確実に黒表示できる。
（液晶表示装置の制御方法の第１６の実施形態）
図６６は、制御回路１８の動作を示している。この液晶表示装置の主要部の構成は、図６０と同一である。
【０３５８】
この実施形態は、構成３２ないし構成３４に対応している。図６０と同一の要素については、同一の符号を付し、これ等については、詳細な説明を省略する。
【０３５９】
制御回路１８は、ドライバ出力制御信号LPの低レベル期間を短くすることで、表示データの出力期間を短くしている。ドライバ出力制御信号LPの高レベル期間は、相対的に長くなるため、黒データの出力期間は長くなる。そして、ゲート信号Gn(DT)とゲート信号Gn(BL)との活性化期間が等しくされている。この実施形態では、黒データを書き込むゲートパルスの幅を十分に広くでき、黒データを確実に書き込むことができる。
【０３６０】
なお、表示データの出力期間が短くなるため、この実施形態では、表示データを左右に２分割し、各領域についてそれぞれ走査線を走査して表示データを表示している。
（液晶表示装置の制御方法の第１７の実施形態）
図６７は、液晶パネルＡの動作を示している。この液晶表示装置の主要部の構成は、図６０と同一である。
【０３６１】
この実施形態は、構成３２ないし構成３４に対応している。
【０３６２】
制御回路１８は、黒データを１フレーム期間中に複数回書き込む。すなわち、黒データの書き込みが補完されている。このため、黒データを確実に書き込むことができる。
【０３６３】
なお、上述した液晶表示装置の制御方法の第１４の実施形態では、基本ゲート信号GOUTとゲート信号制御信号DTGOEとから表示データを書き込むゲート信号Gn(DT)を生成した例について述べた。これに限定されず、制御を簡略化し、基本ゲート信号GOUTをそのままゲート信号Gn(DT)として使用してもよい。この場合、黒データが画素電極に書き込まれた後、表示データが上書きされるが、表示品質に問題はない。
【０３６４】
上述した液晶表示装置の制御方法の第１６の実施形態では、ゲート信号Gn(DT)とゲート信号Gn(BL)との活性化期間を等しくした例について述べた。これに限定されず、ゲート信号Gn(DT)とゲート信号Gn(BL)との活性化期間との比率は、任意に設定可能である。
（液晶表示装置の第２８の実施形態）
図６８は、この実施形態で使用されるＴＦＴ駆動液晶表示装置の概要を示している。
【０３６５】
この実施形態は、構成２２に対応している。第１の実施形態と同一の要素については、同一の符号を付し、これ等については、詳細な説明を省略する。
【０３６６】
この液晶表示装置は、マトリックス状に配置されたＴＦＴ（図示せず）および液晶セルＣを有する液晶パネルＡを備えている。液晶パネルＡは、Ｘドライバ１６およびＹドライバ１４により制御されている。バックライト１４１が、液晶パネルＡの背面に配置されている。バックライト１４１は、走査線の走査方向に沿って１０本の直下型の冷陰極管（発光部）を並列して形成されている。Ｘドライバ１６、Ｙドライバ１４、およびバックライト１４１は、制御回路１４２により制御されている。このときの駆動周波数は、60Hzである。
【０３６７】
この実施形態では、液晶パネルＡは、液晶層の厚さが２.２μｍのツイストネマティック（ＴＮ）型（15インチ、画素数1024×768）を採用している。この液晶は、誘電率εが−３.２、屈折率ｎが0.2007、NI転移温度が70℃、応答時間τmが14msである。そして、バックライト１４１の冷陰極管を順次に点滅させることで、インパルス駆動をしている。なお、１フレームの期間における点灯期間の比率であるduty比は、10％である。
【０３６８】
図６９は、本実施形態で採用した条件（液晶の応答時間、冷陰極管の本数、duty比）を決める根拠を示している。
【０３６９】
一般に、冷陰極管等の発光部の点灯後における液晶セルＣの過渡応答による輝度の変化が、発光部の点灯期間における輝度（図の網掛け部分）の５％を超えるとき、画像にゴーストが発生し、あるいは、画像のぼけが顕著になると言われている。このため、発光部の消灯期間（図のOFF）にこの発光部に対応する走査線を走査し、表示データの書き込みを開始するインパルス駆動を行う場合、発光部が点灯した後に変化する液晶セルＣの輝度の変化（図の斜線部分Ｓ）は、５％以下にする必要がある。
【０３７０】
図７０は、液晶の応答時間を測定する場合の基準を示している。
【０３７１】
まず、液晶の最大輝度を100、最低輝度を０にし、輝度が０、25、50、75、100になる電圧をそれぞれV0、V25、V50、V75、V100と定義する。これ等５つの電圧の間の応答時間の最大値を、液晶の応答時間とする。ここで、応答時間は、立ち上がり、立ち下がりの両方を測定する。また、所定の透過率の95％が得られる時間を応答時間とする。
【０３７２】
図７１は、画像のゴースト、ぼけを発生させないための液晶の応答時間、発行部の区画数（冷陰極管の本数）、duty比の条件を示している。なお、図７１は、１フレーム時間を16.7msに設定した場合を示している。横軸をフレーム時間Ｔで割ることで、図７１は、時間に依存しないグラフとなる。この場合、１フレーム時間Ｔが16.7msと異なる場合でも、Ｔとτmとの比率で議論できる。
【０３７３】
この実施形態で採用した条件は、図７１(a)である。ゴースト等の不具合は、採用した条件が各曲線の右下側に位置するとき発生する。本実施形態の条件では、冷陰極管を７本にしても、ゴーストが発生しないことが分かる。また、duty比を20％にした場合、ゴーストが発生することが分かる。応答時間が14msの液晶を用い、duty比を20％にする場合、冷陰極管を14本以上にする必要がある。
【０３７４】
同様に、応答時間が11msの液晶を採用し、duty比を40％以上にする場合には、冷陰極管を10本以上にする必要がある（図７１(b)）。応答時間が8msの液晶を採用し、duty比を50％以上にする場合には、冷陰極管を７本以上にする必要がある（図７１(c)）。自発分極Psが56pC/cm2、液晶層の厚さが１.５μｍ、応答時間が０.５５msの閾値レス型の反強誘電液晶を採用し、duty比を80％にする場合、冷陰極管を５本以上にする必要がある（図７１(d)）。なお、duty比は大きい方が、輝度を向上する上で有利である。
【０３７５】
以上、この実施形態の液晶表示装置では、冷陰極管の点灯後における液晶セルＣの過渡応答による輝度の変化が、冷陰極管の点灯期間における輝度の５％以下になるように、冷陰極管の本数、冷陰極管の１フレームの期間における点灯期間の比率（duty比）、および液晶セルＣの応答時間を定めた。このため、画像のゴーストおよびぼけの発生を防止できる。
（液晶表示装置の第２９の実施形態）
図７２は、この実施形態で使用されるＴＦＴ駆動液晶表示装置の概要を示している。
【０３７６】
この実施形態は、構成２２および構成２３に対応している。第２８の実施形態と同一の要素については、同一の符号を付し、これ等については、詳細な説明を省略する。
【０３７７】
この実施形態では、液晶シャッター１４４および常時点灯しているバックライト１４６によりバックライト機構が形成されている。液晶シャッター１４４は、走査線Gnの走査方向に沿って９つに区画されたＩＴＯ（Indium Tin Oxide）からなる透明電極を有している。これ等透明電極により、９つの領域１４４ａが形成されている。これ等領域１４４ａの一つまたは複数がバックライト１４６からの光を透過する状態になることで、後述する複数の発光部が形成される。バックライト１４６は、紫外光成分を含む光を照射する機能を有している。液晶パネルＡにおける液晶シャッター１４４と反対側の内面に、蛍光体（図示せず）が塗布されている。蛍光体を塗布することで、液晶パネルに表示される画像の視角が大きくなり、高い輝度で表示データを表示できる。
【０３７８】
図７３は、発光部が形成される状態を示している。
【０３７９】
奇数フレームにおいて、８番目までの隣接する２つ領域１４４ａが、それぞれ光を透過する状態（発光部）になる。９番目の領域１４４ａは、一つのみで光を透過する状態（発光部）になる。そして、１フレームの期間に、５つの発光部が順次に点滅される。
【０３８０】
同様に、偶数フレームにおいて、１番目の領域１４４ａは、一つのみで光を透過する状態（発光部）になる。２番目から９番目までの隣接する２つの領域１４４ａが、それぞれ光を透過する状態（発光部）になる。そして、１フレームの期間に、５つの発光部が順次に点滅される。発光部の境界の位置は、奇数フレームと偶数フレームとで異なる。発光部の境界をフレーム毎に移動し、インパルス駆動することで、境界部分が見えにくくなる。
【０３８１】
なお、この実施形態では、応答時間が７msのOCB(Optically Compensated Birefringence）型の液晶を採用し、duty比を60％にしてインパルス駆動している。
この条件は、図７１を満足しているため、ゴーストは発生しない。
【０３８２】
以上、この実施形態の液晶表示装置においても第２８の実施形態と同様の効果を得ることができる。さらに、この実施形態では、同時に点灯する発光部の領域がフレーム毎に変化するため、発光部の境界部分を見えにくくできる。
【０３８３】
なお、上述した第２８の実施形態では、液晶パネルＡにＴＮ型を採用した例について述べた。これに限定されず、液晶パネルＡに、強誘電型、あるいは等の応答時間の速い液晶を採用してもよい。
（液晶表示装置の第３０の実施形態）
図７４は、この実施形態で使用されるＴＦＴ駆動液晶表示装置の概要を示している。
【０３８４】
この実施形態は、構成２４および構成２５に対応している。第２８の実施形態と同一の要素については、同一の符号を付し、これ等については、詳細な説明を省略する。
【０３８５】
液晶表示装置は、制御回路１４８および動き補償を行う補間回路１５０を有している。補間回路１５０は、外部から供給される表示データを受け、動き補償を行い、予測データを制御回路１４８に出力している。液晶パネルＡは、15インチのVA（Vertical Alignment）型が採用されている。液晶パネルＡの画素数は、1024×768である。この液晶は、誘電率εが−３.８、屈折率ｎが0.0082である。バックライト１４６は、duty比50％で点滅を繰り返す冷陰極管で形成されている。
１フレーム期間は、16.7ms（60Hz）である。
【０３８６】
図７５は、液晶表示装置の動作および動き補償の概要を示してる。
【０３８７】
この実施形態では、走査線Gn（n=768）は、線順次走査される。バックライト１４６は、１フレームの期間の前半に点灯（ON）され、後半に消灯（OFF）され、インパルス駆動が行われる。バックライト１４６は、384番目以降の走査線G384〜G768の走査時に消灯されている。走査線G384〜G768に対応する液晶セルＣに書き込まれた表示データは、次のフレームのバックライト１４６の点灯時に外部に照射される。また、走査線G289〜G383の走査で書き込まれた表示データは、当該フレームにおけるバックライト１４６が点灯しているわずかな期間だけ外部に照射される。
【０３８８】
このため、この実施形態では、図中太線で示した走査線G289〜G768の走査で書き込まれる表示データについて動き補償をしている。実際には、図中の網掛けで示した次のフレームの開始時期に表示されるべき予測データが、走査線G289〜G768の走査時に書き込まれる。予測データは、当該フレームの表示データと、次のフレームの表示データとから補間して算出される。走査線G1〜G288の走査に対応する表示データは、補間することなく、そのまま書き込まれる。
【０３８９】
図７６は、補間回路１５０の詳細を示している。
【０３９０】
補間回路１５０は、ブロック分割処理部１５０ａ、最適ブロック検出部１５０ｂ、フレームメモリ１５０ｃ、動きベクトル算出部１５０ｄ、データ補間部１５０ｅ、およびデータ合成部１５０ｆを有している。
【０３９１】
ブロック分割処理部１５０ａは、走査線G289〜G768に対応する現在のフレームデータを受け、液晶パネルＡを16×16画素の領域に区画する処理を行う。動き補償は、この領域単位で行われる。
【０３９２】
最適ブロック検出部１５０ｂは、当該フレームの表示データと前回のフレームの表示データとを上記領域単位で比較し、前回のフレームにおける所定の領域が、当該フレームどの領域に移動したかを検出する。
【０３９３】
フレームメモリ１５０ｃは、１フレーム分の表示データを記憶する。
【０３９４】
動きベクトル算出部１５０ｄは、一般に、ブロックマッチング技法と称する技術を使用し、各領域毎に動きベクトルを算出する。
【０３９５】
データ補間部１５０ｅは、動きベクトルを走査線Gn毎に所定の割合で内分し、予測データを求める。内分する割合は、走査線Gnの走査から次のフレームにおけるバックライトの点灯までの時間に応じて決められる。
【０３９６】
データ合成部１５０ｆは、走査線G289〜G768に対応する予測データと、走査線G1〜G288に対応する表示データとを合成し、表示するフレームデータとして出力する。
【０３９７】
そして、図７５に示したように、図中網掛けで示した次のフレームの開始時期に表示されるべき予測データが、走査線G289〜G768の走査時に書き込まれる。この結果、動画像のぼけ、および動画像のぎこちない動きが防止できる。すなわち、動画像の品質が向上できる。
【０３９８】
なお、上述した第３０の実施形態では、液晶パネルＡにVA型を採用した例について述べた。これに限定されず、液晶パネルＡに、OCB型、強誘電型、あるいは反強誘電型を採用してもよい。
【０３９９】
上述した第３０の実施形態では、バックライト１４６を点滅し、インパルス駆動した例について述べた。これに限定されず、バックライトと液晶シャッターとでバックライト機構を構成し、液晶シャッターを制御することでインパルス駆動してもよい。このとき液晶シャッターに採用する液晶は、VA型、OCB型、強誘電型、あるいは反強誘電型のいずれかが望ましい。
【０４００】
上述した第３０の実施形態では、バックライト１４６は、duty比50％で点滅を繰り返した例について述べた。duty比が小さくなるほど画面が暗くなるが、動画像の品質を向上するためには、バックライト１４６は、duty比50％以下で点滅を繰り返すほうがよい。
【０４０１】
以上の実施形態において説明した発明を整理して以下の項を開示する。
（１）構成１記載の液晶表示装置において、前記第１画素領域および前記第２画素領域は、前記走査線方向に沿って帯状に区画されていることを特徴とする液晶表示装置。
【０４０２】
この液晶表示装置では、図１に示したように、走査線方向に沿って帯状に区画された第１画素領域７および第２画素領域８に、順次表示データおよびリセットデータが書き込まれる。リセットデータの書き込む領域が複数の画素領域７、８に分散している。このため、表示画像のぼけを軽減することができ、表示画面にフリッカーが発生することを防止することができる。
（２）構成１記載の液晶表示装置において、前記第１画素領域および前記第２画素領域は、格子状に区画されていることを特徴とする液晶表示装置。
【０４０３】
図７７は、追加開示項（２）を示すブロック図である。
【０４０４】
この液晶表示装置では、第１画素領域７および第２画素領域８は、格子状に区画されている。そして、格子状に区画された第１画素領域７および第２画素領域９に、順次表示データおよびリセットデータが書き込まれる。リセットデータの書き込む領域が複数の画素領域７、８に分散している。このため、表示画像のぼけを軽減することができ、表示画面にフリッカーが発生することを防止することができる。
（３）構成２記載の液晶表示装置において、前記バックライトは、発光ダイオード、蛍光管、ＰＤＰのいずれかにより構成されていることを特徴とする液晶表示装置。
【０４０５】
この液晶表示装置では、図２に示したように、バックライト９は、発光ダイオード、蛍光管、ＰＤＰのいずれかにより構成されている。このため、第１画素領域７および第２画素領域８の大きさに合わせて、バックライトを構成することが可能になる。
（４）構成２記載の液晶表示装置において、前記バックライトは、蛍光管により構成され、前記１フレームの周期は、該蛍光管に印加される交流信号の周期に合わせられ、前記蛍光管の輝度のピークに合わせて前記表示データの書き込みが行われることを特徴とする液晶表示装置。
【０４０６】
この液晶表示装置では、バックライトは、蛍光管により構成されている。１画面を構成する１フレームの周期は、蛍光管に印加される交流信号の周期に合わせられている。蛍光管の輝度のピークに合わせて表示データの書き込みを行うことで、蛍光管のオンオフ制御を特別に行うことなく、表示データの書き込み時とリセットデータの書き込み時とのコントラスト比が大きくなる。
（５）構成１記載の液晶表示装置において、前記制御回路は、前記１フレームごとに２画面分の前記表示データを受け取り、該表示データのうち前記リセットデータを書き込む前記第１画素領域および前記第２画素領域のデータを除いたデータを表示することを特徴とする液晶表示装置。
【０４０７】
この液晶表示装置では、制御回路は、１フレームごとに２画面分の表示データを受け取る。制御回路は、受け取った表示データのうちリセットデータを書き込む第１画素領域および第２画素領域に対応する画素のデータを除いたデータを使用して表示を行う。このため、表示データについて複雑なデータ処理する必要がなくなる。また、表示データの一部をバッファメモリ等に蓄えておく必要がなくなる。したがって、制御回路を複雑にすることなくフリッカーの発生が防止される。
（６）構成１記載の液晶表示装置において、前記制御回路は、前記１フレームごとに１画面分の前記表示データを受け取り、前記各制御信号の前記一方の活性化時に、前記表示データの一部を前記第１画素領域に書き込み、前記各制御信号の前記他方の活性化時に、残りの前記表示データを前記第２画素領域に書き込むことを特徴とする液晶表示装置。
【０４０８】
この液晶表示装置では、制御回路は、１フレームごとに１画面分の表示データを受け取る。制御回路は、各制御信号の一方の活性化時に、表示データの一部を第１画素領域に書き込み、各制御信号の他方の活性化時に、残りの表示データを第２画素領域に書き込む。このため、受け取ったデータは、捨てることなく全て表示データとして使用される。
（７）構成１記載の液晶表示装置において、前記１フレームの期間に前記各制御信号を１回のみ活性化し、前記表示データを全ての前記画素電極に書き込むホールド駆動機能を備え、前記制御回路は、表示画像に応じて該ホールド駆動と前記インパルス駆動とを切り替える制御を行うことを特徴とする液晶表示装置。
【０４０９】
この液晶表示装置では、１フレームの期間に各制御信号を１回のみ活性化し、表示データを全ての画素電極に書き込むホールド駆動機能を備えている。制御回路は、表示画像に応じてホールド駆動とインパルス駆動とを切り替える制御を行う。例えば、動画像の表示をインパルス駆動で行い、静止画像の表示をホールド駆動で行うことで、どの画像に対しても最適な画面表示を行うことが可能になる。
（８）上記（７）記載の液晶表示装置において、前記液晶パネルの裏面には、輝度調整可能なバックライトが設けられ、前記インパルス駆動は、前記バックライトの輝度を上げて行うことを特徴とする液晶表示装置。
【０４１０】
この液晶表示装置では、輝度調整可能なバックライトが、液晶パネル３の裏面に設けられている。インパルス駆動時に、バックライトの輝度をホールド駆動時に比べて上げることで、ホールド駆動時とインパルス駆動時とで輝度のばらつきが低減される。
（９）上記（７）記載の液晶表示装置において、前記インパルス駆動時および前記ホールド駆動時には、ガンマ補正が行われ、前記インパルス駆動時のガンマ補正は、前記ホールド駆動時のガンマ補正に比べ急峻に行うことを特徴とする液晶表示装置。
【０４１１】
この液晶表示装置では、ガンマ補正が、インパルス駆動時および前記ホールド駆動時にそれぞれ行われる。インパルス駆動時は、制御信号の活性化回数が多い。このため、インパルス駆動時のガンマ補正を、ホールド駆動時のガンマ補正に比べ急峻に行うことで、液晶セルの透過光量の変化が速くなり、輝度を上げることが可能になる。
（１０）構成１記載の液晶表示装置において、前記制御回路は、前記走査線をその配列順にしたがって選択することを特徴とする液晶表示装置。
【０４１２】
この液晶表示装置では、制御回路は、走査線を配列順にしたがって選択する。
このため、従来の回路を大幅に変更することなく、制御回路が構成される。
（１１）構成１記載の液晶表示装置において、前記制御回路は、前記走査線をその配列順に関係のない所定の順序で選択することを特徴とする液晶表示装置。
【０４１３】
この液晶表示装置では、制御回路は、走査線を配列順と関係のない所定の順序で選択する。このため、フリッカーの発生がより確実に防止される。
（１２）上記（１１）記載の液晶表示装置において、前記第１画素領域および前記第２画素領域は、複数の前記走査線を含んで区画され、前記制御回路は、該第１画素領域および該第２画素領域内では、前記走査線の配列順にしたがって該走査線を選択することを特徴とする液晶表示装置。
【０４１４】
この液晶表示装置では、第１画素領域および第２画素領域は、複数の走査線を含んで区画されている。制御回路は、第１画素領域および第２画素領域内では、走査線を配列順にしたがって選択する。このため、制御回路を複雑化することなく、フリッカーの発生がより確実に防止される。
（１３）表示データを伝達する複数の信号線と制御信号を伝達する複数の走査線とが縦横に配線され、前記各信号線と前記各走査線との交差部にスイッチング素子を介して画素電極を縦横に配置した液晶パネルと、前記液晶パネルの裏面に前記走査線方向に沿って隣接して配置された複数のバックライトと、前記走査線を制御するとともに、該走査線の走査周期に同期して前記バックライトを点滅制御する制御回路とを備えたことを特徴とする液晶表示装置。
【０４１５】
この液晶表示装置では、表示データを伝達する複数の信号線と制御信号を伝達する複数の走査線とが縦横に配線され、前記各信号線と前記各走査線との交差部にスイッチング素子を介して画素電極を縦横に配置した液晶パネルと、この液晶パネルの裏面に走査線方向に沿って隣接して配置された複数のバックライトと、液晶パネルを信号線および走査線を介して制御する制御回路とを備えている。制御回路は、リセット信号を入れることなく液晶パネルを通常に駆動しデータを表示する。また、制御回路は、複数のバックライトの点灯、消灯をそれぞれ制御し、この点灯、消灯に対応して、各バックライトに対向する走査線を制御する。走査線の走査周期は、液晶パネルの走査周期と一致している。
【０４１６】
制御回路による走査線の制御は、通常と同様でよいため、コスト増加の要因はない。したがって、バックライトのみを交換することにより良好な動画表示を実現することが可能になる。
（１４）上記（１３）記載の液晶表示装置において、前記制御回路は、前記走査線の非走査時に、該走査線に対向する前記バックライトを点灯し、該走査線の走査直前に該バックライトを消灯することを特徴とする液晶表示装置。
【０４１７】
この液晶表示装置では、液晶パネルの走査線が走査される直前にその走査線に対応する照明を消すことで、液晶パネルの最大輝度を表示に寄与させることが可能になる。
（１５）上記（１３）記載の液晶表示装置において、前記液晶パネルは、隣接する複数本の走査線からなる領域に区画され、
前記バックパネルは、前記各領域に対向して配置され、
前記制御回路は、前記各領域における最後の前記走査線を走査した後、所定時間後に対向する前記バックライトを点灯し、前記各領域における最初の前記走査線を走査する前に該バックライトを消灯することを特徴とする液晶表示装置。
【０４１８】
この液晶表示装置では、画素よりも大きい蛍光管等のバックライトが使用可能になる。
（１６）上記（１５）記載の液晶表示装置において、前記制御回路は、前記所定時間を、全ての前記走査線を１回走査する時間である１フレーム時間の２分の１以上にすることを特徴とする液晶表示装置。
【０４１９】
この液晶表示装置では、表示されない時間を長くすることで、動画像の表示品質がより改善される。
（１７）上記（１３）記載の液晶表示装置において、前記液晶パネルの応答速度は、表示可能な全階調において、前記所定時間よりも速いことを特徴とする液晶表示装置。
【０４２０】
この液晶表示装置では、全階調において動画像の表示品質がより改善される。
（１８）構成７記載の液晶表示装置において、前記各散乱部は、前記導光板の表面に並列して配置されたことを特徴とする液晶表示装置。
【０４２１】
この液晶表示装置では、各散乱部は、導光板の表面に並列して配置されている。このため、散乱部を容易に形成できる。
（１９）上記（１８）記載の液晶表示装置において、前記各散乱部は、前記導光板における前記液晶パネル側の面に配置されたことを特徴とする液晶表示装置。
【０４２２】
この液晶表示装置では、各散乱部は、導光板における液晶パネル側の面に配置されている。散乱部で乱反射した光は、導光板の外部に向けて照射される。そして、液晶パネルのうち、照射領域（あるいは散乱部）に対向する部分に光が照射される。隣接する照射領域の境界が明確になるため、より視認性よくインパルス駆動ができ、フリッカーの発生が防止される。
（２０）上記（１８）記載の液晶表示装置において、前記各散乱部は、前記導光板における前記液晶パネルと反対側の面に配置されたことを特徴とする液晶表示装置。
【０４２３】
この液晶表示装置では、各散乱部は、導光板における液晶パネルと反対側の面に配置されている。散乱部で乱反射した光は、導光板内を通過して液晶パネルに照射される。導光板の液晶パネル側に散乱部等の光を遮る部材が配置されないため、照射効率を向上できる。また、隣接する照射領域の境界を目立たなくできる。
（２１）上記（１８）記載の液晶表示装置において、互いに対向する複数の前記導光板を備え、前記各散乱部は、前記両導光板の間に配置されたことを特徴とする液晶表示装置。
【０４２４】
この液晶表示装置は、互いに対向する複数の導光板を備えている。各散乱部は、両導光板の間に配置されている。散乱部を導光板の間に挟むことで、散乱部を保護できる。また、導光板および散乱部からなる光の照射機構を精度よく、かつ容易に形成できる。
（２２）上記（２１）記載の液晶表示装置において、前記各散乱部は、前記両導光板における外面にさらに配置されたことを特徴とする液晶表示装置。
【０４２５】
この液晶表示装置では、各散乱部は、両導光板の間と、両導光板の外面に配置されている。散乱部を複数層で形成することで、導光板内を進行する光を確実に散乱できる。
（２３）構成７記載の液晶表示装置において、前記各散乱部は、前記導光板内に前記導光方向を遮って配置されたことを特徴とする液晶表示装置。
【０４２６】
この液晶表示装置では、散乱部は、導光板内に導光方向を遮って配置されている。導光板内を進行する光は、必ず各散乱部を透過する。このため、光を確実に散乱できる。
（２４）上記（２３）記載の液晶表示装置において、前記散乱部は、前記導光方向に対して垂直に配置されたことを特徴とする液晶表示装置。
【０４２７】
この液晶表示装置では、散乱部は、導光方向に対して垂直に配置されている。
このため、散乱部を導光方向を遮って配置する際に、導光板と散乱部とを高い精度で容易に接合できる。
（２５）上記（２３）記載の液晶表示装置において、前記散乱部は、前記導光方向に対して斜めに配置されたことを特徴とする液晶表示装置。
【０４２８】
この液晶表示装置では、散乱部は、導光方向に対して斜めに配置されている。
このため、散乱部により散乱された光は、導光方向に対して垂直方向、すなわち液晶パネルに向けて多量に照射される。
（２６）構成７記載の液晶表示装置において、前記散乱部は、ポリマー分散型の液晶フィルムにより形成されていることを特徴とする液晶表示装置。
【０４２９】
この液晶表示装置では、散乱部は、ポリマー分散型の液晶フィルムにより形成されている。このため、散乱部を容易に構成できる。また、散乱部に印加する電界を制御することで、容易に、光の散乱を制御できる。
（２７）上記（２６）記載の液晶表示装置において、前記液晶フィルムにおける低分子液晶を覆っている樹脂層は、高分子液晶で構成されていることを特徴とする液晶表示装置。
【０４３０】
この液晶表示装置では、液晶フィルムにおける低分子液晶を覆っている樹脂層は、高分子液晶で構成されている。このため、散乱部が光を透過する状態のときに、低分子液晶と樹脂層との界面で発生する散乱を防止できる。
（２８）上記（２７）記載の液晶表示装置において、前記低分子液晶および前記高分子液晶は、電圧が印加されない状態で、前記液晶フィルム面に対して垂直に配向されていることを特徴とする液晶表示装置。
【０４３１】
この液晶表示装置では、低分子液晶および高分子液晶は、電圧が印加されない状態で、液晶フィルム面に対して垂直に配向されている。この液晶フィルムは、電界を印加したときに光が散乱する。
（２９）上記（２７）記載の液晶表示装置において、
前記低分子液晶および前記高分子液晶は、電圧が印加されない状態で、前記導光方向に対して垂直に配向されていることを特徴とする液晶表示装置。
【０４３２】
この液晶表示装置では、低分子液晶および高分子液晶は、電圧が印加されない状態で、導光方向に対して垂直に配向されている。この液晶フィルムは、電界を印加したときに光が散乱する。
（３０）上記（２８）記載の液晶表示装置において、前記低分子液晶は、負の誘電率異方性を有することを特徴とする液晶表示装置。
【０４３３】
この液晶表示装置では、低分子液晶は、負の誘電率異方性を有している。この液晶フィルムでは、電界が印加されたときに、液晶分子の向きは、電界に垂直になる。
（３１）構成９記載の液晶表示装置において、離散コサイン変換（ＤＣＴ）における直流成分の動きの予測が、所定の画素マトリックスからなるブロックの大きさを超えたときに、前記動画像であると判定され、該動画像に対応する前記発光時間に調整されることを特徴とする液晶表示装置。
【０４３４】
この液晶表示装置では、離散コサイン変換（ＤＣＴ）における直流成分の動きの予測が、所定の画素マトリックスからなるブロックの大きさを超えたときに、動画像であると判定され、動画像に対応する発光時間に調整される。動画像の動き補償に広く使用されている離散コサイン変換の手法を用いて静止画像と動画像とが確実に判定される。
（３２）構成８記載の液晶表示装置において、前記液晶パネルの表示輝度は、前記発光時間の制御に連動して一定に保持されるように制御されることを特徴とする液晶表示装置。
【０４３５】
この液晶表示装置では、液晶パネルの表示輝度は、発光時間の制御に連動して一定に保持されるように制御される。静止画像であるか動画像であるかを問わず、表示輝度が常に一定の輝度に保持されるため、画面が見やすくなる。
（３３）構成８記載の液晶表示装置において、前記液晶パネルに対向して配置されたバックライトを備え、前記発光時間は、前記バックライトの点滅制御により調整されることを特徴とする液晶表示装置。
【０４３６】
この液晶表示装置では、発光時間は、液晶パネルに対向して配置されたバックライトの点滅制御により調整される。
（３４）構成９記載の液晶表示装置において、前記液晶パネルに対向して配置されたバックライトを備え、前記発光時間は、前記バックライトの点滅制御により調整されることを特徴とする液晶表示装置。
【０４３７】
この液晶表示装置では、発光時間は、液晶パネルに対向して配置されたバックライトの点滅制御により調整される。
（３５）構成８記載の液晶表示装置において、１フレームの期間に前記各走査線を２回走査し、前記表示データとリセットデータとを前記画素電極に書き込むインパルス駆動を行い、前記発光時間は、前記表示データの表示期間により調整されることを特徴とする液晶表示装置。
【０４３８】
この液晶表示装置では、１フレームの期間に各走査線を２回走査し、表示データとリセットデータとを画素電極に書き込むインパルス駆動が行われる。発光時間は、表示データの表示期間により調整される。
（３６）構成９記載の液晶表示装置において、１フレームの期間に前記各走査線を２回走査し、前記表示データとリセットデータとを前記画素電極に書き込むインパルス駆動を行い、前記発光時間は、前記表示データの表示期間により調整されることを特徴とする液晶表示装置。
【０４３９】
この液晶表示装置では、１フレームの期間に各走査線を２回走査し、表示データとリセットデータとを画素電極に書き込むインパルス駆動が行われる。発光時間は、表示データの表示期間により調整される。
（３７）構成８記載の液晶表示装置において、前記液晶パネルに対向して配置されたシャッターを備え、前記発光時間は、前記シャッターの開閉制御により調整されることを特徴とする液晶表示装置。
【０４４０】
この液晶表示装置では、発光時間は、液晶パネルに対向して配置されたシャッターの開閉制御により調整される。
（３８）構成９記載の液晶表示装置において、前記液晶パネルに対向して配置されたシャッターを備え、前記発光時間は、前記シャッターの開閉制御により調整されることを特徴とする液晶表示装置。
【０４４１】
この液晶表示装置では、発光時間は、液晶パネルに対向して配置されたシャッターの開閉制御により調整される。
（３９）上記（３２）記載の液晶表示装置において、前記液晶パネルに対向して配置されたバックライトを備え、前記表示輝度の制御は、前記バックライトの輝度調整により行われることを特徴とする液晶表示装置。
【０４４２】
この液晶表示装置では、表示輝度の制御は、液晶パネルに対向して配置されたバックライトの輝度調整により行われる。
（４０）上記（３２）記載の液晶表示装置において、
前記表示輝度の制御は、前記画素電極に書き込む表示データの信号量の調整により行われることを特徴とする液晶表示装置。
【０４４３】
この液晶表示装置では、表示輝度の制御は、画素電極に書き込む表示データの信号量の調整により行われる。
（４１）構成１０記載の液晶表示装置において、前記表示データのうち、前記動画像の比率が所定以上のときに、前記ホールド制御から前記インパルス制御に切り替えることを特徴とする液晶表示装置。
【０４４４】
この液晶表示装置では、表示データのうち、動画像の比率が所定以上のときに、ホールド制御からインパルス制御に切り替えられる。
（４２）構成１０記載の液晶表示装置において、前記表示データが、２フレーム以上にわたり変化したときに、前記動画像と判定し、前記ホールド制御から前記インパルス制御に切り替えることを特徴とする液晶表示装置。
【０４４５】
この液晶表示装置では、表示データが、２フレーム以上にわたり変化したときに、動画像と判定され、ホールド制御からインパルス制御に切り替えられる。
（４３）構成１０記載の液晶表示装置において、前記液晶パネルに対向して配置されたシャッターを備え、前記インパルス制御は、前記シャッターの開閉制御により行われることを特徴とする液晶表示装置。
【０４４６】
この液晶表示装置では、インパルス制御は、液晶パネルに対向して配置されたシャッターの開閉制御により行われる。
（４４）構成１０記載の液晶表示装置において、前記インパルス制御は、１フレームの期間に前記各走査線を２回走査し、前記表示データとリセットデータとを前記画素電極に書き込むことにより行われることを特徴とする液晶表示装置。
【０４４７】
この液晶表示装置では、インパルス制御は、１フレームの期間に各走査線を２回走査し、表示データとリセットデータとを画素電極に書き込むことにより行われる。
（４５）構成１０記載の液晶表示装置において、前記液晶パネルに対向して配置されたバックライトを備え、前記インパルス制御時に、前記バックライトの輝度を前記ホールド制御時より上げることを特徴とする液晶表示装置。
【０４４８】
この液晶表示装置では、インパルス制御時に、液晶パネルに対向して配置されたバックライトの輝度がホールド制御時より上げられる。このため、動画像の輝度を静止画像と同一にすることが可能になり、画面が見やすくなる。
（４６）上記（４５）記載の液晶表示装置において、前記インパルス制御時と前記ホールド制御時とで、前記液晶パネルの外部に出力される表示画像の輝度を同一にすることを特徴とする液晶表示装置。
【０４４９】
この液晶表示装置では、インパルス制御時とホールド制御時とで、液晶パネルの外部に出力される表示画像の輝度が同一にされる。静止画像であるか動画像であるかを問わず、表示輝度が常に一定の輝度に保持されるため、画面が見やすくなる。
（４７）構成１０記載の液晶表示装置において、前記スイッチング素子は、ポリシリコンＴＦＴであることを特徴とする液晶表示装置。
【０４５０】
この液晶表示装置では、スイッチング速度がアモルファスシリコンＴＦＴより大きいポリシリコンＴＦＴで画素電極を制御するため、特にインパルス制御時に動画像のぼけが低減される。
（４８）構成１０記載の液晶表示装置において、１フレームの前記表示画像の各画素のうち、前回表示した１フレームの前記表示画像の各画素と異なる割合が所定の比率を超えたときに、前記動画像と判定することを特徴とする液晶表示装置。
【０４５１】
この液晶表示装置では、１フレームの表示画像の各画素のうち、前回表示した１フレームの表示画像の各画素と異なる割合が所定の比率を超えたときに、動画像と判定され、インパルス制御が行われる。
（４９）構成１０記載の液晶表示装置において、離散コサイン変換（ＤＣＴ）により動き補償を行い、１フレームの前記表示画像と前回表示した１フレームの前記表示画像とにおけるそれぞれの直流成分の平均値が、所定値以上相違するときに、動画像と判定することを特徴とする液晶表示装置。
【０４５２】
この液晶表示装置では、離散コサイン変換（ＤＣＴ）により動き補償を行い、１フレームの前記表示画像と前回表示した１フレームの前記表示画像とにおけるそれぞれの直流成分の平均値が、所定値以上相違するときに、動画像と判定され、インパルス制御が行われる。
（５０）構成１０記載の液晶表示装置において、離散コサイン変換（ＤＣＴ）により動き補償を行い、圧縮画像情報に画像の動きを示すベクトル情報が含まれるときに動画像と判定することを特徴とする液晶表示装置。
【０４５３】
この液晶表示装置では、離散コサイン変換（ＤＣＴ）により動き補償を行い、圧縮画像情報に画像の動きを示すベクトル情報が含まれるときに動画像と判定され、インパルス制御が行われる。
（５１）構成１３記載の液晶表示装置において、前記偏光分離シートは、コレステリック液晶を用いて形成されていることを特徴とする液晶表示装置。
（５２）構成１３記載の液晶表示装置において、前記偏光分離シートは、屈折率の異なる複数のフィルムを積層して形成されていることを特徴とする液晶表示装置。
（５３）構成１３記載の液晶表示装置において、前記偏光分離シートは、複数のプリズムからなるプリズムアレイを用いて形成されていることを特徴とする液晶表示装置。
（５４）構成１３記載の液晶表示装置において、前記偏光分離シートおよび液晶シャッターの屈折率は、前記導光板の屈折率に合わせられていることを特徴とする液晶表示装置。
【０４５４】
この液晶表示装置では、隣接する部材の界面で反射角が変わることを防止できる。この結果、導光板内を進行する光が、所望以外の位置で臨界角を超えることが防止される。
（５５）構成１６記載の液晶表示装置において、前記容量部に印加する最大電圧は、飽和電圧以上であることを特徴とする液晶表示装置。
【０４５５】
この液晶表示装置では、より高い輝度で表示データが表示される。
（５６）構成１７記載の液晶表示装置において、前記補助容量部は、アモルファスシリコンを使用して形成されていることを特徴とする液晶表示装置。
（５７）構成１７記載の液晶表示装置において、前記補助容量部は、炭化珪素と窒化珪素との複合材料を使用して形成されていることを特徴とする液晶表示装置。
（５８）構成１６記載の液晶表示装置において、前記液晶パネルの輝度分布を均一にするために、印加電圧を画素ごとに調整する輝度補正回路を備えたことを特徴とする液晶表示装置。
【０４５６】
この液晶表示装置では、補助容量の製造誤差による輝度むらを防止できる。
（５９）構成１９記載の液晶表示装置において、前記液晶パネルの液晶モードは、ノーマリブラックであることを特徴とする液晶表示装置。
（６０）構成２１記載の液晶表示装置において、前記リセットデータに対応する電圧が供給された前記電極は、前記信号線に沿って形成されたことを特徴とする液晶表示装置。
（６１）構成２１記載の液晶表示装置において、前記リセットデータに対応する電圧が供給された前記電極は、前記走査線に沿って形成されたことを特徴とする液晶表示装置。
（６２）構成２１記載の液晶表示装置において、前記液晶パネルに対向して配置され、前記走査線の走査方向に区画された複数のバックライトを備え、該バックライトは、前記表示データの書き込みに対応して点灯し、前記リセットデータの書き込みに対応して消灯することを特徴とする液晶表示装置。
【０４５７】
この液晶表示装置では、表示データを高い輝度で表示し、黒データをより黒く表示できる。
（６３）構成２２記載の液晶表示装置において、前記液晶パネルの前記バックライト機構と反対側に蛍光体層が形成されたことを特徴とする液晶表示装置。
【０４５８】
この液晶表示装置では、液晶セルに印加される電圧に応じて蛍光体層に照射される光量が調整される。この結果、視角が大きくなり、高い輝度で表示データが表示される。
（６４）構成２３記載の液晶表示装置において、前記蛍光体層は、前記液晶パネルの内側に形成されたことを特徴とする液晶表示装置。
（６５）構成２７記載の液晶表示装置の制御方法において、前記バックライトは、蛍光管により構成され、前記１フレームの周期を、該蛍光管に印加する交流信号の周期に合わせ、前記蛍光管の輝度のピークに合わせて前記表示データの書き込みを行うことを特徴とする液晶表示装置の制御方法。
【０４５９】
この液晶表示装置の制御方法では、１画面を構成する１フレームの周期が、蛍光管に印加される交流信号の周期に合わせられる。蛍光管の輝度のピークに合わせて表示データの書き込みを行うことで、蛍光管のオンオフ制御を特別に行うことなく、表示データの書き込み時とリセットデータの書き込み時とのコントラスト比が大きくなる。
（６６）構成２６記載の液晶表示装置の制御方法において、前記１フレームごとに２画面分の前記表示データを受け取り、該表示データのうち前記リセットデータを書き込む前記第１画素領域および前記第２画素領域のデータを捨てることを特徴とする液晶表示装置の制御方法。
【０４６０】
この液晶表示装置の制御方法では、１フレームごとに２画面分の表示データが受け取られる。受け取られた表示データのうちリセットデータを書き込む第１画素領域および第２画素領域に対応する画素のデータは捨てられる。このため、表示データについて複雑なデータ処理する必要がなくなる。また、表示データの一部をバッファメモリ等に蓄えておく必要がなくなる。したがって、制御を複雑にすることなくフリッカーの発生が防止される。
（６７）構成２６記載の液晶表示装置の制御方法において、前記１フレームごとに１画面分の前記表示データを受け取り、前記各制御信号の前記一方の活性化時に、前記表示データの一部を前記第１画素領域に書き込み、前記各制御信号の前記他方の活性化時に、残りの前記表示データを前記第２画素領域に書き込むことを特徴とする液晶表示装置の制御方法。
【０４６１】
この液晶表示装置の制御方法では、１フレームごとに１画面分の表示データが受け取られる。各制御信号の一方の活性化時に、表示データの一部が第１画素領域に書き込まれ、各制御信号の他方の活性化時に、残りの表示データが第２画素領域に書き込まれる。このため、受け取ったデータは、捨てることなく全て表示データとして使用される。
（６８）構成２６記載の液晶表示装置の制御方法において、前記１フレームの期間に前記各制御信号を１回のみ活性化し、前記表示データを全ての前記画素電極に書き込むホールド駆動機能を備え、表示画像に応じて、該ホールド駆動と前記インパルス駆動とを切り替える制御を行うことを特徴とする液晶表示装置の制御方法。
【０４６２】
この液晶表示装置の制御方法では、１フレームの期間に各制御信号を１回のみ活性化し、表示データを全ての画素電極に書き込むホールド駆動機能を備えている。そして、表示画像に応じてホールド駆動とインパルス駆動とを切り替える制御が行われる。例えば、動画像の表示をインパルス駆動で行い、静止画像の表示をホールド駆動で行うことで、どの画像に対しても最適な画面表示を行うことが可能になる。
（６９）上記（６８）記載の液晶表示装置の制御方法において、前記液晶パネルの裏面に設けられた輝度調整可能なバックライトの輝度を、前記インパルス駆動時に上げることを特徴とする液晶表示装置の制御方法。
【０４６３】
この液晶表示装置の制御方法では、インパルス駆動時に、バックライトの輝度をホールド駆動時に比べて上げることで、ホールド駆動時とインパルス駆動時とで輝度のばらつきが低減される。
（７０）上記（６８）記載の液晶表示装置の制御方法において、前記インパルス駆動時および前記ホールド駆動時にガンマ補正を行い、前記インパルス駆動時のガンマ補正を、前記ホールド駆動時のガンマ補正に比べ急峻に行うことを特徴とする液晶表示装置の制御方法。
【０４６４】
この液晶表示装置の制御方法では、ガンマ補正が、インパルス駆動時および前記ホールド駆動時にそれぞれ行われる。インパルス駆動時は、制御信号の活性化回数が多い。このため、インパルス駆動時のガンマ補正を、ホールド駆動時のガンマ補正に比べ急峻に行うことで、液晶セルの透過光量の変化が速くなり、輝度を上げることが可能になる。
（７１）構成２６記載の液晶表示装置の制御方法において、前記走査線をその配列順にしたがって選択し、前記液晶パネルを制御することを特徴とする液晶表示装置の制御方法。
【０４６５】
この液晶表示装置の制御方法では、走査線が配列順にしたがって選択されるため、走査線の制御が簡単になる。
（７２）構成２６記載の液晶表示装置の制御方法において、前記走査線をその配列順に関係のない所定の順序で選択し、前記液晶パネルを制御することを特徴とする液晶表示装置の制御方法。
【０４６６】
この液晶表示装置の制御方法では、走査線が配列順と関係のない所定の順序で選択される。このため、フリッカーの発生がより確実に防止される。
（７３）上記（７２）記載の液晶表示装置の制御方法において、前記第１画素領域および前記第２画素領域は、複数の前記走査線を含んで区画され、該第１画素領域および該第２画素領域内では、前記走査線の配列順にしたがって該走査線を選択し、前記液晶パネルを制御することを特徴とする液晶表示装置の制御方法。
【０４６７】
この液晶表示装置の制御方法では、走査線は、第１画素領域および第２画素領域内では配列順にしたがって選択する。このため、走査線の制御を複雑化することなく、フリッカーの発生がより確実に防止される。
（７４）構成３４記載の液晶表示装置の制御方法において、同一の前記走査線における前記リセットデータの書き込みは、前記表示データの書き込みから１／２フレーム時間後に行われることを特徴とする液晶表示装置の制御方法。
（７５）構成３２記載の液晶表示装置の制御方法において、前記ゲートドライバは、一水平周期中に出力される前記リセットデータの書き込み後、前記表示データを上書きすることを特徴とする液晶表示装置の制御方法。
【０４６８】
この液晶表示装置の制御方法では、一水平周期の最初にリセットデータが書き込まれ、その後連続して表示データが書き込まれる。すなわち、リセットデータに表示データが上書きされる。この結果、表示データを書き込むゲートパルスを容易に形成できる。
（７６）構成３２記載の液晶表示装置の制御方法において、前記タイミング信号の活性化期間を可変にし、前記表示データの出力期間と前記リセットデータの出力期間との比率を任意に調整することを特徴とする液晶表示装置の制御方法。
【０４６９】
この液晶表示装置の制御方法では、リセットデータを書き込むゲートパルスの幅を十分に広くでき、リセットデータを確実に書き込むことができる。
（７７）構成３３記載の液晶表示装置の制御方法において、同一の前記走査線における前記リセットデータの書き込みは、１フレーム期間中に複数回行われることを特徴とする液晶表示装置の制御方法。
【０４７０】
この液晶表示装置の制御方法では、リセットデータを確実に書き込むことができる。
（７８）構成３２記載の液晶表示装置の制御方法において、前記信号線に伝達される前記リセットデータの電圧は、前記表示データを生成する交流電源の中心電圧であることを特徴とする液晶表示装置の制御方法。
【０４７１】
この液晶表示装置の制御方法では、例えば、表示データを生成する従来のデータドライバをそのまま流用してインパルス駆動できる。
（７９）構成３２記載の液晶表示装置の制御方法において、前記信号線に伝達される前記リセットデータの電圧は、前記表示データを生成する交流電源の中心電圧から正側および負側にそれぞれ所定値だけずれていることを特徴とする液晶表示装置の制御方法。
【０４７２】
この液晶表示装置の制御方法では、リセットデータについても交流駆動できる。
【０４７３】
以上、本発明について詳細に説明してきたが、上記の実施形態およびその変形例は発明の一例に過ぎず、本発明はこれに限定されるものではない。本発明を逸脱しない範囲で変形可能であることは明らかである。
【符号の説明】
【０４７４】
１２  画素電極
１４  Ｙドライバ
１６  Ｘドライバ
１８  制御回路
１８ａ  データ取込部
１８ｂ  データドライバ制御部
１８ｃ  ゲートドライバ制御部
１８ｄ  ゲート走査ライン判定部
１８ｅ  GOE作成部
１８ｆ  ゲート走査条件記憶部
１８ｇ  非走査期間判定部
１８ｈ  非走査期間記憶部
２０  第１画素領域
２２  第２画素領域
２４  制御回路
２４ａ  バッファメモリ
２６  導光板
３０  制御回路
３２  制御回路
３４  ホールド駆動回路
３６  インパルス駆動回路
３８  ガンマ補正用テーブル
４０、４１  制御回路
４２  液晶表示装置
４４  パーソナルコンピュータ
４６  制御回路
４８  Ａ／Ｄ変換部
５０  ビデオカード
５２  パーソナルコンピュータ
５４  液晶表示装置
５８  データ変換部
６０  液晶表示装置
６２  制御回路
６４  データ変換部
７０  画素領域
７２  導光板
７４  液晶フィルム
７４ａ〜７４ｅ  散乱部
７６  散乱板
８０  導光板
８２  導光板
８４  液晶フィルム
８４ａ〜８４ｄ  散乱部
８５ａ  ネマティック液晶
８５ｂ  樹脂層
８６  導光板
８８  バックライト
９０  制御回路
９２  制御回路
９４  離散コサイン変換部
９６  制御回路
１０２  導光板
１０４ａ、１０４ｂ  偏光分離シート
１０６  液晶シャッター
１０８  散乱シート
１１０  位相差シート
１１２  プリズムシート
１１２ａ  プリズム
１１２ｂ  反射膜
１１４  空気層
１１６  散乱パターン
１１８  反射板
１２０  偏光分離シート
１２２  表示電極
１２４  第２画素電極
１２６  CF基板
１２８  TFT基板
１３０  液晶層
１３２  第１画素電極
１３４  薄膜
１３６、１３８  ＴＦＴ
１４０  電極
１４１  バックライト
１４２  制御回路
１４４  液晶シャッター
１４４ａ  領域
１４６  バックライト
１４８  制御回路
１５０  補間回路
１５０ａ  ブロック分割処理部
１５０ｂ  最適ブロック検出部
１５０ｃ  フレームメモリ
１５０ｄ  動きベクトル算出部
１５０ｅ  データ補間部
１５０ｆ  データ合成部
Ａ  液晶パネル
BLU  バックライトユニット
Ｃ  液晶セル
D1、D2、...、Dm  信号線
F1、F2、F3、F4  蛍光管
F5  蛍光管
G1、G2、...、Gn  走査線
L1、L2、L3、...、L8  ＬＥＤ
【図１】
2010122703.tif 000003
【図２】
2010122703.tif 000004
【図３】
2010122703.tif 000005
【図４】
2010122703.tif 000006
【図５】
2010122703.tif 000007
【図６】
2010122703.tif 000008
【図７】
2010122703.tif 000009
【図８】
2010122703.tif 000010
【図９】
2010122703.tif 000011
【図１０】
2010122703.tif 000012
【図１１】
2010122703.tif 000013
【図１２】
2010122703.tif 000014
【図１３】
2010122703.tif 000015
【図１４】
2010122703.tif 000016
【図１５】
2010122703.tif 000017
【図１６】
2010122703.tif 000018
【図１７】
2010122703.tif 000019
【図１８】
2010122703.tif 000020
【図１９】
2010122703.tif 000021
【図２０】
2010122703.tif 000022
【図２１】
2010122703.tif 000023
【図２２】
2010122703.tif 000024
【図２３】
2010122703.tif 000025
【図２４】
2010122703.tif 000026
【図２５】
2010122703.tif 000027
【図２６】
2010122703.tif 000028
【図２７】
2010122703.tif 000029
【図２８】
2010122703.tif 000030
【図２９】
2010122703.tif 000031
【図３０】
2010122703.tif 000032
【図３１】
2010122703.tif 000033
【図３２】
2010122703.tif 000034
【図３３】
2010122703.tif 000035
【図３４】
2010122703.tif 000036
【図３５】
2010122703.tif 000037
【図３６】
2010122703.tif 000038
【図３７】
2010122703.tif 000039
【図３８】
2010122703.tif 000040
【図３９】
2010122703.tif 000041
【図４０】
2010122703.tif 000042
【図４１】
2010122703.tif 000043
【図４２】
2010122703.tif 000044
【図４３】
2010122703.tif 000045
【図４４】
2010122703.tif 000046
【図４５】
2010122703.tif 000047
【図４６】
2010122703.tif 000048
【図４７】
2010122703.tif 000049
【図４８】
2010122703.tif 000050
【図４９】
2010122703.tif 000051
【図５０】
2010122703.tif 000052
【図５１】
2010122703.tif 000053
【図５２】
2010122703.tif 000054
【図５３】
2010122703.tif 000055
【図５４】
2010122703.tif 000056
【図５５】
2010122703.tif 000057
【図５６】
2010122703.tif 000058
【図５７】
2010122703.tif 000059
【図５８】
2010122703.tif 000060
【図５９】
2010122703.tif 000061
【図６０】
2010122703.tif 000062
【図６１】
2010122703.tif 000063
【図６２】
2010122703.tif 000064
【図６３】
2010122703.tif 000065
【図６４】
2010122703.tif 000066
【図６５】
2010122703.tif 000067
【図６６】
2010122703.tif 000068
【図６７】
2010122703.tif 000069
【図６８】
2010122703.tif 000070
【図６９】
2010122703.tif 000071
【図７０】
2010122703.tif 000072
【図７１】
2010122703.tif 000073
【図７２】
2010122703.tif 000074
【図７３】
2010122703.tif 000075
【図７４】
2010122703.tif 000076
【図７５】
2010122703.tif 000077
【図７６】
2010122703.tif 000078
【図７７】
2010122703.tif 000079
【図７８】
2010122703.tif 000080
【図７９】
2010122703.tif 000081
【図８０】
2010122703.tif 000082
【図８１】
2010122703.tif 000083
【図８２】
2010122703.tif 000084